(57)【要約】  本開示は、ＬＢＴ（Listen Before Talk）モードを決定するための方法及び装置、並びにＬＢＴモード切スイッチング方法を提供する。関連指示情報及び／又は優先度情報及び／又は測定情報に基づいてＬＢＴメカニズム及び／又はＬＢＴメカニズムパラメータセットを決定すること（１００）と、送信デバイスによって、決定されたＬＢＴメカニズム及び／又はＬＢＴメカニズムパラメータセットに基づいて、チャネルアクセスを実行すること（１０１）とを含む。本開示により、ＬＢＴモードを決定できる。ＬＢＴモードを選択することにより、不適切なＬＢＴモードのためにチャネルリソース及び指示情報が浪費されることを回避でき、これにより、コンテンションベースのチャネルアクセスの効率が改善される。【選択図】  図１
2018528713.tif 000002
【特許請求の範囲】
【請求項１】
ＬＢＴ（Listen Before Talk）モードを決定する方法であって、
関連指示情報及び／又は優先度情報及び／又は測定情報に基づいてＬＢＴメカニズム及び／又はＬＢＴメカニズムパラメータセットを決定することを含む方法。
【請求項２】
請求項１において、
送信デバイスによって、前記決定されたＬＢＴメカニズム及び／又は前記ＬＢＴメカニズムパラメータセットに基づいて、チャネルアクセスを実行することを更に含む方法。
【請求項３】
請求項１において、前記関連指示情報は、送信データパケットのサイズ、連続的にスケジューリングされたサブフレームの数、物理ダウンリンク制御情報（ＤＣＩ）シグナリングにおいて設定されている１つ以上のビット、ブロードキャストスキーム、アップリンク送信バーストとダウンリンク送信バーストとの間のギャップの時間領域長、基地局からシグナリングされるＬＢＴリスト内の識別情報、送信バースト又は連続するアップリンクサブフレームにおけるスケジューリングされたサブフレームの位置、１つの送信バーストの長さ、及び／又はスケジューリング命令の送信のためのキャリアシナリオを含む方法。
【請求項４】
請求項１において、前記優先度情報は、
トラフィックタイプのサービス品質（ＱｏＳ）優先度、又は
チャネルの優先度、信号の優先度、論理チャネルの優先度、及び／又はチャネル、信号及び論理チャネルの優先度を含む方法。
【請求項５】
請求項４において、前記優先度情報は、更に、
論理チャネルの優先度レベルを物理送信チャネルにマッピングすることによって得られる物理送信チャネルの優先度を含む方法。
【請求項６】
請求項１又は３において、前記測定情報は、
所定の時間長内のチャネル状態情報（ＣＳＩ）、所定の時間長内の基準信号受信電力（ＲＳＲＰ）、所定の時間長内の基準信号受信品質（ＲＳＲＱ）、ハイブリッド自動再送要求−確認（ＨＡＲＱ−ＡＣＫ）情報、又は測定された干渉に関する情報を含む方法。
【請求項７】
請求項１又は２において、前記ＬＢＴメカニズムは、ランダムバックオフを有さないＬＢＴメカニズム又はランダムバックオフを有するＬＢＴメカニズムである方法。
【請求項８】
請求項７において、前記ランダムバックオフを有さないＬＢＴメカニズムは、ＬＢＴ  Ｃａｔ２メカニズム又はエンハンスドＬＢＴ  Ｃａｔ２メカニズムである方法。
【請求項９】
請求項８において、前記ＬＢＴ  Ｃａｔ２メカニズムは、クリアチャネル評価（ＣＣＡ）を一回だけ実行するＬＢＴメカニズムである方法。
【請求項１０】
請求項８において、前記エンハンスドＬＢＴ  Ｃａｔ２メカニズムは、２回以上のクリアチャネル評価（ＣＣＡ）を実行するＬＢＴメカニズムである方法。
【請求項１１】
請求項９又は１０において、各ＣＣＡは、固定又はランダムの開始位置を有する方法。
【請求項１２】
請求項９又は１０において、各ＣＣＡは、３４マイクロ秒（μｓ）、２５μｓ、２０μｓ、１６μｓ、９μｓ、又は４μｓの時間長を有する方法。
【請求項１３】
請求項７において、前記ランダムバックオフを有するＬＢＴメカニズムは、可変コンテンションウィンドウ（ＣＷ）サイズを有するＬＢＴ  Ｃａｔ４メカニズム及び固定ＣＷサイズを有するＬＢＴ  Ｃａｔ３メカニズムを含む方法。
【請求項１４】
請求項１３において、前記ＬＢＴ  Ｃａｔ４メカニズムは、第１のクリアチャネル評価（ＣＣＡ）、延長期間、最大コンテンションウィンドウＣＷｍａｘ、最小コンテンションウィンドウＣＷｍｉｎ、及びランダムバックオフ値Ｎのうちの少なくとも１つのパラメータを含む方法。
【請求項１５】
請求項１４において、前記延長期間は、延長時間＋ｎ×スロット、又はｎ×スロット＋延長時間であり、ここで、ｎは、［０，２］の区間の整数であり、スロットは、９μｓの時間長を有し、延長時間は、１６μｓである方法。
【請求項１６】
請求項１４において、前記第１のＣＣＡの時間長は、３４マイクロ秒（μｓ）、２５μｓ、２０μｓ、１６μｓ、９μｓ又は４μｓである方法。
【請求項１７】
請求項１４において、前記ランダムバックオフ値Ｎは、基地局によって指示され、ランダムに生成され、又は所定の値である方法。
【請求項１８】
請求項１４において、前記ランダムバックオフ値Ｎは、［０，ｑ−１］の区間からランダムに選択された値であり、ｑは、［ＣＷｍｉｎ，ＣＷｍａｘ］の区間からランダムに選択された値である方法。
【請求項１９】
請求項１において、前記ＬＢＴメカニズムパラメータセットは、
前記ＬＢＴメカニズムがＬＢＴ  Ｃａｔ４メカニズムである場合、ＬＢＴ  Ｃａｔ４メカニズムの最小ＣＷ、最大ＣＷ、延長期間の要素ｎの少なくとも１つであり、
前記ＬＢＴメカニズムがＬＢＴ  Ｃａｔ２メカニズムである場合、ＬＢＴ  Ｃａｔ２メカニズムのクリアチャネル評価（ＣＣＡ）の時間長である方法。
【請求項２０】
請求項１９において、前記ＬＢＴメカニズムがＬＢＴ  Ｃａｔ４メカニズムである場合、前記ＬＢＴメカニズムパラメータセットは、更に、第１のＣＣＡの時間長を含む方法。
【請求項２１】
請求項１９において、ＬＢＴメカニズムがＬＢＴ  Ｃａｔ４メカニズムである場合、
ＬＢＴ  Ｃａｔ４のパラメータセットにおける最大ＣＷの値と最小ＣＷの値との差、及び／又は延長期間における要素ｎの大きさに基づいて、ＬＢＴメカニズムパラメータセットをそれぞれのカテゴリに分割することを更に含み、
前記分割されるＬＢＴメカニズムパラメータセットのそれぞれのカテゴリは、部分的に重なり合う又は重なり合わない、それぞれのカテゴリの最大ＣＷ及び最小ＣＷに対応するＣＷ区間を有する方法。
【請求項２２】
請求項１９において、前記ＬＢＴメカニズムがＬＢＴ  Ｃａｔ２メカニズムである場合、
前記ＬＢＴ  Ｃａｔ２のＣＣＡの異なる時間長に基づいて、前記ＬＢＴメカニズムパラメータセットをそれぞれのカテゴリに分割することを更に含む方法。
【請求項２３】
請求項１９において、前記ＬＢＴメカニズムがＬＢＴ  Ｃａｔ２及びＬＢＴ  Ｃａｔ４を含む場合、
ＣＣＡの異なる時間長、ＣＷのサイズ及び／又は延長期間における要素ｎの大きさに基づいてＬＢＴメカニズムパラメータセットをそれぞれのカテゴリに分割することを更に含む方法。
【請求項２４】
請求項２１から２３のいずれかにおいて、前記ＬＢＴメカニズムパラメータセットのそれぞれのカテゴリは、優先度に基づいており、予め定めらており、利用可能な最大ＣＷの値に基づいて分割され、ＣＣＡの時間長に基づいて分割され、基地局によって指示され、又はダウンリンク制御情報（ＤＣＩ）で動的に指示される方法。
【請求項２５】
請求項１，７，１３又は１９において、
前記関連指示情報が送信データパケットのサイズである場合、前記関連指示情報に基づいて前記ＬＢＴメカニズム及び／又は前記ＬＢＴメカニズムパラメータセットを決定することは、
各ＬＢＴメカニズム及び／又はＬＢＴメカニズムパラメータセットに対応する、送信データのサイズのセットを事前設定することと、
前記送信データパケットのサイズに対応するＬＢＴメカニズム及び／又はＬＢＴメカニズムパラメータセットを選択することとを含み、又は
前記スイッチング関連情報が連続的にスケジューリングされた複数のサブフレームの数である場合、前記関連指示情報に基づいて、前記ＬＢＴメカニズム及び／又は前記ＬＢＴメカニズムパラメータセットを決定することは、
各ＬＢＴメカニズム及び／又はＬＢＴメカニズムパラメータセットに対応する、連続的にスケジューリングされたサブフレームの数のセットを事前設定することと、
前記連続的にスケジューリングされたサブフレームの数に対応するＬＢＴメカニズム及び／又はＬＢＴメカニズムパラメータセットを選択することとを含み、又は
前記スイッチング関連情報がダウンリンク制御情報（ＤＣＩ）シグナリングにおいて設定された１つ以上のビットである場合、前記関連指示情報に基づいてＬＢＴメカニズム及び／又はＬＢＴメカニズムパラメータセットを決定することは、
各ＬＢＴメカニズム及び／又はＬＢＴメカニズムパラメータセットに対応する、ＤＣＩシグナリングにおいて設定されているビット情報のセット及び／又はビット数を予め設定することと、
前記ＤＣＩシグナリングにおいて設定されているビット情報及び／又はビット数に対応する前記ＬＢＴメカニズム及び／又はＬＢＴメカニズムパラメータセットを選択することとを含み、又は
前記スイッチング関連情報がブロードキャストスキームである場合、前記関連指示情報に基づいてＬＢＴメカニズム及び／又はＬＢＴメカニズムパラメータセットを決定することは、
送信デバイスにブロードキャストされるＬＢＴリストセット内の識別情報、ＬＢＴメカニズムパラメータセットのカテゴリ、ＬＢＴメカニズム及び／又はＬＢＴメカニズムパラメータセットに基づいて、前記ＬＢＴメカニズム及び／又はＬＢＴメカニズムパラメータセットを決定することを含み、又は
前記スイッチング関連情報がアップリンクバーストとダウンリンクバーストとの間のギャップの時間領域長である場合、前記関連指示情報に基づいてＬＢＴメカニズム及び／又はＬＢＴメカニズムパラメータセットを決定することは、
各ＬＢＴメカニズム及び／又はＬＢＴメカニズムパラメータセットに対応するギャップの時間領域長のセットを事前設定することと、
前記アップリンクバーストとダウンリンクバーストとの間のギャップの時間領域長に対応する前記ＬＢＴメカニズム及び／又はＬＢＴメカニズムパラメータセットを選択することとを含み、又は
前記スイッチング関連情報が基地局からシグナリングされるＬＢＴリスト内の識別情報である場合、前記関連指示情報に基づいてＬＢＴメカニズム及び／又はＬＢＴメカニズムパラメータセットを決定することは、
当該送信デバイスと前記基地局との間で共有されるように前記スイッチングのためのＬＢＴメカニズムの情報リストを事前設定することと、
前記送信デバイスによって、前記基地局によって指示され又はブロードキャストされた情報リスト内の識別情報に基づいて、前記ＬＢＴメカニズム及び／又はＬＢＴメカニズムパラメータセットを決定することとを含み、又は
前記関連指示情報が送信バースト又は連続するアップリンクサブフレームにおけるスケジューリングされたサブフレームの位置である場合、前記関連指示情報に基づいてＬＢＴメカニズム及び／又はＬＢＴメカニズムパラメータセットを決定することは、
各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定することと、
前記送信バースト内又は連続するアップリンクサブフレーム内のスケジューリングされたサブフレームの位置に基づいて、前記ＬＢＴメカニズム及び／又はＬＢＴメカニズムパラメータセットを決定することとを含み、又は
前記関連指示情報がスケジューリング命令の送信のためのキャリアシナリオである場合、前記関連指示情報に基づいてＬＢＴメカニズム及び／又はＬＢＴメカニズムパラメータセットを決定することは、
同一キャリア内スケジューリング又はキャリア間スケジューリングに基づいて、ＬＢＴメカニズム及び／又はＬＢＴメカニズムパラメータセットを決定することを含む方法。
【請求項２６】
請求項１において、前記スイッチング関連情報がアップリンクバーストとダウンリンクバーストとの間のギャップの時間領域長である場合、
各ＬＢＴメカニズム及び／又はＬＢＴメカニズムパラメータセットに対応するギャップの時間領域長のセットを事前設定することと、
アップリンクバーストとダウンリンクバーストとの間のギャップの時間領域長が所定の閾値よりも短い場合、ＬＢＴメカニズム及び／又はＬＢＴメカニズムパラメータセットを適用しないと決定することとを含む方法。
【請求項２７】
請求項２１から２３のいずれかにおいて、前記関連指示情報に基づいてＬＢＴメカニズム及び／又はＬＢＴメカニズムパラメータセットを決定することは、
前記関連指示情報に基づいてＬＢＴメカニズムを決定した後、前記優先度情報における異なる優先度レベルに基づいて、前記ＬＢＴメカニズムに対応するＬＢＴメカニズムパラメータセットを決定することを含む方法。
【請求項２８】
請求項２７において、前記優先度情報における異なる優先度レベルに基づいて、前記ＬＢＴメカニズムに対応するＬＢＴメカニズムパラメータセットを決定することは、
前記優先度情報に含まれる異なる優先度に基づいて、所定の対応関係に従って、対応するＬＢＴメカニズム、ＬＢＴメカニズムパラメータセット、又はＬＢＴメカニズムパラメータセットのカテゴリを決定することを含み、
前記優先度情報は、トラフィックタイプのサービス品質（ＱｏＳ）優先度、チャネルの優先度、信号の優先度、及び／又は論理チャネルの優先度を含む方法。
【請求項２９】
請求項２８において、前記所定の対応関係に従って、対応するＬＢＴメカニズム、ＬＢＴメカニズムパラメータセット又はＬＢＴメカニズムパラメータセットのカテゴリを決定した後、
前記関連指示情報に基づいて、ＬＢＴメカニズムのより具体的なパラメータを決定することを更に含む方法。
【請求項３０】
請求項２において、前記決定されたＬＢＴメカニズム及び／又はＬＢＴメカニズムパラメータセットに基づいて、チャネルアクセスを実行するとき、
チャネルアクセスが１回失敗した場合、後続するチャネルアクセスの優先度情報に基づいて、より高い優先度レベルに対応するＬＢＴメカニズム及び／又はＬＢＴメカニズムパラメータセットを選択することと、
チャネルアクセスが１回成功した場合、後続するコンテンションベースのチャネルアクセスのための優先度情報に基づいて、より低い優先度レベルに対応するＬＢＴメカニズム及び／又はＬＢＴメカニズムパラメータセットを選択することと、
ＬＢＴメカニズム及び／又はＬＢＴメカニズムパラメータセットに基づくチャネルアクセスが失敗した回数が第１の所定の閾値に達した場合、コンテンションウィンドウ（ＣＷ）サイズがより小さい及び／又はクリアチャネル評価（ＣＣＡ）の時間長がより長いＬＢＴメカニズムパラメータセット、又はコンテンションベースのチャネルアクセスのためのより簡単な又はより高速のＬＢＴメカニズムを選択することと、
ＬＢＴメカニズム及び／又はＬＢＴメカニズムパラメータセットに基づくコンテンションベースのアクセスが成功した回数が第２の所定の閾値に達した場合、ＣＷサイズがより大きい及び／又はＣＣＡの時間長がより長いＬＢＴメカニズムパラメータセット、又はコンテンションベースのチャネルアクセスのためのより複雑なＬＢＴメカニズムを選択することとを更に含み、
前記第１の所定の閾値及び前記第２の所定の閾値は、予め定義され、統計に基づいて取得され、又は基地局によって指示される方法。
【請求項３１】
請求項１において、
最初の送信及び再送信について異なるＬＢＴメカニズム及び／又はＬＢＴメカニズムパラメータセットを選択することを含む方法。
【請求項３２】
請求項３１において、最初の送信及び再送信について異なるＬＢＴメカニズム及び／又はＬＢＴメカニズムパラメータセットを選択することは、
前記再送信のためのＬＢＴメカニズム及び／又はＬＢＴメカニズムパラメータセットとして、前記最初の送信のために選択されたＬＢＴメカニズム及び／又はＬＢＴメカニズムのパラメータセットと比較して、異なるＬＢＴメカニズム又はコンテンションウィンドウ（ＣＷ）サイズがより小さい及び／又はクリアチャネル評価（ＣＣＡ）の時間長がより短い同じＬＢＴメカニズムを決定することを含む方法。
【請求項３３】
請求項２において、複数の連続するアップリンクサブフレームについて、前記ＬＢＴメカニズム及び／又はＬＢＴメカニズムパラメータセットを決定することは、
それぞれのアップリンクサブフレームに同じＬＢＴメカニズム又はＬＢＴメカニズムパラメータセット又は異なるＬＢＴメカニズム又はＬＢＴメカニズムパラメータセットを使用することを決定することを含む方法。
【請求項３４】
請求項３３において、同一キャリア内スケジューリング及び複数の連続するアップリンクサブフレームについて、前記それぞれのアップリンクサブフレームについて、異なるＬＢＴメカニズム又はＬＢＴメカニズムパラメータセットを使用することを決定することは、
第１のアップリンクサブフレームが送信される前に、高速のチャネルアクセスのための高速のＬＢＴメカニズム及び／又はＬＢＴメカニズムパラメータセットを使用することを決定することと、
後続するアップリンクサブフレームのそれぞれについて、高速のチャネルアクセスのために、先行するアップリンクサブフレームのために使用されたＬＢＴメカニズム及びＬＢＴメカニズムパラメータセットよりも高速のＬＢＴメカニズム及び／又はＬＢＴメカニズムパラメータセットを決定することとを含み、
前記第１のアップリンクサブフレームに対して決定された高速のＬＢＴメカニズム又はＬＢＴメカニズムパラメータセットは、複数の直交周波数分割多重（ＯＦＤＭ）シンボルによって設定される方法。
【請求項３５】
請求項３４において、同一キャリア内スケジューリングについて、第１のアップリンクサブフレームが送信される前に、高速のコンテンションベースのチャネルアクセスのための高速のＬＢＴメカニズムとＬＢＴメカニズムパラメータセットを使用することを決定するとき、
後続するアップリンクサブフレームのそれぞれについて、高速のコンテンションベースのチャネルアクセスのためのＬＢＴメカニズム及び／又はＬＢＴメカニズムパラメータセットを使用しないことを決定する方法。
【請求項３６】
請求項３３において、同一キャリア内スケジューリング及び複数の連続するアップリンクサブフレームについて、前記それぞれのアップリンクサブフレームに同じＬＢＴメカニズム又はＬＢＴメカニズムパラメータセットを使用することを決定することは、
第１のアップリンクサブフレームが送信される前に、高速のチャネルアクセスのための高速のＬＢＴメカニズム及びＬＢＴメカニズムパラメータセットを使用することを決定することと、
後続するアップリンクサブフレームのそれぞれについて、高速のチャネルアクセスのために、前記第１のアップリンクサブフレームに使用されるＬＢＴメカニズム及びＬＢＴメカニズムパラメータセットと同じＬＢＴメカニズム及びＬＢＴメカニズムパラメータセットを使用することを決定することとを含み、
前記第１のアップリンクサブフレームに対して決定される前記高速のＬＢＴメカニズム及び／又はＬＢＴメカニズムパラメータセットは、複数の直交周波数分割多重（ＯＦＤＭ）シンボルによって設定され、前記後続するアップリンクサブフレームのそれぞれについて決定される前記高速のＬＢＴメカニズム及び／又はＬＢＴメカニズムパラメータセットは、１つのＯＦＤＭシンボルによって設定される方法。
【請求項３７】
請求項３４、３５又は３６において、前記高速のＬＢＴメカニズム及びＬＢＴメカニズムパラメータセットは、
ダウンリンクＬＢＴ  Ｃａｔ４のＣＷより小さい最大コンテンションウィンドウ（ＣＷ）を有するＬＢＴ  Ｃａｔ４メカニズム、又は
延長期間＋エンハンスドクリアチャネル評価（ＥＣＣＡ）プロセス、又は直接ＥＣＣＡ、又はエンハンスドＬＢＴ  Ｃａｔ２又はＬＢＴ  Ｃａｔ２の少なくとも１つを含む方法。
【請求項３８】
請求項３３において、キャリア間スケジューリング及び複数の連続するアップリンクサブフレームのために、前記各アップリンクサブフレームについて、異なるＬＢＴメカニズム又はＬＢＴメカニズムパラメータセットを使用することを決定することは、
ダウンリンクでデータを送信せず、免許が必要なキャリアを介してアップリンクグラント情報が送信される場合、第１のアップリンクサブフレームが送信される前に、通常のＬＢＴ  Ｃａｔ４メカニズムを使用することを決定することと、
後続するアップリンクサブフレームのそれぞれについて、先行するアップリンクサブフレームに使用されたＬＢＴ  Ｃａｔ４メカニズムよりコンテンションウィンドウ（ＣＷ）が小さい又はよりＬＢＴメカニズムがより簡単なＬＢＴ  Ｃａｔ４メカニズムを使用することを決定することとを含む方法。
【請求項３９】
請求項３８において、第１のアップリンクサブフレームについて決定された通常のＬＢＴ  Ｃａｔ４メカニズムは、複数の直交周波数分割多重（ＯＦＤＭ）シンボルによって設定され、後続するアップリンクフレームのそれぞれについて決定されたＬＢＴ  Ｃａｔ４メカニズム又はより簡単なＬＢＴメカニズムは、１つのＯＦＤＭシンボルによって設定される方法。
【請求項４０】
請求項２又は３３において、全てのサブフレームがアップリンクサブフレームである場合、
第１のアップリンクサブフレームを、第２のアップリンクサブフレームの前のＬＢＴメカニズム及び／又はＬＢＴメカニズムパラメータセットを適用するための位置として使用することと、
後続するアップリンクサブフレームのそれぞれについて、先行するアップリンクサブフレームの最後の直交周波数分割多重（ＯＦＤＭ）シンボルを、当該アップリンクサブフレームについてＬＢＴメカニズム及び／又はＬＢＴメカニズムパラメータセットを適用するための位置として使用する方法。
【請求項４１】
請求項２又は３３において、複数の連続するアップリンクサブフレームについて、
送信デバイスによって、送信バースト内のアップリンクサブフレームの位置を取得し、又はＬＢＴメカニズム及び／又はＬＢＴメカニズムパラメータセットを適用することを更に含み、これは、
固定フレーム構造の場合、
送信デバイスによって、スケジューリングされたサブフレームの位置に基づいて、所定の規則に従ってＬＢＴメカニズム及び／又はＬＢＴメカニズムパラメータセット適用すること、又は
フレキシブルなアップリンク／ダウンリンクサブフレーム構造の場合、
基地局によって、指示メッセージを介して、明示的に、スケジューリングされたサブフレームが最初のサブフレームであるか、最初のサブフレームの後ろの幾つかのサブフレームであるかを送信デバイスに通知すること、又は
基地局によって、動的ダウンリンク制御情報（ＤＣＩ）を介して、スケジューリングされたサブフレームに適用されるＬＢＴメカニズム及び／又はＬＢＴメカニズムパラメータセットを送信デバイスに指示することによって行われる方法。
【請求項４２】
請求項１において、送信デバイスから送信されたバースト内に複数の異なる優先度レベルが存在する場合、
所定のＬＢＴポリシに従ってチャネルアクセスを行うことを更に含む方法。
【請求項４３】
ＬＢＴ（Listen Before Talk）モードを決定するための装置であって、少なくとも、
関連指示情報及び／又は優先度情報及び／又は測定情報に基づいてＬＢＴメカニズム及び／又はＬＢＴメカニズムパラメータセットを決定するように構成されている決定ユニットを備える装置。
【請求項４４】
請求項４３において、
前記決定されたＬＢＴメカニズム及び／又はＬＢＴメカニズムパラメータセット送信デバイスに送信し、前記決定されたＬＢＴメカニズム及び／又はＬＢＴメカニズムパラメータセットに基づいて、コンテンションベースのチャネルアクセスを送信デバイスに実行させるフィードバックユニットを更に備える装置。
【請求項４５】
請求項４３において、前記ＬＢＴメカニズムは、ランダムバックオフを有さないＬＢＴメカニズム及びランダムバックオフを有するＬＢＴメカニズムを含む装置。
【請求項４６】
請求項４３において、前記ＬＢＴメカニズムパラメータセットは、
前記ＬＢＴメカニズムがＬＢＴ  Ｃａｔ４メカニズムである場合、ＬＢＴ  Ｃａｔ４メカニズムの最小ＣＷ、最大ＣＷ、延長期間の要素ｎの少なくとも１つであり、
前記ＬＢＴメカニズムがＬＢＴ  Ｃａｔ２メカニズムである場合、ＬＢＴ  Ｃａｔ２メカニズムのクリアチャネル評価（ＣＣＡ）の時間長である装置。
【請求項４７】
請求項４６において、前記ＬＢＴメカニズムがＬＢＴ  Ｃａｔ４メカニズムである場合、前記ＬＢＴメカニズムパラメータセットは、更に、第１のＣＣＡの時間長を含む装置。
【請求項４８】
請求項４３において、カテゴリ決定ユニットを更に備え、前記カテゴリ決定ユニットは、
前記ＬＢＴメカニズムがＬＢＴ  Ｃａｔ４メカニズムである場合、
ＬＢＴ  Ｃａｔ４のパラメータセットにおける最大ＣＷの値と最小ＣＷの値との差、及び／又は延長期間における要素ｎの大きさに基づいて、ＬＢＴメカニズムパラメータセットをそれぞれのカテゴリに分割し、
前記分割されるＬＢＴメカニズムパラメータセットのそれぞれのカテゴリは、部分的に重なり合う又は重なり合わない、それぞれのカテゴリの最大ＣＷ及び最小ＣＷに対応するＣＷ区間を有し、
前記ＬＢＴメカニズムがＬＢＴ  Ｃａｔ２メカニズムである場合、
前記ＬＢＴ  Ｃａｔ２のＣＣＡの異なる時間長に基づいて、前記ＬＢＴメカニズムパラメータセットをそれぞれのカテゴリに分割し、又は
前記ＬＢＴメカニズムがＬＢＴ  Ｃａｔ２及びＬＢＴ  Ｃａｔ４を含む場合、
ＣＣＡの異なる時間長、ＣＷのサイズ及び／又は延長期間における要素ｎの大きさに基づいてＬＢＴメカニズムパラメータセットをそれぞれのカテゴリに分割するように構成されている装置。
【請求項４９】
請求項４３において、前記決定ユニットは、
前記関連指示情報が送信データパケットのサイズである場合、
各ＬＢＴメカニズム及び／又はＬＢＴメカニズムパラメータセットに対応する、送信データのサイズのセットを事前設定し、
前記送信データパケットのサイズに対応するＬＢＴメカニズム及び／又はＬＢＴメカニズムパラメータセットを選択し、
前記スイッチング関連情報が連続的にスケジューリングされたサブフレームの数である場合、
各ＬＢＴメカニズム及び／又はＬＢＴメカニズムパラメータセットに対応する、連続的にスケジューリングされたサブフレームの数のセットを事前設定し、
前記連続的にスケジューリングされたサブフレームの数に対応するＬＢＴメカニズム及び／又はＬＢＴメカニズムパラメータセットを選択し、
前記スイッチング関連情報がダウンリンク制御情報（ＤＣＩ）シグナリングにおいて設定された１つ以上のビットである場合、
各ＬＢＴメカニズム及び／又はＬＢＴメカニズムパラメータセットに対応する、ＤＣＩシグナリングにおいて設定されているビット情報のセット及び／又はビット数を予め設定し、
コンテンションベースのチャネルアクセスのためのＤＣＩシグナリングにおいて設定されているビット情報及び／又はビット数に対応するＬＢＴメカニズム及び／又はＬＢＴメカニズムパラメータセットを選択し、
前記スイッチング関連情報がブロードキャストスキームである場合、
送信デバイスにブロードキャストされるＬＢＴリストセット内の識別情報、ＬＢＴメカニズムパラメータセットのカテゴリ、ＬＢＴメカニズム及び／又はＬＢＴメカニズムパラメータセットに基づいて、前記ＬＢＴメカニズム及び／又はＬＢＴメカニズムパラメータセットを決定し、
前記スイッチング関連情報がアップリンクバーストとダウンリンクバーストとの間のギャップの時間領域長である場合、
各ＬＢＴメカニズム及び／又はＬＢＴメカニズムパラメータセットに対応するギャップの時間領域長のセットを事前設定し、
前記アップリンクバーストとダウンリンクバーストとの間のギャップの時間領域長に対応する前記ＬＢＴメカニズム及び／又はＬＢＴメカニズムパラメータセットを決定し、
前記スイッチング関連情報が基地局からシグナリングされるＬＢＴリスト内の識別情報である場合、
当該送信デバイスと前記基地局との間で共有されるように前記スイッチングのためのＬＢＴメカニズムの情報リストを事前設定し、
前記送信デバイスによって、前記基地局によって指示され又はブロードキャストされた情報リスト内の識別情報に基づいて、前記ＬＢＴメカニズム及び／又はＬＢＴメカニズムパラメータセットを決定し、
前記関連指示情報が送信バースト又は連続するアップリンクサブフレームにおけるスケジューリングされたサブフレームの位置である場合、
各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定し、
前記送信バースト内又は連続するアップリンクサブフレーム内のスケジューリングされたサブフレームの位置に基づいて、前記ＬＢＴメカニズム及び／又はＬＢＴメカニズムパラメータセットを決定し、
前記関連指示情報がスケジューリング命令の送信のためのキャリアシナリオである場合、
同一キャリア内スケジューリング又はキャリア間スケジューリングに基づいて、ＬＢＴメカニズム及び／又はＬＢＴメカニズムパラメータセットを決定するように構成されている装置。
【請求項５０】
請求項４３において、
コンテンション処理ユニットを更に備え、前記コンテンション処理ユニットは、前記スイッチング関連情報がアップリンクバーストとダウンリンクバーストとの間のギャップの時間領域長である場合、
各ＬＢＴメカニズム及び／又はＬＢＴメカニズムパラメータセットに対応するギャップの時間領域長のセットを事前設定し、
アップリンクバーストとダウンリンクバーストとの間のギャップの時間領域長が所定の閾値よりも短い場合、ＬＢＴメカニズム及び／又はＬＢＴメカニズムパラメータセットを適用しないと決定するように構成されている装置。
【請求項５１】
請求項４３において、前記決定ユニットは、前記関連指示情報に基づいてＬＢＴメカニズムを決定した後、前記優先度情報における異なる優先度レベルに基づいて、前記ＬＢＴメカニズムに対応するＬＢＴメカニズムパラメータセットを決定するように構成されている装置。
【請求項５２】
請求項５１において、前記決定ユニットは、前記関連指示情報に基づいてＬＢＴメカニズムを決定した後、
前記優先度情報に含まれる異なる優先度に基づいて、所定の対応関係に従って、対応するＬＢＴメカニズム、ＬＢＴメカニズムパラメータセット、又はＬＢＴメカニズムパラメータセットのカテゴリを決定するように構成されており、
前記優先度情報は、トラフィックタイプのサービス品質（ＱｏＳ）優先度、チャネルの優先度、信号の優先度、及び／又は論理チャネルの優先度を含む装置。
【請求項５３】
請求項５１において、前記調整ユニットを備え、前記調整ユニットは、前記決定ユニットが、前記所定の対応関係に従って、対応するＬＢＴメカニズム、ＬＢＴメカニズムパラメータセット又はＬＢＴメカニズムパラメータセットのカテゴリを決定した後、
前記関連指示情報に基づいて、ＬＢＴメカニズムのより具体的なパラメータを決定するように構成されている装置。
【請求項５４】
請求項４４において、調整処理ユニットを更に備え、前記調整処理ユニットは、前記決定されたＬＢＴメカニズム及び／又はＬＢＴメカニズムパラメータセットに基づいて、コンテンションベースのチャネルアクセスを実行するとき、
コンテンションベースのアクセスが１回失敗した場合、後続するコンテンションベースのチャネルアクセスの優先度情報に基づいて、より高い優先度レベルに対応するＬＢＴメカニズム及び／又はＬＢＴメカニズムパラメータセットを選択し、
コンテンションベースのアクセスが１回成功した場合、後続するコンテンションベースのチャネルアクセスのための優先度情報に基づいて、より低い優先度レベルに対応するＬＢＴメカニズム及び／又はＬＢＴメカニズムパラメータセットを選択し、
ＬＢＴメカニズム及び／又はＬＢＴメカニズムパラメータセットに基づくコンテンションベースのアクセスが失敗した回数が第１の所定の閾値に達した場合、コンテンションウィンドウ（ＣＷ）サイズがより小さい及び／又はクリアチャネル評価（ＣＣＡ）の時間長がより長いＬＢＴメカニズムパラメータセット、又はコンテンションベースのチャネルアクセスのためのより簡単な又はより高速のＬＢＴメカニズムを選択し、
ＬＢＴメカニズム及び／又はＬＢＴメカニズムパラメータセットに基づくコンテンションベースのアクセスが成功した回数が第２の所定の閾値に達した場合、ＣＷサイズがより大きい及び／又はＣＣＡの時間長がより長いＬＢＴメカニズムパラメータセット、又はコンテンションベースのチャネルアクセスのためのより複雑なＬＢＴメカニズムを選択するように構成されており、
前記第１の所定の閾値及び前記第２の所定の閾値は、予め定義され、統計に基づいて取得され、又は基地局によって指示される装置。
【請求項５５】
請求項４３において、最初の送信及び再送信について異なるＬＢＴメカニズム及び／又はＬＢＴメカニズムパラメータセットが選択されるように、データの再送信のＬＢＴメカニズム及び／又はＬＢＴメカニズムパラメータセットを調整する再送信調整ユニットを更に備える装置。
【請求項５６】
請求項５５において、前記再送信調整ユニットは、前記再送信のためのＬＢＴメカニズム及び／又はＬＢＴメカニズムパラメータセットとして、前記最初の送信のために選択されたＬＢＴメカニズム及び／又はＬＢＴメカニズムのパラメータセットと比較して、異なるＬＢＴメカニズム又はコンテンションウィンドウ（ＣＷ）サイズがより小さい及び／又はクリアチャネル評価（ＣＣＡ）の時間長がより短い同じＬＢＴメカニズムを決定するように構成されている装置。
【請求項５７】
請求項４３において、前記決定ユニットは、更に、複数の連続するアップリンクサブフレームについて、
それぞれのアップリンクサブフレームに同じＬＢＴメカニズム又はＬＢＴメカニズムパラメータセット又は異なるＬＢＴメカニズム又はＬＢＴメカニズムパラメータセットを使用することを決定するように構成されている装置。
【請求項５８】
請求項４３において、前記決定ユニットは、更に、同一キャリア内スケジューリング及び複数の連続するアップリンクサブフレームについて、
第１のアップリンクサブフレームが送信される前に、高速のコンテンションベースのチャネルアクセスのための高速のＬＢＴメカニズム及び／又はＬＢＴメカニズムパラメータセットを使用することを決定し、
後続するアップリンクサブフレームのそれぞれについて、先行するアップリンクサブフレームのために、高速のコンテンションベースのチャネルアクセスのために使用されたＬＢＴメカニズム及びＬＢＴメカニズムパラメータセットよりも高速のＬＢＴメカニズム及び／又はＬＢＴメカニズムパラメータセットを決定するように構成されており、
前記第１のアップリンクサブフレームに対して決定された高速のＬＢＴメカニズム又はＬＢＴメカニズムパラメータセットは、複数の直交周波数分割多重（ＯＦＤＭ）シンボルによって設定される装置。
【請求項５９】
請求項４３において、前記決定ユニットは、更に、同一キャリア内スケジューリングについて、
第１のアップリンクサブフレームが送信される前に、高速のコンテンションベースのチャネルアクセスに高速のＬＢＴメカニズムとＬＢＴメカニズムパラメータセットを使用することを決定し、
後続するアップリンクサブフレームのそれぞれについて、高速のコンテンションベースのチャネルアクセスのためのＬＢＴメカニズム及び／又はＬＢＴメカニズムパラメータセットを使用しないことを決定するように構成されている装置。
【請求項６０】
請求項４３において、前記決定ユニットは、更に、同一キャリア内スケジューリング及び複数の連続するアップリンクサブフレームについて、
第１のアップリンクサブフレームが送信される前に、高速のコンテンションベースのチャネルアクセスのための高速のＬＢＴメカニズム及びＬＢＴメカニズムパラメータセットを使用することを決定し、
後続するアップリンクサブフレームのそれぞれについて、高速のコンテンションベースのチャネルアクセスのために前記第１のアップリンクサブフレームに使用されるＬＢＴメカニズム及びＬＢＴメカニズムパラメータセットと同じＬＢＴメカニズム及びＬＢＴメカニズムパラメータセットを使用することを決定するように構成され、
前記第１のアップリンクサブフレームに対して決定される前記高速のＬＢＴメカニズム及び／又はＬＢＴメカニズムパラメータセットは、複数の直交周波数分割多重（ＯＦＤＭ）シンボルによって設定され、前記後続するアップリンクサブフレームのそれぞれについて決定される前記高速のＬＢＴメカニズム及び／又はＬＢＴメカニズムパラメータセットは、１つのＯＦＤＭシンボルによって設定される装置。
【請求項６１】
請求項４３において、前記決定ユニットは、更に、キャリア間スケジューリング及び複数の連続するアップリンクサブフレームのために、
ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、
後続するアップリンクサブフレームのそれぞれについて、先行するアップリンクサブフレームに使用されたＬＢＴ  Ｃａｔ４メカニズムよりコンテンションウィンドウ（ＣＷ）が小さい又はよりＬＢＴメカニズムがより簡単なＬＢＴ  Ｃａｔ４メカニズムを使用することを決定するように構成されている装置。
【請求項６２】
請求項４３において、前記決定ユニットは、更に、キャリア間スケジューリングのために、
ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、
後続するアップリンクサブフレームのそれぞれについて、高速のコンテンションベースのチャネルアクセスにＬＢＴメカニズム及び／又はＬＢＴメカニズムパラメータセットを適用しないことを決定するように構成されている装置。
【請求項６３】
請求項４３において、前記決定ユニットは、更に、キャリア間スケジューリング及び複数の連続するアップリンクサブフレームのために、
ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、
後続するアップリンクサブフレームのそれぞれについて、先行するアップリンクサブフレームに使用されたＬＢＴ  Ｃａｔ４メカニズムよりコンテンションウィンドウ（ＣＷ）が小さい又はよりＬＢＴメカニズムがより簡単なＬＢＴ  Ｃａｔ４メカニズムを使用することを決定するように構成され、
第１のアップリンクサブフレームについて決定されたＬＢＴ  Ｃａｔ４メカニズムは、複数の直交周波数分割多重（ＯＦＤＭ）シンボルによって設定され、後続するアップリンクサブフレームのそれぞれについて決定されるＬＢＴ  Ｃａｔ４メカニズム又はより簡単なＬＢＴメカニズムは、１つのＯＦＤＭシンボルによって設定される装置。
【請求項６４】
請求項４４又は５７において、位置決定ユニットを更に備え、前記位置決定ユニットは、複数の連続するアップリンクサブフレームについて、
第１のアップリンクサブフレームを、第２のアップリンクサブフレームの前のＬＢＴメカニズム及び／又はＬＢＴメカニズムパラメータセットを適用するための位置として使用し、
後続するアップリンクサブフレームのそれぞれについて、先行するアップリンクサブフレームの最後の直交周波数分割多重（ＯＦＤＭ）シンボルを、当該アップリンクサブフレームについてＬＢＴメカニズム及び／又はＬＢＴメカニズムパラメータセットを適用するための位置として使用するように構成されている装置。
【請求項６５】
請求項４４又は５７において、送信バースト内のアップリンクサブフレームの位置を取得し、又はＬＢＴメカニズム及び／又はＬＢＴメカニズムパラメータセットを適用する取得ユニットを更に備え、これは、
固定フレーム構造の場合、
送信デバイスによって、スケジューリングされたサブフレームの位置に基づいて、所定の規則に従ってＬＢＴメカニズム及び／又はＬＢＴメカニズムパラメータセット適用すること、又は
フレキシブルなアップリンク／ダウンリンクサブフレーム構造の場合、
基地局によって、指示メッセージを介して、明示的に、スケジューリングされたサブフレームが最初のサブフレームであるか、最初のサブフレームの後ろの幾つかのサブフレームであるかを送信デバイスに通知すること、又は
基地局によって、動的ダウンリンク制御情報（ＤＣＩ）を介して、スケジューリングされたサブフレームに適用されるＬＢＴメカニズム及び／又はＬＢＴメカニズムパラメータセットを送信デバイスに指示することによって行われる装置。
【請求項６６】
請求項４３において、優先度ポリシユニットを更に備え、前記優先度ポリシユニットは、送信デバイスから送信されたバースト内に複数の異なる優先度レベルが存在する場合、
所定の優先度ポリシに従って、ＬＢＴメカニズム及び／又はＬＢＴメカニズムパラメータセットを決定するように構成されている装置。
【請求項６７】
請求項７において、前記ＬＢＴメカニズム又はＬＢＴメカニズムのパラメータセットは、
ユーザ装置（ＵＥ）がスケジューリングされるサブフレームに関する情報に基づいて前記ＬＢＴメカニズム又はＬＢＴメカニズムパラメータセットを決定すること、
基地局から前記ＵＥに送信されるダウンリンク制御情報（ＤＣＩ）シグナリングに基づいて前記ＬＢＴメカニズム又はＬＢＴメカニズムパラメータセットを決定すること、及び
上位層無線リソース制御（ＲＲＣ）シグナリングに基づいて前記ＬＢＴメカニズム又はＬＢＴメカニズムパラメータセットを決定すること
のうちの１つによって取得される方法。
【請求項６８】
請求項６７において、前記ＵＥがスケジューリングされるサブフレームに関する情報は、物理層のＤＣＩシグナリングに基づいて決定される方法。
【請求項６９】
請求項１において、複数のアップリンクサブフレームの場合、又は複数の連続するサブフレームがスケジューリングされる場合、
第１のアップリンクサブフレームにＬＢＴ  Ｃａｔ４が適用され、複数の後続するアップリンクサブフレームにＬＢＴ  Ｃａｔ２が適用され、又は
第１のアップリンクサブフレームにＬＢＴ  Ｃａｔ２が適用され、複数の後続するアップリンクサブフレームにＬＢＴ  Ｃａｔ２が適用され、又は
第１のアップリンクサブフレームにＬＢＴ  Ｃａｔ４が適用され、複数の後続するアップリンクサブフレームにＬＢＴ  Ｃａｔ４が適用され、又は
第１のアップリンクサブフレームにＬＢＴ  Ｃａｔ４が適用され、複数の後続するアップリンクサブフレームのそれぞれに、先行するサブフレームより小さなコンテンションウィンドウ（ＣＷ）が適用され、又は
第１のアップリンクサブフレームにＬＢＴ  Ｃａｔ４が適用され、複数の後続するアップリンクサブフレームにＬＢＴが適用されず、又は
第１のアップリンクサブフレームにＬＢＴ  Ｃａｔ２が適用され、複数の後続するアップリンクサブフレームにＬＢＴが適用されない方法。
【請求項７０】
請求項１又は６９において、複数のアップリンクサブフレームの場合、又は複数の連続するサブフレームがスケジューリングされる場合、
アップリンクサブフレームでＬＢＴが成功した場合、後続するアップリンクサブフレームにＬＢＴが適用されず、又は
アップリンクサブフレームでＬＢＴが成功した場合、基地局によってシグナリングされるＬＢＴメカニズム又はＬＢＴメカニズムパラメータセットに基づいて、後続するアップリンクサブフレームにＬＢＴが適用され、又は
アップリンクサブフレームでＬＢＴが失敗した場合、該アップリンクサブフレームに適用されたものと同じＬＢＴメカニズム又はＬＢＴメカニズムパラメータセットに基づいて、次のアップリンクサブフレームにＬＢＴが適用され、又は
アップリンクサブフレームでＬＢＴが失敗した場合、前記基地局によって設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、予め設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、デフォルトのＬＢＴメカニズム又はＬＢＴメカニズムのパラメータセットに基づいて次のアップリンクサブフレームにＬＢＴが適用される方法。
【請求項７１】
請求項１において、ユーザ装置（ＵＥ）が、設定されたＬＢＴメカニズム又はＬＢＴメカニズムパラメータセットに基づくチャネルアクセスに複数回連続して失敗した場合、
ＬＢＴ優先度、前記ＬＢＴメカニズム又は前記ＬＢＴメカニズムパラメータセットを調整することを更に含み、この調整は、
基地局によってシグナリングされる指示、
フィードバック情報の測定、
干渉条件の測定、及び
送信されるチャネル、送信される信号、送信される論理チャネル、又は送信されるトラフィックの種類のうちの少なくとも１つの優先度
の１つに基づいて行われる方法。
【請求項７２】
請求項６７において、物理層ＤＣＩシグナリング又は上位層ＲＲＣシグナリングに、前記ＬＢＴメカニズム又は前記ＬＢＴメカニズムパラメータセットを示す情報要素（ＩＥ）フィールドが追加され、前記ＩＥフィールドは、ｎビットを使用し、ｎは、１以上の整数である方法。
【請求項７３】
請求項４９において、ＬＢＴメカニズム又はＬＢＴメカニズムのパラメータセットは、
ユーザ装置（ＵＥ）がスケジューリングされるサブフレームに関する情報に基づいて前記ＬＢＴメカニズム又はＬＢＴメカニズムパラメータセットを決定すること、
基地局から前記ＵＥに送信されるダウンリンク制御情報（ＤＣＩ）シグナリングに基づいて前記ＬＢＴメカニズム又はＬＢＴメカニズムパラメータセットを決定すること、及び
上位層無線リソース制御（ＲＲＣ）シグナリングに基づいて前記ＬＢＴメカニズム又はＬＢＴメカニズムパラメータセットを決定すること
のうちの１つによって取得される装置。
【請求項７４】
請求項７３において、前記ＵＥがスケジューリングされるサブフレームに関する情報は、物理層のＤＣＩシグナリングに基づいて決定される装置。
【請求項７５】
請求項４３において、複数のアップリンクサブフレームの場合、又は複数の連続するサブフレームがスケジューリングされる場合、
第１のアップリンクサブフレームにＬＢＴ  Ｃａｔ４が適用され、複数の後続するアップリンクサブフレームにＬＢＴ  Ｃａｔ２が適用され、又は
第１のアップリンクサブフレームにＬＢＴ  Ｃａｔ２が適用され、複数の後続するアップリンクサブフレームにＬＢＴ  Ｃａｔ２が適用され、又は
第１のアップリンクサブフレームにＬＢＴ  Ｃａｔ４が適用され、複数の後続するアップリンクサブフレームにＬＢＴ  Ｃａｔ４が適用され、又は
第１のアップリンクサブフレームにＬＢＴ  Ｃａｔ４が適用され、複数の後続するアップリンクサブフレームのそれぞれに、先行するサブフレームより小さなコンテンションウィンドウ（ＣＷ）が適用され、又は
第１のアップリンクサブフレームにＬＢＴ  Ｃａｔ４が適用され、複数の後続するアップリンクサブフレームにＬＢＴが適用されず、又は
第１のアップリンクサブフレームにＬＢＴ  Ｃａｔ２が適用され、複数の後続するアップリンクサブフレームにＬＢＴが適用されない装置。
【請求項７６】
請求項１又は請求項７５において、複数のアップリンクサブフレームの場合、又は複数の連続するサブフレームがスケジューリングされる場合、
アップリンクサブフレームでＬＢＴが成功した場合、後続するアップリンクサブフレームにＬＢＴが適用されず、又は
アップリンクサブフレームでＬＢＴが成功した場合、基地局によってシグナリングされるＬＢＴメカニズム又はＬＢＴメカニズムパラメータセットに基づいて、後続するアップリンクサブフレームにＬＢＴが適用され、又は
アップリンクサブフレームでＬＢＴが失敗した場合、該アップリンクサブフレームに適用されたものと同じＬＢＴメカニズム又はＬＢＴメカニズムパラメータセットに基づいて、次のアップリンクサブフレームにＬＢＴが適用され、又は
アップリンクサブフレームでＬＢＴが失敗した場合、前記基地局によって設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、予め設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、デフォルトのＬＢＴメカニズム又はＬＢＴメカニズムのパラメータセットに基づいて、次のアップリンクサブフレームにＬＢＴが適用される装置。
【請求項７７】
請求項４３において、ユーザ装置（ＵＥ）が、設定されたＬＢＴメカニズム又はＬＢＴメカニズムパラメータセットに基づくチャネルアクセスに複数回連続して失敗した場合、ＬＢＴ優先度、前記ＬＢＴメカニズム又は前記ＬＢＴメカニズムパラメータセットが調整され、この調整は、
基地局によってシグナリングされる指示、
フィードバック情報の測定、
干渉条件の測定、及び
送信されるチャネル、送信される信号、送信される論理チャネル、又は送信されるトラフィックの種類のうちの少なくとも１つの優先度
の１つに基づいて行われる装置。
【請求項７８】
請求項７３において、物理層ＤＣＩシグナリング又は上位層ＲＲＣシグナリングに、前記ＬＢＴメカニズム又は前記ＬＢＴメカニズムパラメータセットを示す情報要素（ＩＥ）フィールドが追加され、前記ＩＥフィールドは、ｎビットを使用し、ｎは、１以上の整数である装置。
【発明の詳細な説明】
【技術分野】
【０００１】
本開示は、無線通信技術に関し、特に、ＬＢＴ（Listen Before Talk）モードスイッチング方法及び装置に関する。
【背景技術】
【０００２】
データトラフィックの急速な増加に伴い、免許が必要なスペクトル内のキャリアへのデータ伝送負荷が益々大きくなっている。したがって、免許が必要なキャリア上のデータトラフィックを、免許が不要なスペクトルのキャリアに分担させることが、今後のＬＴＥ（Long Term Evolution）の開発が進むべき方向である。免許が不要なスペクトルには、以下のような幾つかの利点がある。これらのスペクトルリソースは、無料又は安価であり、購入のための料金が不要である。これらは、参入障壁が低いので、個人及び企業の両方が参入できる。また、これらは、５ＧＨｚと２．４ＧＨｚの周波数帯を含み、広い帯域幅が利用可能である。更に、これらは、リソース共有の特徴を有し、これにより、複数の異なるシステム、又は１つのシステムの複数の異なるオペレータがこれを動作させて、リソース共有によってスペクトル利用効率を向上させることができる。
【０００３】
免許が不要なスペクトルの上記の利点を考慮して、ＬＴＥリリース１３は、免許が不要なスペクトルのキャリアを使用するＬＴＥシステムの運用に関する重要な課題を含む研究を２０１４年９月から開始した。この課題に関連する技術により、ＬＴＥシステムは、免許が不要なスペクトル内に存在するキャリアを使用でき、これにより、ＬＴＥシステムの潜在的なスペクトルリソースを大幅に増加させ、ＬＴＥシステムのスペクトル資源のコストを更に削減することができる。免許が不要なスペクトルにおけるキャリアリソースの使用は、ＬＴＥシステムの開発にメリットをもたらす一方で、ＬＡＡ（Licensed-Assisted Access）システムと他の通信技術（例えば、Ｗｉ−Ｆｉ）との間の公平な共存に関する問題を引き起こす。更に、一部の地域の規制では、免許が不要なスペクトルのキャリアにアクセスするために、最初に、ＬＢＴ（Listen Before Talk）メカニズムを実行する必要がある。すなわち、ＬＡＡデバイス、例えば、ｅＮＢ（evolved NodeB）及び／又はユーザ装置（User Equipment：ＵＥ）は、他の通信技術（例えば、Ｗｉ−Ｆｉ）との共存を図るために、これらの地域のＬＢＴの要件を満たさなければならない。
【０００４】
Ｒ１３  ＬＡＡ  ＳＩステージにおけるＬＴＥ−Ｕトピックにおける更なる研究に基づき、最終的には、ＷＩステージの第１回ミーティング（３ＧＰＰ  ＲＡＮ１  ＃８２）において、ＵＥがアップリンク送信前にＬＢＴメカニズムを適用することを必要とするか否かに関する合意が形成されている。すなわち、システムのアップリンク性能を向上させるために、ＵＥは、送信前にＬＢＴメカニズムを個別に適用しなければならない。一方、アップリンクＬＢＴには幾つかのタイプの候補モードが利用可能であり、更に、同じ１つのモードが異なる構成を有することもある。ここで、アップリンクＬＢＴモードの候補には、ランダムバックオフを有さないＬＢＴメカニズムであるＬＢＴカテゴリ（Ｃａｔ）２、ランダムバックオフ及び固定コンテンションウィンドウ（ＣＷ）サイズを有するＬＢＴメカニズムであるＬＢＴ  Ｃａｔ３、並びにランダムバックオフ及び可変ＣＷサイズを有するＬＢＴメカニズムであるＬＢＴ  Ｃａｔ４が含まれる。更に、異なる優先度レベル又は要件に応じて、何らかのＬＢＴメカニズムのための何らかのパラメータセットが必要となることもある。
【０００５】
したがって、現在ＬＡＡアップリンクについて、幾つかの運用上の仮定が合意されているが、アップリンクＬＢＴモードの候補間、又は１つのＬＢＴモードにおける構成パラメータの異なるセット間でスイッチングを行うためのソリューションは、規定されていない。不適切なＬＢＴモードが選択される場合、例えば、アップリンクシステムにおいて１つの構成されたＬＢＴモード又はパラメータセットのみが採用される場合、その性能は、低下する。更に、不適切なＬＢＴモードが構成される場合、ＵＥに割り当てられるリソースの浪費、アップリンク指示情報の浪費、コンテンションベースのアクセス速度の低下、又は不公平等の問題が生じる可能性がある。
【発明の概要】
【課題を解決するための手段】
【０００６】
上述の課題を解決するために、本開示の実施形態は、コンテンションベースのチャネルアクセスのためのＬＢＴモードを明確に定義し、ＬＢＴモードの不適切な選択による問題を回避できるＬＢＴモードスイッチングのための方法及び装置を提供する。
【０００７】
本開示の目的は、ＬＢＴ（Listen Before Talk）モードスイッチングのための方法を提供することによって達成される。この方法は、関連指示情報及び／又は優先度情報及び／又は測定情報に基づいてＬＢＴメカニズム及び／又はＬＢＴメカニズムパラメータセットを決定することを含む。
【０００８】
オプションとして、この方法は、送信デバイスによって、決定されたＬＢＴメカニズム及び／又はＬＢＴメカニズムパラメータセットに基づいて、チャネルアクセスを実行することを更に含む。
【０００９】
オプションとして、関連指示情報は、送信データパケットのサイズ、連続的にスケジューリングされたサブフレームの数、物理ダウンリンク制御情報（ＤＣＩ）シグナリングにおいて設定されている１つ以上のビット、ブロードキャストスキーム、アップリンク送信バーストとダウンリンク送信バーストとの間のギャップの時間領域長、基地局からシグナリングされるＬＢＴリスト内の識別情報、送信バースト又は連続するアップリンクサブフレームにおけるスケジューリングされたサブフレームの位置、１つの送信バーストの長さ、及び／又はスケジューリング命令の送信のためのキャリアシナリオを含む。
【００１０】
オプションとして、優先度情報は、トラフィックタイプのサービス品質（ＱｏＳ）優先度、又はチャネルの優先度、信号の優先度、論理チャネルの優先度、及び／又はチャネル、信号及び論理チャネルの優先度を含む。
【００１１】
オプションとして、優先度情報は、更に、論理チャネルの優先度レベルを物理送信チャネルにマッピングすることによって得られる物理送信チャネルの優先度を含む。
【００１２】
オプションとして、測定情報は、所定の時間長内のチャネル状態情報（Channel State Information：ＣＳＩ）、所定の時間長内の基準信号受信電力（Reference Signal Received Power：ＲＳＲＰ）、所定の時間長内の基準信号受信品質（Reference Signal Received Quality：ＲＳＲＱ）、ハイブリッド自動再送要求−確認（Hybrid Automatic Repeat reQuest-Acknowledge：ＨＡＲＱ−ＡＣＫ）情報、又は測定された干渉に関する情報を含む。
【００１３】
オプションとして、ＬＢＴメカニズムは、ランダムバックオフを有さないＬＢＴメカニズム又はランダムバックオフを有するＬＢＴメカニズムを含む。
【００１４】
オプションとして、ランダムバックオフを有さないＬＢＴメカニズムは、ＬＢＴ  Ｃａｔ２メカニズム又はエンハンスドＬＢＴ  Ｃａｔ２メカニズムを含む。
【００１５】
オプションとして、ＬＢＴ  Ｃａｔ２メカニズムは、クリアチャネル評価（Clear Channel Assessment：ＣＣＡ）を一回だけ実行するＬＢＴメカニズムである。
【００１６】
オプションとして、エンハンスドＬＢＴ  Ｃａｔ２メカニズムは、２回以上のクリアチャネル評価（ＣＣＡ）を実行するＬＢＴメカニズムである。
【００１７】
オプションとして、各ＣＣＡは、固定又はランダムの開始位置を有する。
【００１８】
オプションとして、各ＣＣＡは、３４マイクロ秒（μｓ）、２５μｓ、２０μｓ、１６μｓ、９μｓ、又は４μｓの時間長を有する。
【００１９】
オプションとして、ランダムバックオフを有するＬＢＴメカニズムは、可変コンテンションウィンドウ（ＣＷ）サイズを有するＬＢＴ  Ｃａｔ４メカニズム及び固定ＣＷサイズを有するＬＢＴ  Ｃａｔ３メカニズムを含む。
【００２０】
オプションとして、ＬＢＴ  Ｃａｔ４メカニズムは、第１のクリアチャネル評価（ＣＣＡ）、延長期間、最大コンテンションウィンドウＣＷｍａｘ、最小コンテンションウィンドウＣＷｍｉｎ、及びランダムバックオフ値Ｎのうちの少なくとも１つのパラメータを含む。
【００２１】
オプションとして、延長期間は、延長時間＋ｎ×スロット、又はｎ×スロット＋延長時間であり、ここで、ｎは、［０，２］の区間の整数であり、スロットは、９μｓの時間長を有し、延長時間は、１６μｓである。
【００２２】
オプションとして、第１のＣＣＡの時間長は、３４マイクロ秒（μｓ）、２５μｓ、２０μｓ、１６μｓ、９μｓ又は４μｓである。
【００２３】
オプションとして、ランダムバックオフ値Ｎは、基地局によって指示され、ランダムに生成され、又は所定の値である。
【００２４】
オプションとして、ランダムバックオフ値Ｎは、［０，ｑ−１］の区間からランダムに選択された値であり、ｑは、［ＣＷｍｉｎ，ＣＷｍａｘ］の区間からランダムに選択された値である。
【００２５】
オプションとして、ＬＢＴメカニズムパラメータセットは、ＬＢＴメカニズムがＬＢＴ  Ｃａｔ４メカニズムである場合、ＬＢＴ  Ｃａｔ４メカニズムの最小ＣＷ、最大ＣＷ、延長期間の要素ｎの少なくとも１つであり、ＬＢＴメカニズムがＬＢＴ  Ｃａｔ２メカニズムである場合、ＬＢＴ  Ｃａｔ２メカニズムのクリアチャネル評価（ＣＣＡ）の時間長である。
【００２６】
オプションとして、ＬＢＴメカニズムがＬＢＴ  Ｃａｔ４メカニズムである場合、ＬＢＴメカニズムパラメータセットは、更に、第１のＣＣＡの時間長を含む。
【００２７】
オプションとして、この方法は、ＬＢＴメカニズムがＬＢＴ  Ｃａｔ４メカニズムである場合、ＬＢＴ  Ｃａｔ４のパラメータセットにおける最大ＣＷの値と最小ＣＷの値との差、及び／又は延長期間における要素ｎの大きさに基づいて、ＬＢＴメカニズムパラメータセットをそれぞれのカテゴリに分割することを更に含む。分割されるＬＢＴメカニズムパラメータセットのそれぞれのカテゴリは、部分的に重なり合う又は重なり合わない、それぞれのカテゴリの最大ＣＷ及び最小ＣＷに対応するＣＷ区間を有する。
【００２８】
オプションとして、この方法は、ＬＢＴメカニズムがＬＢＴ  Ｃａｔ２メカニズムである場合、ＬＢＴ  Ｃａｔ２のＣＣＡの異なる時間長に基づいて、ＬＢＴメカニズムパラメータセットをそれぞれのカテゴリに分割することを更に含む。
【００２９】
オプションとして、この方法は、ＬＢＴメカニズムがＬＢＴ  Ｃａｔ２及びＬＢＴ  Ｃａｔ４を含む場合、ＣＣＡの異なる時間長、ＣＷのサイズ及び／又は延長期間における要素ｎの大きさに基づいてＬＢＴメカニズムパラメータセットをそれぞれのカテゴリに分割することを更に含む。
【００３０】
オプションとして、ＬＢＴメカニズムパラメータセットのそれぞれのカテゴリは、優先度に基づいており、予め定めらており、利用可能な最大ＣＷの値に基づいて分割され、ＣＣＡの時間長に基づいて分割され、基地局によって指示され、又はダウンリンク制御情報（Downlink Control Information：ＤＣＩ）で動的に指示される。
【００３１】
オプションとして、関連指示情報が送信データパケットのサイズである場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応する、送信データのサイズのセットを事前設定することと、送信データパケットのサイズに対応するＬＢＴメカニズム及び／又はＬＢＴメカニズムパラメータセットを選択することとを含む。
【００３２】
スイッチング関連情報が連続的にスケジューリングされた複数のサブフレームの数である場合、関連指示情報に基づいて、ＬＢＴメカニズム及び／又はＬＢＴメカニズムパラメータセットを決定する動作は、各ＬＢＴメカニズム及び／又はＬＢＴメカニズムパラメータセットに対応する、連続的にスケジューリングされたサブフレームの数のセットを事前設定することと、連続的にスケジューリングされたサブフレームの数に対応するＬＢＴメカニズム及び／又はＬＢＴメカニズムパラメータセットを選択することとを含む。
【００３３】
スイッチング関連情報がダウンリンク制御情報（ＤＣＩ）シグナリングにおいて設定された１つ以上のビットである場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応する、ＤＣＩシグナリングにおいて設定されているビット情報のセット及び／又はビット数を予め設定することと、ＤＣＩシグナリングにおいて設定されているビット情報及び／又はビット数に対応するＬＢＴメカニズム及び／又はＬＢＴメカニズムパラメータセットを選択することとを含む。
【００３４】
スイッチング関連情報がブロードキャストスキームである場合、関連指示情報に基づいてＬＢＴメカニズム及び／又はＬＢＴメカニズムパラメータセットを決定する動作は、送信デバイスにブロードキャストされるＬＢＴリストセット内の識別情報、ＬＢＴメカニズムパラメータセットのカテゴリ、ＬＢＴメカニズム及び／又はＬＢＴメカニズムパラメータセットに基づいて、ＬＢＴメカニズム及び／又はＬＢＴメカニズムパラメータセットを決定することを含む。
【００３５】
スイッチング関連情報がアップリンクバーストとダウンリンクバーストとの間のギャップの時間領域長である場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応するギャップの時間領域長のセットを事前設定することと、アップリンクバーストとダウンリンクバーストとの間のギャップの時間領域長に対応するＬＢＴメカニズム及び／又はＬＢＴメカニズムパラメータセットを選択することとを含む。
【００３６】
スイッチング関連情報が基地局からシグナリングされるＬＢＴリスト内の識別情報である場合、関連指示情報に基づいてＬＢＴメカニズム及び／又はＬＢＴメカニズムパラメータセットを決定する動作は、当該送信デバイスと基地局との間で共有されるようにスイッチングのためのＬＢＴメカニズムの情報リストを事前設定することと、送信デバイスによって、基地局によって指示され又はブロードキャストされた情報リスト内の識別情報に基づいて、ＬＢＴメカニズム及び／又はＬＢＴメカニズムパラメータセットを決定することとを含む。
【００３７】
関連指示情報が送信バースト又は連続するアップリンクサブフレームにおけるスケジューリングされたサブフレームの位置である場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定することと、送信バースト内又は連続するアップリンクサブフレーム内のスケジューリングされたサブフレームの位置に基づいて、ＬＢＴメカニズム及び／又はＬＢＴメカニズムパラメータセットを決定することとを含む。
【００３８】
関連指示情報がスケジューリング命令の送信のためのキャリアシナリオである場合、関連指示情報に基づいてＬＢＴメカニズム及び／又はＬＢＴメカニズムパラメータセットを決定する動作は、同一キャリア内スケジューリング又はキャリア間スケジューリングに基づいて、ＬＢＴメカニズム及び／又はＬＢＴメカニズムパラメータセットを決定することを含む。
【００３９】
オプションとして、この方法は、スイッチング関連情報がアップリンクバーストとダウンリンクバーストとの間のギャップの時間領域長である場合、各ＬＢＴメカニズム及び／又はＬＢＴメカニズムパラメータセットに対応するギャップの時間領域長のセットを事前設定することと、アップリンクバーストとダウンリンクバーストとの間のギャップの時間領域長が所定の閾値よりも短い場合、ＬＢＴメカニズム及び／又はＬＢＴメカニズムパラメータセットを適用しないと決定することとを含む。
【００４０】
オプションとして、関連指示情報に基づいてＬＢＴメカニズム及び／又はＬＢＴメカニズムパラメータセットを決定する動作は、関連指示情報に基づいてＬＢＴメカニズムを決定した後、優先度情報における異なる優先度レベルに基づいて、ＬＢＴメカニズムに対応するＬＢＴメカニズムパラメータセットを決定することを含む。
【００４１】
優先度情報における異なる優先度レベルに基づいて、ＬＢＴメカニズムに対応するＬＢＴメカニズムパラメータセットを決定する動作は、優先度情報に含まれる異なる優先度に基づいて、所定の対応関係に従って、対応するＬＢＴメカニズム、ＬＢＴメカニズムパラメータセット、又はＬＢＴメカニズムパラメータセットのカテゴリを決定することを含む。優先度情報は、トラフィックタイプのサービス品質（ＱｏＳ）優先度、チャネルの優先度、信号の優先度、及び／又は論理チャネルの優先度を含む。
【００４２】
オプションとして、この方法は、所定の対応関係に従って、対応するＬＢＴメカニズム、ＬＢＴメカニズムパラメータセット又はＬＢＴメカニズムパラメータセットのカテゴリを決定した後、関連指示情報に基づいて、ＬＢＴメカニズムのより具体的なパラメータを決定することを更に含む。
【００４３】
オプションとして、この方法は、決定されたＬＢＴメカニズム及び／又はＬＢＴメカニズムパラメータセットに基づいて、チャネルアクセスを実行するとき、チャネルアクセスが１回失敗した場合、後続するチャネルアクセスの優先度情報に基づいて、より高い優先度レベルに対応するＬＢＴメカニズム及び／又はＬＢＴメカニズムパラメータセットを選択することと、チャネルアクセスが１回成功した場合、後続するコンテンションベースのチャネルアクセスのための優先度情報に基づいて、より低い優先度レベルに対応するＬＢＴメカニズム及び／又はＬＢＴメカニズムパラメータセットを選択することと、ＬＢＴメカニズム及び／又はＬＢＴメカニズムパラメータセットに基づくチャネルアクセスが失敗した回数が第１の所定の閾値に達した場合、コンテンションウィンドウ（ＣＷ）サイズがより小さい及び／又はクリアチャネル評価（ＣＣＡ）の時間長がより長いＬＢＴメカニズムパラメータセット、又はコンテンションベースのチャネルアクセスのためのより簡単な又はより高速のＬＢＴメカニズムを選択することと、ＬＢＴメカニズム及び／又はＬＢＴメカニズムパラメータセットに基づくコンテンションベースのアクセスが成功した回数が第２の所定の閾値に達した場合、ＣＷサイズがより大きい及び／又はＣＣＡの時間長がより長いＬＢＴメカニズムパラメータセット、又はコンテンションベースのチャネルアクセスのためのより複雑なＬＢＴメカニズムを選択することとを更に含む。第１の所定の閾値及び第２の所定の閾値は、予め定義され、統計に基づいて取得され、又は基地局によって指示される。
【００４４】
オプションとして、この方法は、最初の送信及び再送信について異なるＬＢＴメカニズム及び／又はＬＢＴメカニズムパラメータセットを選択することを含む。
【００４５】
オプションとして、最初の送信及び再送信について異なるＬＢＴメカニズム及び／又はＬＢＴメカニズムパラメータセットを選択する動作は、再送信のためのＬＢＴメカニズム及び／又はＬＢＴメカニズムパラメータセットとして、最初の送信のために選択されたＬＢＴメカニズム及び／又はＬＢＴメカニズムのパラメータセットと比較して、異なるＬＢＴメカニズム又はコンテンションウィンドウ（ＣＷ）サイズがより小さい及び／又はクリアチャネル評価（ＣＣＡ）の時間長がより短い同じＬＢＴメカニズムを決定することを含む。
【００４６】
オプションとして、複数の連続するアップリンクサブフレームについて、ＬＢＴメカニズム及び／又はＬＢＴメカニズムパラメータセットを決定する動作は、それぞれのアップリンクサブフレームに同じＬＢＴメカニズム又はＬＢＴメカニズムパラメータセット又は異なるＬＢＴメカニズム又はＬＢＴメカニズムパラメータセットを使用することを決定することを含む。
【００４７】
オプションとして、同一キャリア内スケジューリング及び複数の連続するアップリンクサブフレームについて、それぞれのアップリンクサブフレームについて、異なるＬＢＴメカニズム又はＬＢＴメカニズムパラメータセットを使用することを決定する動作は、第１のアップリンクサブフレームが送信される前に、高速のチャネルアクセスのための高速のＬＢＴメカニズム及びＬＢＴメカニズムパラメータセットを使用することを決定することと、後続するアップリンクサブフレームのそれぞれについて、高速のチャネルアクセスのために、先行するアップリンクサブフレームのために使用されたＬＢＴメカニズム及びＬＢＴメカニズムパラメータセットよりも高速のＬＢＴメカニズム及び／又はＬＢＴメカニズムパラメータセットを決定することとを含む。第１のアップリンクサブフレームに対して決定された高速のＬＢＴメカニズム又はＬＢＴメカニズムパラメータセットは、複数の直交周波数分割多重（ＯＦＤＭ）シンボルによって設定される。
【００４８】
オプションとして、この方法は、同一キャリア内スケジューリングについて、第１のアップリンクサブフレームが送信される前に、高速のコンテンションベースのチャネルアクセスのための高速のＬＢＴメカニズムとＬＢＴメカニズムパラメータセットを使用することを決定するとき、後続するアップリンクサブフレームのそれぞれについて、高速のコンテンションベースのチャネルアクセスのためのＬＢＴメカニズム及び／又はＬＢＴメカニズムパラメータセットを使用しないことを決定する。
【００４９】
オプションとして、同一キャリア内スケジューリング及び複数の連続するアップリンクサブフレームについて、それぞれのアップリンクサブフレームに同じＬＢＴメカニズム又はＬＢＴメカニズムパラメータセットを使用することを決定する動作は、第１のアップリンクサブフレームが送信される前に、高速のチャネルアクセスのための高速のＬＢＴメカニズム及びＬＢＴメカニズムパラメータセットを使用することを決定することと、後続するアップリンクサブフレームのそれぞれについて、高速のチャネルアクセスのために、第１のアップリンクサブフレームに使用されるＬＢＴメカニズム及びＬＢＴメカニズムパラメータセットと同じＬＢＴメカニズム及びＬＢＴメカニズムパラメータセットを使用することを決定することとを含む。第１のアップリンクサブフレームに対して決定される高速のＬＢＴメカニズム及び／又はＬＢＴメカニズムパラメータセットは、複数の直交周波数分割多重（ＯＦＤＭ）シンボルによって設定され、後続するアップリンクサブフレームのそれぞれについて決定される高速のＬＢＴメカニズム及び／又はＬＢＴメカニズムパラメータセットは、１つのＯＦＤＭシンボルによって設定される。
【００５０】
オプションとして、高速のＬＢＴメカニズム及びＬＢＴメカニズムパラメータセットは、ダウンリンクＬＢＴ  Ｃａｔ４のＣＷより小さい最大コンテンションウィンドウ（ＣＷ）を有するＬＢＴ  Ｃａｔ４メカニズム、又は延長期間＋エンハンスドクリアチャネル評価（ＥＣＣＡ）プロセス、又は直接ＥＣＣＡ、又はエンハンスドＬＢＴ  Ｃａｔ２又はＬＢＴ  Ｃａｔ２の少なくとも１つを含む。
【００５１】
オプションとして、キャリア間スケジューリング及び複数の連続するアップリンクサブフレームのために、各アップリンクサブフレームについて、異なるＬＢＴメカニズム又はＬＢＴメカニズムパラメータセットを使用することを決定する動作は、ダウンリンクでデータを送信せず、免許が必要なキャリアを介してアップリンクグラント情報が送信される場合、第１のアップリンクサブフレームが送信される前に、通常のＬＢＴ  Ｃａｔ４メカニズムを使用することを決定することと、後続するアップリンクサブフレームのそれぞれについて、先行するアップリンクサブフレームに使用されたＬＢＴ  Ｃａｔ４メカニズムよりコンテンションウィンドウ（Contention Window：ＣＷ）が小さい又はよりＬＢＴメカニズムがより簡単なＬＢＴ  Ｃａｔ４メカニズムを使用することを決定することとを含む。
【００５２】
オプションとして、第１のアップリンクサブフレームについて決定された通常のＬＢＴ  Ｃａｔ４メカニズムは、複数の直交周波数分割多重（ＯＦＤＭ）シンボルによって設定され、後続するアップリンクフレームのそれぞれについて決定されたＬＢＴ  Ｃａｔ４メカニズム又はより簡単なＬＢＴメカニズムは、１つのＯＦＤＭシンボルによって設定される。
【００５３】
オプションとして、この方法は、全てのサブフレームがアップリンクサブフレームである場合、第１のアップリンクサブフレームを、第２のアップリンクサブフレームの前のＬＢＴメカニズム及び／又はＬＢＴメカニズムパラメータセットを適用するための位置として使用することと、後続するアップリンクサブフレームのそれぞれについて、先行するアップリンクサブフレームの最後の直交周波数分割多重（ＯＦＤＭ）シンボルを、当該アップリンクサブフレームについてＬＢＴメカニズム及び／又はＬＢＴメカニズムパラメータセットを適用するための位置として使用する。
【００５４】
オプションとして、この方法は、複数の連続するアップリンクサブフレームについて、送信デバイスによって、送信バースト内のアップリンクサブフレームの位置を取得し、又はＬＢＴメカニズム及び／又はＬＢＴメカニズムパラメータセットを適用することを更に含み、これは、
固定フレーム構造の場合、
送信デバイスによって、スケジューリングされたサブフレームの位置に基づいて、所定の規則に従ってＬＢＴメカニズム及び／又はＬＢＴメカニズムパラメータセット適用すること、又は
フレキシブルなアップリンク／ダウンリンクサブフレーム構造の場合、
基地局によって、指示メッセージを介して、明示的に、スケジューリングされたサブフレームが最初のサブフレームであるか、最初のサブフレームの後ろの幾つかのサブフレームであるかを送信デバイスに通知すること、又は
基地局によって、動的ダウンリンク制御情報（ＤＣＩ）を介して、スケジューリングされたサブフレームに適用されるＬＢＴメカニズム及び／又はＬＢＴメカニズムパラメータセットを送信デバイスに指示することによって行われる。
【００５５】
オプションとして、この方法は、送信デバイスから送信されたバースト内に複数の異なる優先度レベルが存在する場合、所定のＬＢＴポリシに従ってチャネルアクセスを行うことを更に含む。
【００５６】
オプションとして、ＬＢＴメカニズム又はＬＢＴメカニズムのパラメータセットは、ユーザ装置（ＵＥ）がスケジューリングされるサブフレームに関する情報に基づいてＬＢＴメカニズム又はＬＢＴメカニズムパラメータセットを決定すること、基地局からＵＥに送信されるダウンリンク制御情報（ＤＣＩ）シグナリングに基づいてＬＢＴメカニズム又はＬＢＴメカニズムパラメータセットを決定すること、及び上位層無線リソース制御（ＲＲＣ）シグナリングに基づいてＬＢＴメカニズム又はＬＢＴメカニズムパラメータセットを決定することのうちの１つによって取得される。
【００５７】
オプションとして、ＵＥがスケジューリングされるサブフレームに関する情報は、物理層のＤＣＩシグナリングに基づいて決定される。
【００５８】
オプションとして、複数のアップリンクサブフレームの場合、又は複数の連続するサブフレームがスケジューリングされる場合、
第１のアップリンクサブフレームにＬＢＴ  Ｃａｔ４が適用され、複数の後続するアップリンクサブフレームにＬＢＴ  Ｃａｔ２が適用され、又は
第１のアップリンクサブフレームにＬＢＴ  Ｃａｔ２が適用され、複数の後続するアップリンクサブフレームにＬＢＴ  Ｃａｔ２が適用され、又は
第１のアップリンクサブフレームにＬＢＴ  Ｃａｔ４が適用され、複数の後続するアップリンクサブフレームにＬＢＴ  Ｃａｔ４が適用され、又は
第１のアップリンクサブフレームにＬＢＴ  Ｃａｔ４が適用され、複数の後続するアップリンクサブフレームのそれぞれに、先行するサブフレームより小さなコンテンションウィンドウ（ＣＷ）が適用され、又は
第１のアップリンクサブフレームにＬＢＴ  Ｃａｔ４が適用され、複数の後続するアップリンクサブフレームにＬＢＴが適用されず、又は
第１のアップリンクサブフレームにＬＢＴ  Ｃａｔ２が適用され、複数の後続するアップリンクサブフレームにＬＢＴが適用されない。
【００５９】
オプションとして、複数のアップリンクサブフレームの場合、又は複数の連続するサブフレームがスケジューリングされる場合、
アップリンクサブフレームでＬＢＴが成功した場合、後続するアップリンクサブフレームにＬＢＴが適用されず、又は
アップリンクサブフレームでＬＢＴが成功した場合、基地局によってシグナリングされるＬＢＴメカニズム又はＬＢＴメカニズムパラメータセットに基づいて、後続するアップリンクサブフレームにＬＢＴが適用され、又は
アップリンクサブフレームでＬＢＴが失敗した場合、該アップリンクサブフレームに適用されたものと同じＬＢＴメカニズム又はＬＢＴメカニズムパラメータセットに基づいて、次のアップリンクサブフレームにＬＢＴが適用され、又は
アップリンクサブフレームでＬＢＴが失敗した場合、基地局によって設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、予め設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、デフォルトのＬＢＴメカニズム又はＬＢＴメカニズムのパラメータセットに基づいて次のアップリンクサブフレームにＬＢＴが適用される。
【００６０】
オプションとして、この方法は、ユーザ装置（ＵＥ）が、設定されたＬＢＴメカニズム又はＬＢＴメカニズムパラメータセットに基づくチャネルアクセスに複数回連続して失敗した場合、ＬＢＴ優先度、ＬＢＴメカニズム又はＬＢＴメカニズムパラメータセットを調整することを更に含み、この調整は、
基地局によってシグナリングされる指示、
フィードバック情報の測定、
干渉条件の測定、及び
送信されるチャネル、送信される信号、送信される論理チャネル、又は送信されるトラフィックの種類のうちの少なくとも１つの優先度の１つに基づいて行われる。
【００６１】
オプションとして、物理層ＤＣＩシグナリング又は上位層ＲＲＣシグナリングに、ＬＢＴメカニズム又はＬＢＴメカニズムパラメータセットを示す情報要素（Information Element：ＩＥ）フィールドが追加され、ＩＥフィールドは、ｎビットを使用し、ｎは、１以上の整数である。
【００６２】
他の側面では、ＬＢＴ（Listen Before Talk）モードを決定するための装置が提供される。この装置は、少なくとも、関連指示情報及び／又は優先度情報及び／又は測定情報に基づいてＬＢＴメカニズム及び／又はＬＢＴメカニズムパラメータセットを決定するように構成されている決定ユニットを備える。
【００６３】
オプションとして、この装置は、決定されたＬＢＴメカニズム及び／又はＬＢＴメカニズムパラメータセット送信デバイスに送信し、決定されたＬＢＴメカニズム及び／又はＬＢＴメカニズムパラメータセットに基づいて、コンテンションベースのチャネルアクセスを送信デバイスに実行させるフィードバックユニットを更に備える。
【００６４】
オプションとして、ＬＢＴメカニズムは、ランダムバックオフを有さないＬＢＴメカニズム及びランダムバックオフを有するＬＢＴメカニズムを含む。
【００６５】
オプションとして、ＬＢＴメカニズムパラメータセットは、ＬＢＴメカニズムがＬＢＴ  Ｃａｔ４メカニズムである場合、ＬＢＴ  Ｃａｔ４メカニズムの最小ＣＷ、最大ＣＷ、延長期間の要素ｎの少なくとも１つであり、ＬＢＴメカニズムがＬＢＴ  Ｃａｔ２メカニズムである場合、ＬＢＴ  Ｃａｔ２メカニズムのクリアチャネル評価（ＣＣＡ）の時間長である。
【００６６】
オプションとして、ＬＢＴメカニズムがＬＢＴ  Ｃａｔ４メカニズムである場合、ＬＢＴメカニズムパラメータセットは、更に、第１のＣＣＡの時間長を含む。
【００６７】
オプションとして、この装置は、カテゴリ決定ユニットを更に備え、カテゴリ決定ユニットは、ＬＢＴメカニズムがＬＢＴ  Ｃａｔ４メカニズムである場合、ＬＢＴ  Ｃａｔ４のパラメータセットにおける最大ＣＷの値と最小ＣＷの値との差、及び／又は延長期間における要素ｎの大きさに基づいて、ＬＢＴメカニズムパラメータセットをそれぞれのカテゴリに分割する。分割されるＬＢＴメカニズムパラメータセットのそれぞれのカテゴリは、部分的に重なり合う又は重なり合わない、それぞれのカテゴリの最大ＣＷ及び最小ＣＷに対応するＣＷ区間を有する。カテゴリ決定ユニットは、ＬＢＴメカニズムがＬＢＴ  Ｃａｔ２メカニズムである場合、ＬＢＴ  Ｃａｔ２のＣＣＡの異なる時間長に基づいて、ＬＢＴメカニズムパラメータセットをそれぞれのカテゴリに分割し、又はＬＢＴメカニズムがＬＢＴ  Ｃａｔ２及びＬＢＴ  Ｃａｔ４を含む場合、ＣＣＡの異なる時間長、ＣＷのサイズ及び／又は延長期間における要素ｎの大きさに基づいてＬＢＴメカニズムパラメータセットをそれぞれのカテゴリに分割するように構成されている。
【００６８】
オプションとして、決定ユニットは、
関連指示情報が送信データパケットのサイズである場合、
各ＬＢＴメカニズム及び／又はＬＢＴメカニズムパラメータセットに対応する、送信データのサイズのセットを事前設定し、
送信データパケットのサイズに対応するＬＢＴメカニズム及び／又はＬＢＴメカニズムパラメータセットを選択し、
スイッチング関連情報が連続的にスケジューリングされたサブフレームの数である場合、
各ＬＢＴメカニズム及び／又はＬＢＴメカニズムパラメータセットに対応する、連続的にスケジューリングされたサブフレームの数のセットを事前設定し、
連続的にスケジューリングされたサブフレームの数に対応するＬＢＴメカニズム及び／又はＬＢＴメカニズムパラメータセットを選択し、
スイッチング関連情報がダウンリンク制御情報（ＤＣＩ）シグナリングにおいて設定された１つ以上のビットである場合、
各ＬＢＴメカニズム及び／又はＬＢＴメカニズムパラメータセットに対応する、ＤＣＩシグナリングにおいて設定されているビット情報のセット及び／又はビット数を予め設定し、
コンテンションベースのチャネルアクセスのためのＤＣＩシグナリングにおいて設定されているビット情報及び／又はビット数に対応するＬＢＴメカニズム及び／又はＬＢＴメカニズムパラメータセットを選択し、
スイッチング関連情報がブロードキャストスキームである場合、
送信デバイスにブロードキャストされるＬＢＴリストセット内の識別情報、ＬＢＴメカニズムパラメータセットのカテゴリ、ＬＢＴメカニズム及び／又はＬＢＴメカニズムパラメータセットに基づいて、ＬＢＴメカニズム及び／又はＬＢＴメカニズムパラメータセットを決定し、
スイッチング関連情報がアップリンクバーストとダウンリンクバーストとの間のギャップの時間領域長である場合、
各ＬＢＴメカニズム及び／又はＬＢＴメカニズムパラメータセットに対応するギャップの時間領域長のセットを事前設定し、
アップリンクバーストとダウンリンクバーストとの間のギャップの時間領域長に対応するＬＢＴメカニズム及び／又はＬＢＴメカニズムパラメータセットを決定し、
スイッチング関連情報が基地局からシグナリングされるＬＢＴリスト内の識別情報である場合、
当該送信デバイスと基地局との間で共有されるようにスイッチングのためのＬＢＴメカニズムの情報リストを事前設定し、
送信デバイスによって、基地局によって指示され又はブロードキャストされた情報リスト内の識別情報に基づいて、ＬＢＴメカニズム及び／又はＬＢＴメカニズムパラメータセットを決定し、
関連指示情報が送信バースト又は連続するアップリンクサブフレームにおけるスケジューリングされたサブフレームの位置である場合、
各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定し、
送信バースト内又は連続するアップリンクサブフレーム内のスケジューリングされたサブフレームの位置に基づいて、ＬＢＴメカニズム及び／又はＬＢＴメカニズムパラメータセットを決定し、
関連指示情報がスケジューリング命令の送信のためのキャリアシナリオである場合、
同一キャリア内スケジューリング又はキャリア間スケジューリングに基づいて、ＬＢＴメカニズム及び／又はＬＢＴメカニズムパラメータセットを決定するように構成されている。
【００６９】
オプションとして、この装置は、コンテンション処理ユニットを更に備え、コンテンション処理ユニットは、スイッチング関連情報がアップリンクバーストとダウンリンクバーストとの間のギャップの時間領域長である場合、各ＬＢＴメカニズム及び／又はＬＢＴメカニズムパラメータセットに対応するギャップの時間領域長のセットを事前設定し、アップリンクバーストとダウンリンクバーストとの間のギャップの時間領域長が所定の閾値よりも短い場合、ＬＢＴメカニズム及び／又はＬＢＴメカニズムパラメータセットを適用しないと決定するように構成されている。
【００７０】
オプションとして、決定ユニットは、関連指示情報に基づいてＬＢＴメカニズムを決定した後、優先度情報における異なる優先度レベルに基づいて、ＬＢＴメカニズムに対応するＬＢＴメカニズムパラメータセットを決定するように構成されている。
【００７１】
オプションとして、決定ユニットは、関連指示情報に基づいてＬＢＴメカニズムを決定した後、優先度情報に含まれる異なる優先度に基づいて、所定の対応関係に従って、対応するＬＢＴメカニズム、ＬＢＴメカニズムパラメータセット、又はＬＢＴメカニズムパラメータセットのカテゴリを決定するように構成されている。優先度情報は、トラフィックタイプのサービス品質（ＱｏＳ）優先度、チャネルの優先度、信号の優先度、及び／又は論理チャネルの優先度を含む。
【００７２】
オプションとして、この装置は、調整ユニットを備え、調整ユニットは、決定ユニットが、所定の対応関係に従って、対応するＬＢＴメカニズム、ＬＢＴメカニズムパラメータセット又はＬＢＴメカニズムパラメータセットのカテゴリを決定した後、関連指示情報に基づいて、ＬＢＴメカニズムのより具体的なパラメータを決定するように構成されている。
【００７３】
オプションとして、この装置は、調整処理ユニットを更に備え、調整処理ユニットは、決定されたＬＢＴメカニズム及び／又はＬＢＴメカニズムパラメータセットに基づいて、コンテンションベースのチャネルアクセスを実行するとき、コンテンションベースのアクセスが１回失敗した場合、後続するコンテンションベースのチャネルアクセスの優先度情報に基づいて、より高い優先度レベルに対応するＬＢＴメカニズム及び／又はＬＢＴメカニズムパラメータセットを選択し、コンテンションベースのアクセスが１回成功した場合、後続するコンテンションベースのチャネルアクセスのための優先度情報に基づいて、より低い優先度レベルに対応するＬＢＴメカニズム及び／又はＬＢＴメカニズムパラメータセットを選択し、ＬＢＴメカニズム及び／又はＬＢＴメカニズムパラメータセットに基づくコンテンションベースのアクセスが失敗した回数が第１の所定の閾値に達した場合、コンテンションウィンドウ（ＣＷ）サイズがより小さい及び／又はクリアチャネル評価（ＣＣＡ）の時間長がより長いＬＢＴメカニズムパラメータセット、又はコンテンションベースのチャネルアクセスのためのより簡単な又はより高速のＬＢＴメカニズムを選択し、ＬＢＴメカニズム及び／又はＬＢＴメカニズムパラメータセットに基づくコンテンションベースのアクセスが成功した回数が第２の所定の閾値に達した場合、ＣＷサイズがより大きい及び／又はＣＣＡの時間長がより長いＬＢＴメカニズムパラメータセット、又はコンテンションベースのチャネルアクセスのためのより複雑なＬＢＴメカニズムを選択するように構成されている。第１の所定の閾値及び第２の所定の閾値は、予め定義され、統計に基づいて取得され、又は基地局によって指示される。
【００７４】
オプションとして、この装置は、最初の送信及び再送信について異なるＬＢＴメカニズム及び／又はＬＢＴメカニズムパラメータセットが選択されるように、データの再送信のＬＢＴメカニズム及び／又はＬＢＴメカニズムパラメータセットを調整する再送信調整ユニットを更に備える。
【００７５】
オプションとして、再送信調整ユニットは、再送信のためのＬＢＴメカニズム及び／又はＬＢＴメカニズムパラメータセットとして、最初の送信のために選択されたＬＢＴメカニズム及び／又はＬＢＴメカニズムのパラメータセットと比較して、異なるＬＢＴメカニズム又はコンテンションウィンドウ（ＣＷ）サイズがより小さい及び／又はクリアチャネル評価（ＣＣＡ）の時間長がより短い同じＬＢＴメカニズムを決定するように構成されている。
【００７６】
オプションとして、決定ユニットは、更に、複数の連続するアップリンクサブフレームについて、それぞれのアップリンクサブフレームに同じＬＢＴメカニズム又はＬＢＴメカニズムパラメータセット又は異なるＬＢＴメカニズム又はＬＢＴメカニズムパラメータセットを使用することを決定するように構成されている。
【００７７】
オプションとして、決定ユニットは、更に、同一キャリア内スケジューリング及び複数の連続するアップリンクサブフレームについて、第１のアップリンクサブフレームが送信される前に、高速のコンテンションベースのチャネルアクセスのための高速のＬＢＴメカニズム及び／又はＬＢＴメカニズムパラメータセットを使用することを決定し、後続するアップリンクサブフレームのそれぞれについて、先行するアップリンクサブフレームのために、高速のコンテンションベースのチャネルアクセスのために使用されたＬＢＴメカニズム及びＬＢＴメカニズムパラメータセットよりも高速のＬＢＴメカニズム及び／又はＬＢＴメカニズムパラメータセットを決定するように構成されている。第１のアップリンクサブフレームに対して決定された高速のＬＢＴメカニズム又はＬＢＴメカニズムパラメータセットは、複数の直交周波数分割多重（ＯＦＤＭ）シンボルによって設定される。
【００７８】
オプションとして、決定ユニットは、更に、同一キャリア内スケジューリングについて、第１のアップリンクサブフレームが送信される前に、高速のコンテンションベースのチャネルアクセスに高速のＬＢＴメカニズムとＬＢＴメカニズムパラメータセットを使用することを決定し、後続するアップリンクサブフレームのそれぞれについて、高速のコンテンションベースのチャネルアクセスのためのＬＢＴメカニズム及び／又はＬＢＴメカニズムパラメータセットを使用しないことを決定するように構成されている。
【００７９】
オプションとして、決定ユニットは、更に、同一キャリア内スケジューリング及び複数の連続するアップリンクサブフレームについて、第１のアップリンクサブフレームが送信される前に、高速のコンテンションベースのチャネルアクセスのための高速のＬＢＴメカニズム及びＬＢＴメカニズムパラメータセットを使用することを決定し、後続するアップリンクサブフレームのそれぞれについて、高速のコンテンションベースのチャネルアクセスのために第１のアップリンクサブフレームに使用されるＬＢＴメカニズム及びＬＢＴメカニズムパラメータセットと同じＬＢＴメカニズム及びＬＢＴメカニズムパラメータセットを使用することを決定するように構成されている。第１のアップリンクサブフレームに対して決定される高速のＬＢＴメカニズム及び／又はＬＢＴメカニズムパラメータセットは、複数の直交周波数分割多重（ＯＦＤＭ）シンボルによって設定され、後続するアップリンクサブフレームのそれぞれについて決定される高速のＬＢＴメカニズム及び／又はＬＢＴメカニズムパラメータセットは、１つのＯＦＤＭシンボルによって設定される。
【００８０】
オプションとして、決定ユニットは、更に、キャリア間スケジューリング及び複数の連続するアップリンクサブフレームのために、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、先行するアップリンクサブフレームに使用されたＬＢＴ  Ｃａｔ４メカニズムよりコンテンションウィンドウ（ＣＷ）が小さい又はよりＬＢＴメカニズムがより簡単なＬＢＴ  Ｃａｔ４メカニズムを使用することを決定するように構成されている。
【００８１】
オプションとして、決定ユニットは、更に、キャリア間スケジューリングのために、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、高速のコンテンションベースのチャネルアクセスにＬＢＴメカニズム及び／又はＬＢＴメカニズムパラメータセットを適用しないことを決定するように構成されている。
【００８２】
オプションとして、決定ユニットは、更に、キャリア間スケジューリング及び複数の連続するアップリンクサブフレームのために、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、先行するアップリンクサブフレームに使用されたＬＢＴ  Ｃａｔ４メカニズムよりコンテンションウィンドウ（ＣＷ）が小さい又はよりＬＢＴメカニズムがより簡単なＬＢＴ  Ｃａｔ４メカニズムを使用することを決定するように構成されている。第１のアップリンクサブフレームについて決定されたＬＢＴ  Ｃａｔ４メカニズムは、複数の直交周波数分割多重（ＯＦＤＭ）シンボルによって設定され、後続するアップリンクサブフレームのそれぞれについて決定されるＬＢＴ  Ｃａｔ４メカニズム又はより簡単なＬＢＴメカニズムは、１つのＯＦＤＭシンボルによって設定される。
【００８３】
オプションとして、この装置は、位置決定ユニットを更に備え、位置決定ユニットは、複数の連続するアップリンクサブフレームについて、第１のアップリンクサブフレームを、第２のアップリンクサブフレームの前のＬＢＴメカニズム及び／又はＬＢＴメカニズムパラメータセットを適用するための位置として使用し、後続するアップリンクサブフレームのそれぞれについて、先行するアップリンクサブフレームの最後の直交周波数分割多重（ＯＦＤＭ）シンボルを、当該アップリンクサブフレームについてＬＢＴメカニズム及び／又はＬＢＴメカニズムパラメータセットを適用するための位置として使用するように構成されている。
【００８４】
オプションとして、この装置は、送信バースト内のアップリンクサブフレームの位置を取得し、又はＬＢＴメカニズム及び／又はＬＢＴメカニズムパラメータセットを適用する取得ユニットを更に備え、これは、
固定フレーム構造の場合、
送信デバイスによって、スケジューリングされたサブフレームの位置に基づいて、所定の規則に従ってＬＢＴメカニズム及び／又はＬＢＴメカニズムパラメータセット適用すること、又は
フレキシブルなアップリンク／ダウンリンクサブフレーム構造の場合、
基地局によって、指示メッセージを介して、明示的に、スケジューリングされたサブフレームが最初のサブフレームであるか、最初のサブフレームの後ろの幾つかのサブフレームであるかを送信デバイスに通知すること、又は
基地局によって、動的ダウンリンク制御情報（ＤＣＩ）を介して、スケジューリングされたサブフレームに適用されるＬＢＴメカニズム及び／又はＬＢＴメカニズムパラメータセットを送信デバイスに指示することによって行われる。
【００８５】
オプションとして、この装置は、優先度ポリシユニットを更に備え、優先度ポリシユニットは、送信デバイスから送信されたバースト内に複数の異なる優先度レベルが存在する場合、所定の優先度ポリシに従って、ＬＢＴメカニズム及び／又はＬＢＴメカニズムパラメータセットを決定するように構成されている。
【００８６】
オプションとして、ＬＢＴメカニズム又はＬＢＴメカニズムのパラメータセットは、ユーザ装置（ＵＥ）がスケジューリングされるサブフレームに関する情報に基づいてＬＢＴメカニズム又はＬＢＴメカニズムパラメータセットを決定すること、基地局からＵＥに送信されるダウンリンク制御情報（ＤＣＩ）シグナリングに基づいてＬＢＴメカニズム又はＬＢＴメカニズムパラメータセットを決定すること、及び上位層無線リソース制御（ＲＲＣ）シグナリングに基づいてＬＢＴメカニズム又はＬＢＴメカニズムパラメータセットを決定することのうちの１つによって取得される。
【００８７】
オプションとして、ＵＥがスケジューリングされるサブフレームに関する情報は、物理層のＤＣＩシグナリングに基づいて決定される。
【００８８】
オプションとして、複数のアップリンクサブフレームの場合、又は複数の連続するサブフレームがスケジューリングされる場合、
第１のアップリンクサブフレームにＬＢＴ  Ｃａｔ４が適用され、複数の後続するアップリンクサブフレームにＬＢＴ  Ｃａｔ２が適用され、又は
第１のアップリンクサブフレームにＬＢＴ  Ｃａｔ２が適用され、複数の後続するアップリンクサブフレームにＬＢＴ  Ｃａｔ２が適用され、又は
第１のアップリンクサブフレームにＬＢＴ  Ｃａｔ４が適用され、複数の後続するアップリンクサブフレームにＬＢＴ  Ｃａｔ４が適用され、又は
第１のアップリンクサブフレームにＬＢＴ  Ｃａｔ４が適用され、複数の後続するアップリンクサブフレームのそれぞれに、先行するサブフレームより小さなコンテンションウィンドウ（ＣＷ）が適用され、又は
第１のアップリンクサブフレームにＬＢＴ  Ｃａｔ４が適用され、複数の後続するアップリンクサブフレームにＬＢＴが適用されず、又は
第１のアップリンクサブフレームにＬＢＴ  Ｃａｔ２が適用され、複数の後続するアップリンクサブフレームにＬＢＴが適用されない。
【００８９】
オプションとして、複数のアップリンクサブフレームの場合、又は複数の連続するサブフレームがスケジューリングされる場合、
アップリンクサブフレームでＬＢＴが成功した場合、後続するアップリンクサブフレームにＬＢＴが適用されず、又は
アップリンクサブフレームでＬＢＴが成功した場合、基地局によってシグナリングされるＬＢＴメカニズム又はＬＢＴメカニズムパラメータセットに基づいて、後続するアップリンクサブフレームにＬＢＴが適用され、又は
アップリンクサブフレームでＬＢＴが失敗した場合、該アップリンクサブフレームに適用されたものと同じＬＢＴメカニズム又はＬＢＴメカニズムパラメータセットに基づいて、次のアップリンクサブフレームにＬＢＴが適用され、又は
アップリンクサブフレームでＬＢＴが失敗した場合、基地局によって設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、予め設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、デフォルトのＬＢＴメカニズム又はＬＢＴメカニズムのパラメータセットに基づいて次のアップリンクサブフレームにＬＢＴが適用される。
【００９０】
オプションとして、ユーザ装置（ＵＥ）が、設定されたＬＢＴメカニズム又はＬＢＴメカニズムパラメータセットに基づくチャネルアクセスに複数回連続して失敗した場合、ＬＢＴ優先度、ＬＢＴメカニズム又はＬＢＴメカニズムパラメータセットを調整することを更に含み、この調整は、
基地局によってシグナリングされる指示、
フィードバック情報の測定、
干渉条件の測定、及び
送信されるチャネル、送信される信号、送信される論理チャネル、又は送信されるトラフィックの種類のうちの少なくとも１つの優先度の１つに基づいて行われる。
【００９１】
オプションとして、物理層ＤＣＩシグナリング又は上位層ＲＲＣシグナリングに、ＬＢＴメカニズム又はＬＢＴメカニズムパラメータセットを示す情報要素（ＩＥ）フィールドが追加され、ＩＥフィールドは、ｎビットを使用し、ｎは、１以上の整数である。
【００９２】
本開示の実施形態によるソリューションでは、関連指示情報及び／又は優先度情報及び／又は測定情報に基づいて、ＬＢＴメカニズム及び／又はＬＢＴメカニズムパラメータセットを決定できる。送信デバイスは、決定されたＬＢＴメカニズム及び／又はＬＢＴメカニズムパラメータセットに基づいて、コンテンションベースのチャネルアクセスを行うことができる。本開示の実施形態によるソリューションにより、ＬＢＴモードを決定できる。ＬＢＴモードを選択することにより、不適切なＬＢＴモードのためにチャネルリソース及び指示情報が浪費されることを回避でき、これにより、コンテンションベースのチャネルアクセスの効率が改善される。
【００９３】
本開示は、以下に説明する図面を参照して更に明瞭となり、これらの図面は、本開示の一部を構成する。本開示の図面及び例示的な実施形態は、説明のためのものであり、本開示を限定するものではない。
【図面の簡単な説明】
【００９４】
【図１】本開示の一実施形態によるＬＢＴモードを決定する方法を示すフローチャートである。
【図２】本開示の一実施形態に基づくＬＢＴモードを決定するための装置の構造を示すブロック図である。
【図３】本開示の第６の実施形態に基づくＬＢＴメカニズム及び／又はＬＢＴメカニズムパラメータセットが適用される領域の位置を示す図である。
【発明を実施するための形態】
【００９５】
以下では、本開示の目的、解決策及び利点をより明瞭にするために、図面を参照して、本発明の実施形態について詳細に説明する。なお、実施形態及びその特徴は、矛盾が生じない限り、互いに組み合わせることができる。
【００９６】
図１は、本開示の一実施形態によるＬＢＴモードを決定する方法を示すフローチャートである。図１に示すように、この方法は、以下のステップを含む。
【００９７】
ステップ１００において、関連指示情報及び／又は優先度情報及び／又は測定情報に基づいて、ＬＢＴメカニズム及び／又はＬＢＴメカニズムパラメータセットを決定する。
【００９８】
なお、ＬＢＴメカニズム及び／又はＬＢＴメカニズムパラメータセットを決定できる送信デバイス又は基地局によって決定できる。基地局が決定を行う場合、決定されたＬＢＴメカニズム及び／又はＬＢＴメカニズムパラメータセットを送信デバイスに送信する必要があり、これにより、送信デバイスは、ＬＢＴメカニズム及び／又はＬＢＴメカニズムパラメータを取得し、コンテンションベースのチャネルアクセスで使用できる。
【００９９】
このステップでは、関連指示情報は、送信データパケットのサイズ、連続的にスケジューリングされたサブフレームの数、物理ダウンリンク制御情報（Downlink Control Information：ＤＣＩ）シグナリングにおいて設定されている１つ以上のビット、ブロードキャストスキーム、アップリンク送信バーストとダウンリンク送信バーストとの間のギャップの時間領域長、基地局からシグナリングされるＬＢＴリスト内の識別情報、送信バースト又は連続するアップリンクサブフレームにおけるスケジューリングされたサブフレームの位置、１つの送信バーストの長さ、及び／又はスケジューリング命令の送信のためのキャリアシナリオを含む。
【０１００】
なお、関連指示情報が２つ以上の指示を含む場合、実際の用途に応じて、ＬＢＴメカニズム及び／又はＬＢＴメカニズムパラメータセットを選択できる。例えば、関連指示情報が、送信データパケットのサイズ及び連続的にスケジューリングされたサブフレームの数を示す場合、ＬＢＴメカニズムは、送信データパケットのサイズに基づいて決定でき、決定されたＬＢＴメカニズムに関連するパラメータセットは、連続的にスケジューリングされたサブフレームの数に基づいて選択できる。これは、実際の使用状況に応じて設定できる。
【０１０１】
優先度情報は、送信データのトラフィックタイプに対するサービス品質（ＱｏＳ）優先度、又は送信データのためのチャネル、信号及び／又は論理チャネルの優先度、及び／又はチャネル、信号及び論理チャネルの優先度を含む。
【０１０２】
優先度情報は、更に、論理チャネルの優先度レベルを物理送信チャネルにマッピングすることによって得られる物理送信チャネルの優先度を含むことができる。
【０１０３】
測定情報は、所定の時間長内のチャネル状態情報（Channel State Information：ＣＳＩ）、所定の時間長内の基準信号受信電力（Reference Signal Received Power：ＲＳＲＰ）、所定の時間長内の基準信号受信品質（Reference Signal Received Quality：ＲＳＲＱ）、ハイブリッド自動再送要求−確認（Hybrid Automatic Repeat reQuest - Acknowledge：ＨＡＲＱ−ＡＣＫ）情報、又は測定された干渉に関する情報を含むことができる。
【０１０４】
好ましくは、本開示の実施形態におけるＬＢＴメカニズムは、ランダムバックオフを有さないＬＢＴメカニズム及びランダムバックオフを有するＬＢＴメカニズムを含むことができる。
【０１０５】
ここで、ランダムバックオフを有さないＬＢＴメカニズムは、ＬＢＴ  Ｃａｔ２メカニズム及びエンハンスド  Ｃａｔ２メカニズムを含むことができる。
【０１０６】
好ましくは、ＬＢＴ  Ｃａｔ２メカニズムは、クリアチャネル評価（Clear Channel Assessment：ＣＣＡ）を一回だけ実行するＬＢＴメカニズムであってもよい。
【０１０７】
エンハンスドＬＢＴ  Ｃａｔ２メカニズムは、２回以上のＣＣＡを実行するＬＢＴメカニズムであってもよい。
【０１０８】
更に、各ＣＣＡは、固定又はランダムの開始位置を有することができる。
【０１０９】
各ＣＣＡは、３４マイクロ秒（μｓ）、２５μｓ、２０μｓ、１６μｓ、９μｓ又は４μｓの時間長を有することができる。
【０１１０】
ランダムバックオフを有するＬＢＴメカニズムは、可変コンテンションウィンドウ（ＣＷ）サイズを有するＬＢＴ  Ｃａｔ４メカニズム及び固定ＣＷサイズを有するＬＢＴ  Ｃａｔ３メカニズムを含む。ＬＢＴ  Ｃａｔ４メカニズムは、第１のＣＣＡ、延長期間、最大コンテンションウィンドウＣＷｍａｘ、最小コンテンションウィンドウＣＷｍｉｎ、及びランダムバックオフ値Ｎのうちの少なくとも１つのパラメータを含むことができる。第１のＣＣＡは、初期のＣＣＡであってもよい。
【０１１１】
延長期間は、延長時間＋ｎ×スロット、又はｎ×スロット＋延長時間であってもよく、ここで、ｎは、［０，２］の区間の整数であり、スロットは、９μｓの時間長を有し、延長時間は、１６μｓである。
【０１１２】
なお、Ｗｉ−Ｆｉシステムでは、１つのＡＣＫ又はネガティブＡＣＫ（ＮＡＣＫ）のフィードバック時間は、１６μｓであり、１スロットの長さは９μｓである。
【０１１３】
好ましくは、第１のＣＣＡの時間長は、３４μｓ、２５μｓ、２０μｓ、１６μｓ、９μｓ又は４μｓであってもよい。
【０１１４】
ランダムバックオフ値Ｎは、［０，ｑ−１］の区間からランダムに選択された値であってもよく、ここで、ｑは、［ＣＷｍｉｎ，ＣＷｍａｘ］の区間からランダムに選択された値である。
【０１１５】
ランダムバックオフ値Ｎは、基地局によって指示してもよく、ランダムに生成してもよく、所定の値であってもよい。
【０１１６】
ＬＢＴメカニズム及び／又はＬＢＴメカニズムパラメータセットがアップリンクチャネル用である場合、ｎは、０，１，又は２である。ＬＢＴメカニズム及び／又はＬＢＴメカニズムパラメータセットがダウンリンクチャネル用である場合、ｎは、１〜７の自然数である。
【０１１７】
ＬＢＴメカニズムがＬＢＴ  Ｃａｔ４メカニズムである場合、ＬＢＴメカニズムパラメータセットは、ＬＢＴ  Ｃａｔ４メカニズムの最小ＣＷ、最大ＣＷ、延長期間の要素ｎの少なくとも１つを含むことができる。ＬＢＴメカニズムがＬＢＴ  Ｃａｔ２メカニズムである場合、ＬＢＴメカニズムパラメータセットは、ＬＢＴ  Ｃａｔ２メカニズムのＣＣＡの時間長を含むことができる。
【０１１８】
ＬＢＴメカニズムがＬＢＴ  Ｃａｔ４メカニズムである場合、ＬＢＴメカニズムパラメータセットは、更に、第１のＣＣＡの時間長を含むことができる。
【０１１９】
本開示の一実施形態において、ＬＢＴメカニズムがＬＢＴ  Ｃａｔ４メカニズムである場合、この方法は、更に、ＬＢＴ  Ｃａｔ４のパラメータセットにおける最大ＣＷの値と最小ＣＷの値との差、及び／又は延長期間における要素ｎの大きさに基づいて、ＬＢＴメカニズムパラメータセットをそれぞれのカテゴリに分割することを更に含むことができる。分割されるＬＢＴメカニズムパラメータセットのそれぞれのカテゴリは、部分的に重なり合う又は重なり合わない、それぞれのカテゴリの最大ＣＷ及び最小ＣＷに対応するＣＷ区間を有することができる。
【０１２０】
本開示の一実施形態において、ＬＢＴメカニズムがＬＢＴ  Ｃａｔ２メカニズムである場合、方法は、ＬＢＴ  Ｃａｔ２のＣＣＡの異なる時間長に基づいて、ＬＢＴメカニズムパラメータセットをそれぞれのカテゴリに分割することを更に含むことができる。
【０１２１】
本開示の一実施形態において、ＬＢＴメカニズムがＬＢＴ  Ｃａｔ２及びＬＢＴ  Ｃａｔ４を含む場合、方法は、ＣＣＡの異なる時間長、ＣＷのサイズ及び／又は延長期間における要素ｎの大きさに基づいてＬＢＴメカニズムパラメータセットをそれぞれのカテゴリに分割することを更に含むことができる。
【０１２２】
ＬＢＴメカニズムパラメータセットのそれぞれのカテゴリは、予め定めらており、利用可能な最大ＣＷの値に基づいて分割され、ＣＣＡの時間長に基づいて分割され、基地局によって指示され、又はダウンリンク制御情報（Downlink Control Information：ＤＣＩ）で動的に指示される。
【０１２３】
なお、各カテゴリは、当業者が、経験的値に基づいて予め定義してもよい。利用可能な最大ＣＷの値に基づいて分割されるそれぞれのカテゴリは、当該技術分野における一般的な技術に属し、これ以上の詳細な説明は省略する。
【０１２４】
関連指示情報が送信データパケットのサイズである場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応するように送信データのサイズのセットを事前設定することと、送信データパケットのサイズに対応するＬＢＴメカニズム及び／又はＬＢＴメカニズムパラメータセットを選択することとを有することができる。
【０１２５】
スイッチング関連情報が連続的にスケジューリングされた複数のサブフレームの数である場合、関連指示情報に基づいて、ＬＢＴメカニズム及び／又はＬＢＴメカニズムパラメータセットを決定する動作は、各ＬＢＴメカニズム及び／又はＬＢＴメカニズムパラメータセットに対応する、連続的にスケジューリングされたサブフレームの数のセットを事前設定することと、連続的にスケジューリングされたサブフレームの数に対応するＬＢＴメカニズム及び／又はＬＢＴメカニズムパラメータセットを選択することとを含む。
【０１２６】
スイッチング関連情報がダウンリンク制御情報（ＤＣＩ）シグナリングにおいて設定された１つ以上のビットである場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応する、ＤＣＩシグナリングにおいて設定されているビット情報のセット及び／又はビット数を予め設定することと、ＤＣＩシグナリングにおいて設定されているビット情報及び／又はビット数に対応する、コンテンションベースのチャネルアクセスのためのＬＢＴメカニズム及び／又はＬＢＴメカニズムパラメータセットを選択することとを含むことができる。
【０１２７】
スイッチング関連情報がブロードキャストスキームである場合、関連指示情報に基づいてＬＢＴメカニズム及び／又はＬＢＴメカニズムパラメータセットを決定する動作は、送信デバイスにブロードキャストされるＬＢＴリストセット内の識別情報、ＬＢＴメカニズムパラメータセットのカテゴリ、ＬＢＴメカニズム及び／又はＬＢＴメカニズムパラメータセットに基づいて、ＬＢＴメカニズム及び／又はＬＢＴメカニズムパラメータセットを決定することを含むことができる。
【０１２８】
スイッチング関連情報がアップリンクバーストとダウンリンクバーストとの間のギャップの時間領域長である場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応するギャップの時間領域長のセットを事前設定することと、アップリンクバーストとダウンリンクバーストとの間のギャップの時間領域長に対応するＬＢＴメカニズム及び／又はＬＢＴメカニズムパラメータセットを選択することとを含むことができる。
【０１２９】
スイッチング関連情報が基地局からシグナリングされるＬＢＴリスト内の識別情報である場合、関連指示情報に基づいてＬＢＴメカニズム及び／又はＬＢＴメカニズムパラメータセットを決定する動作は、当該送信デバイスと基地局との間で共有されるようにスイッチングのためのＬＢＴメカニズムの情報リストを事前設定することと、送信デバイスによって、基地局によって指示され又はブロードキャストされた情報リスト内の識別情報に基づいて、ＬＢＴメカニズム及び／又はＬＢＴメカニズムパラメータセットを決定することとを含むことができる。
【０１３０】
関連指示情報が送信バースト又は連続するアップリンクサブフレームにおけるスケジューリングされたサブフレームの位置である場合、関連指示情報に基づいてＬＢＴメカニズム及び／又はＬＢＴメカニズムパラメータセットを決定する動作は、各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定することと、送信バースト内又は連続するアップリンクサブフレーム内のスケジューリングされたサブフレームの位置に基づいて、ＬＢＴメカニズム及び／又はＬＢＴメカニズムパラメータセットを決定することとを含むことができる。
【０１３１】
関連指示情報がスケジューリング命令の送信のためのキャリアシナリオである場合、関連指示情報に基づいてＬＢＴメカニズム及び／又はＬＢＴメカニズムパラメータセットを決定する動作は、同一キャリア内スケジューリング又はキャリア間スケジューリングに基づいて、ＬＢＴメカニズム及び／又はＬＢＴメカニズムパラメータセットを決定することを含むことができる。
【０１３２】
本開示の一実施形態では、スイッチング関連情報がアップリンクバーストとダウンリンクバーストとの間のギャップの時間領域長である場合、この方法は、アップリンクバーストとダウンリンクバーストとの間のギャップの時間領域長が所定の閾値よりも短い場合、ＬＢＴメカニズム及び／又はＬＢＴメカニズムパラメータセットを適用しないと決定することとを含むことができる。
【０１３３】
なお、所定の閾値は、１６μｓ又は２５μｓとすることができる。
【０１３４】
関連指示情報に基づいてＬＢＴメカニズム及び／又はＬＢＴメカニズムパラメータセットを決定する動作は、関連指示情報に基づいてＬＢＴメカニズムを決定した後、優先度情報における異なる優先度レベルに基づいて、ＬＢＴメカニズムに対応するＬＢＴメカニズムパラメータセットを決定することを含むことができる。
【０１３５】
優先度情報における異なる優先度レベルに基づいて、ＬＢＴメカニズムに対応するＬＢＴメカニズムパラメータセットを決定する動作は、優先度情報に含まれる異なる優先度に基づいて、所定の対応関係に従って、対応するＬＢＴメカニズム、ＬＢＴメカニズムパラメータセット、又はＬＢＴメカニズムパラメータセットのカテゴリを決定することを含むことができる。優先度情報は、トラフィックタイプのサービス品質（ＱｏＳ）優先度、チャネルの優先度、信号の優先度、及び／又は論理チャネルの優先度を含む。
【０１３６】
本開示の一実施形態では、この方法は、所定の対応関係に従って、対応するＬＢＴメカニズム、ＬＢＴメカニズムパラメータセット又はＬＢＴメカニズムパラメータセットのカテゴリを決定した後、関連指示情報に基づいて、ＬＢＴメカニズムのより具体的なパラメータを決定することを更に含むことができる。
【０１３７】
なお、より具体的なパラメータを決定する動作は、使用されるＬＢＴメカニズムが決定された後、関連指示情報に基づいて、ＬＢＴメカニズムの異なる状況においてどのＬＢＴパラメータを使用するかを更に決定することを含むことができる。例えば、ＬＢＴ  Ｃａｔ４が決定されると、関連指示情報内のスケジューリングされたサブフレームのインデクスに基づいて、ＬＢＴ  Ｃａｔ４の詳細を決定できる。例えば、ＬＢＴ  Ｃａｔ４において、更に、ＣＷｍｉｎを１とし、ＣＷｍａｘを３とすることを決定できる。
【０１３８】
もちろん、優先度レベル３において、ＬＢＴが複数回失敗した場合、又はＬＢＴメカニズム又はＬＢＴメカニズムパラメータセットに基づいて成功した場合、フィードバック情報の測定に基づいて、ＬＢＴメカニズム又はパラメータセットを更に調整することができ、或いは、ＬＢＴパラメータは、更に、スケジューリングされたサブフレームの位置に基づいて選択できる。
【０１３９】
ステップ１０１において、送信デバイスは、決定されたＬＢＴメカニズム及び／又はＬＢＴメカニズムパラメータセットに基づいて、コンテンションベースのチャネルアクセスを実行する。
【０１４０】
本開示の一実施形態では、決定されたＬＢＴメカニズム及び／又はＬＢＴメカニズムのパラメータセットに基づいて、コンテンションベースのチャネルアクセスを実行する際、この方法は、
コンテンションベースのアクセスが１回失敗した場合、後続するチャネルアクセスの優先度情報に基づいて、より高い優先度レベルに対応するＬＢＴメカニズム及び／又はＬＢＴメカニズムパラメータセットを選択することと、
コンテンションベースのチャネルアクセスが１回成功した場合、後続するコンテンションベースのチャネルアクセスのための優先度情報に基づいて、より低い優先度レベルに対応するＬＢＴメカニズム及び／又はＬＢＴメカニズムパラメータセットを選択することと、
（ここで、包括的に言えば、優先度レベルを使用して、失敗又は成功したコンテンションベースのアクセスに、より高い又はより低い優先度レベルを使用するとは、成功したコンテンションベースのアクセスより１つ下の優先度レベル又は失敗したコンテンションベースのアクセスより１つ上の優先度レベルを使用することを意味する。）
ＬＢＴメカニズム及び／又はＬＢＴメカニズムパラメータセットに基づくチャネルアクセスが失敗した回数が第１の所定の閾値に達した場合、コンテンションウィンドウ（ＣＷ）サイズがより小さい及び／又はクリアチャネル評価（ＣＣＡ）の時間長がより長いＬＢＴメカニズムパラメータセット、又はコンテンションベースのチャネルアクセスのためのより簡単な又はより高速のＬＢＴメカニズムを選択することと、
（なお、より簡単なＬＢＴメカニズムとは、当業者によって使用される経験的概念である。例えば、ＬＢＴ  Ｃａｔ２は、ＬＢＴ  Ｃａｔ４よりも簡単なメカニズムである。他の例として、高速のＬＢＴメカニズムが使用される場合、ＬＢＴメカニズムを簡単な順で並べると、ＬＢＴ  Ｃａｔ２（最も簡単）、エンハンスドＬＢＴ  Ｃａｔ２、ＥＣＣＡプロセス、繰延期間＋ＥＣＣＡプロセス、第１のＣＣＡ＋延長期間及びＥＣＣＡプロセス、となる。）
ＬＢＴメカニズム及び／又はＬＢＴメカニズムパラメータセットに基づくコンテンションベースのアクセスが成功した回数が第２の所定の閾値に達した場合、ＣＷサイズがより大きい及び／又はＣＣＡの時間長がより長いＬＢＴメカニズムパラメータセット、又はコンテンションベースのチャネルアクセスのためのより複雑なＬＢＴメカニズムを選択することとを更に含むことができる。
【０１４１】
（なお、「より複雑な」という概念は、「より簡単な」の反対概念であり、後者から推測することができ、例えば、エンハンスドＬＢＴ  Ｃａｔ２は、ＬＢＴ  Ｃａｔ２より複雑である。）
第１の所定の閾値及び第２の所定の閾値は、予め定義され、統計に基づいて取得され、又は基地局によって指示されるものであってもよい。
【０１４２】
本開示の一実施形態では、この方法は、最初の送信及び再送信について異なるＬＢＴメカニズム及び／又はＬＢＴメカニズムパラメータセットを選択することを含むことができる。
【０１４３】
最初の送信及び再送信について異なるＬＢＴメカニズム及び／又はＬＢＴメカニズムパラメータセットを選択する動作は、再送信のためのＬＢＴメカニズム及び／又はＬＢＴメカニズムパラメータセットとして、最初の送信のために選択されたＬＢＴメカニズム及び／又はＬＢＴメカニズムのパラメータセットと比較して、異なるＬＢＴメカニズム又はＣＷサイズがより小さい及び／又はＣＣＡの時間長がより短い同じＬＢＴメカニズムを決定することを含むことができる。
【０１４４】
送信データが複数の連続するアップリンクサブフレームを含む場合、ＬＢＴメカニズム及び／又はＬＢＴメカニズムパラメータセットを決定する動作は、それぞれのアップリンクサブフレームに同じＬＢＴメカニズム又はＬＢＴメカニズムパラメータセット又は異なるＬＢＴメカニズム又はＬＢＴメカニズムパラメータセットを使用することを決定することを含むことができる。
【０１４５】
具体的には、同一キャリア内スケジューリング及び複数の連続するアップリンクサブフレームについて、それぞれのアップリンクサブフレームについて、異なるＬＢＴメカニズム又はＬＢＴメカニズムパラメータセットを使用することを決定する動作は、第１のアップリンクサブフレームが送信される前に、高速のチャネルアクセスのための高速のＬＢＴメカニズム及びＬＢＴメカニズムパラメータセットを使用することを決定することと、後続するアップリンクサブフレームのそれぞれについて、高速のチャネルアクセスのために、先行するアップリンクサブフレームのために使用されたＬＢＴメカニズム及びＬＢＴメカニズムパラメータセットよりも高速のＬＢＴメカニズム及び／又はＬＢＴメカニズムパラメータセットを決定することとを含むことができる。第１のアップリンクサブフレームに対して決定された高速のＬＢＴメカニズム又はＬＢＴメカニズムパラメータセットは、複数の直交周波数分割多重（ＯＦＤＭ）シンボルによって設定される。通常、「複数の」という用語は、２つ以上を意味する。
【０１４６】
本開示の一実施形態では、同一キャリア内スケジューリングについて、この方法は、同一キャリア内スケジューリングについて、第１のアップリンクサブフレームが送信される前に、高速のコンテンションベースのチャネルアクセスのための高速のＬＢＴメカニズムとＬＢＴメカニズムパラメータセットを使用することを決定するとき、後続するアップリンクサブフレームのそれぞれについて、高速のコンテンションベースのチャネルアクセスのためのＬＢＴメカニズム及び／又はＬＢＴメカニズムパラメータセットを使用しないことを決定できる。
【０１４７】
同一キャリア内スケジューリング及び複数の連続するアップリンクサブフレームについて、各アップリンクサブフレームについて、異なるＬＢＴメカニズム又はＬＢＴメカニズムパラメータセットを使用することを決定する動作は、第１のアップリンクサブフレームが送信される前に、高速のチャネルアクセスのための高速のＬＢＴメカニズム及びＬＢＴメカニズムパラメータセットを使用することを決定することと、後続するアップリンクサブフレームのそれぞれについて、高速のコンテンションベースのチャネルアクセスのために、第１のアップリンクサブフレームに使用されるＬＢＴメカニズム及びＬＢＴメカニズムパラメータセットと同じＬＢＴメカニズム及びＬＢＴメカニズムパラメータセットを使用することを決定することとを含むことができる。第１のアップリンクサブフレームに対して決定される高速のＬＢＴメカニズム及び／又はＬＢＴメカニズムパラメータセットは、複数の直交周波数分割多重（ＯＦＤＭ）シンボルによって設定され、後続するアップリンクサブフレームのそれぞれについて決定される高速のＬＢＴメカニズム及び／又はＬＢＴメカニズムパラメータセットは、１つのＯＦＤＭシンボルによって設定される。
【０１４８】
ここで、高速のＬＢＴメカニズム及びＬＢＴメカニズムパラメータセットは、ダウンリンクＬＢＴ  Ｃａｔ４のＣＷより小さい最大ＣＷを有するＬＢＴ  Ｃａｔ４メカニズム、又は延長期間＋拡張クリアチャネル評価（ＥＣＣＡ）プロセス、又は直接ＥＣＣＡ、又はエンハンスドＬＢＴ  Ｃａｔ２又はＬＢＴ  Ｃａｔ２の少なくとも１つを含む。
【０１４９】
なお、延長期間＋ＥＣＣＡプロセスでは、最初に延長期間に等しい時間長を有するＣＣＡが実行され、このチャネルが延長期間中にビジーであると評価された場合、ＥＣＣＡランダムバックオフが適用される。ここでは、ＥＣＣＡプロセスは、Ｎスロットのランダムバックオフ値を有するＣＣＡを実行することである。チャネルが１つのスロット内においてアイドル状態であると評価された場合にのみ、次のスロットのＣＣＡを実行できる。チャネルが１つのスロットにおいてアイドル状態であると評価されると、ランダムバックオフ値Ｎは、１だけデクリメントされる。チャネルがビジー状態の場合、延長期間においてＣＣＡが実行される。ここでは、延長期間においてチャネルがアイドル状態であると評価された場合もランダムバックオフ値Ｎをデクリメントすることができる。
【０１５０】
キャリア間スケジューリング及び複数の連続するアップリンクサブフレームのために、各アップリンクサブフレームについて、異なるＬＢＴメカニズム又はＬＢＴメカニズムパラメータセットを使用することを決定する動作は、ダウンリンクでデータを送信せず、免許が必要なキャリアを介してアップリンクグラント情報が送信される場合、第１のアップリンクサブフレームが送信される前に、通常のＬＢＴ  Ｃａｔ４メカニズムを使用することを決定することと、後続するアップリンクサブフレームのそれぞれについて、先行するアップリンクサブフレームに使用されたＬＢＴ  Ｃａｔ４メカニズムよりＣＷが小さい又はよりＬＢＴメカニズムがより簡単なＬＢＴ  Ｃａｔ４メカニズムを使用することを決定することとを含むことができる。
【０１５１】
好ましくは、第１のアップリンクサブフレームについて決定されたＬＢＴ  Ｃａｔ４メカニズムは、複数の直交周波数分割多重（ＯＦＤＭ）シンボルによって設定され、後続するアップリンクフレームのそれぞれについて決定されたＬＢＴ  Ｃａｔ４メカニズム又はより簡単なＬＢＴメカニズムは、１つのＯＦＤＭシンボルによって設定される。
【０１５２】
本開示の一実施形態では、キャリア間スケジューリングのために、本方法は、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、高速のコンテンションベースのチャネルアクセスにＬＢＴメカニズム及び／又はＬＢＴメカニズムパラメータセットを適用しないことを決定することを更に含むことができる。
【０１５３】
本開示の一実施形態では、全てのサブフレームがアップリンクサブフレームである場合、方法は、第１のアップリンクサブフレームを、第２のアップリンクサブフレームの前のＬＢＴメカニズム及び／又はＬＢＴメカニズムパラメータセットを適用するための位置として使用することと、後続するアップリンクサブフレームのそれぞれについて、先行するアップリンクサブフレームの最後の直交周波数分割多重（ＯＦＤＭ）シンボルを、当該アップリンクサブフレームについてＬＢＴメカニズム及び／又はＬＢＴメカニズムパラメータセットを適用するための位置として使用することとを更に含むことができる。
【０１５４】
本開示の一実施形態では、この方法は、複数の連続するアップリンクサブフレームについて、送信デバイスによって、送信バースト内のアップリンクサブフレームの位置を取得し、又はＬＢＴメカニズム及び／又はＬＢＴメカニズムパラメータセットを適用することを更に含むことができ、これは、
固定フレーム構造の場合、
送信デバイスによって、スケジューリングされたサブフレームの位置に基づいて、所定の規則に従ってＬＢＴメカニズム及び／又はＬＢＴメカニズムパラメータセット適用すること、又は
フレキシブルなアップリンク／ダウンリンクサブフレーム構造の場合、
基地局によって、指示メッセージを介して、明示的に、スケジューリングされたサブフレームが最初のサブフレームであるか、最初のサブフレームの後ろの幾つかのサブフレームであるかを送信デバイスに通知すること、又は
基地局によって、動的ダウンリンク制御情報（ＤＣＩ）を介して、スケジューリングされたサブフレームに適用されるＬＢＴメカニズム及び／又はＬＢＴメカニズムパラメータセットを送信デバイスに指示することによって行うことができる。
【０１５５】
本開示の一実施形態では、送信デバイスから送信されたバースト内に複数の異なる優先度レベルが存在する場合、この方法は、所定のＬＢＴポリシに従ってコンテンションベースのチャネルアクセスを行うことを更に含むことができる。
【０１５６】
オプションとして、ＬＢＴメカニズム又はＬＢＴメカニズムのパラメータセットは、ユーザ装置（ＵＥ）がスケジューリングされるサブフレームに関する情報に基づいてＬＢＴメカニズム又はＬＢＴメカニズムパラメータセットを決定すること、基地局からＵＥに送信されるダウンリンク制御情報（ＤＣＩ）シグナリングに基づいてＬＢＴメカニズム又はＬＢＴメカニズムパラメータセットを決定すること、及び上位層無線リソース制御（ＲＲＣ）シグナリングに基づいてＬＢＴメカニズム又はＬＢＴメカニズムパラメータセットを決定することのうちの１つによって取得してもよい。
【０１５７】
オプションとして、ＵＥがスケジューリングされるサブフレームに関する情報は、物理層のＤＣＩシグナリングに基づいて決定してもよい。
【０１５８】
オプションとして、複数のアップリンクサブフレームの場合、又は複数の連続するサブフレームがスケジューリングされる場合、
第１のアップリンクサブフレームにＬＢＴ  Ｃａｔ４が適用され、複数の後続するアップリンクサブフレームにＬＢＴ  Ｃａｔ２が適用され、又は
第１のアップリンクサブフレームにＬＢＴ  Ｃａｔ２が適用され、複数の後続するアップリンクサブフレームにＬＢＴ  Ｃａｔ２が適用され、又は
第１のアップリンクサブフレームにＬＢＴ  Ｃａｔ４が適用され、複数の後続するアップリンクサブフレームにＬＢＴ  Ｃａｔ４が適用され、又は
第１のアップリンクサブフレームにＬＢＴ  Ｃａｔ４が適用され、複数の後続するアップリンクサブフレームのそれぞれに、先行するサブフレームより小さなコンテンションウィンドウ（ＣＷ）が適用され、又は
第１のアップリンクサブフレームにＬＢＴ  Ｃａｔ４が適用され、複数の後続するアップリンクサブフレームにＬＢＴが適用されず、又は
第１のアップリンクサブフレームにＬＢＴ  Ｃａｔ２が適用され、複数の後続するアップリンクサブフレームにＬＢＴが適用されない。
【０１５９】
オプションとして、複数のアップリンクサブフレームの場合、又は複数の連続するサブフレームがスケジューリングされる場合、
アップリンクサブフレームでＬＢＴが成功した場合、後続するアップリンクサブフレームにＬＢＴが適用されず、又は
アップリンクサブフレームでＬＢＴが成功した場合、基地局によってシグナリングされるＬＢＴメカニズム又はＬＢＴメカニズムパラメータセットに基づいて、後続するアップリンクサブフレームにＬＢＴが適用され、又は
アップリンクサブフレームでＬＢＴが失敗した場合、該アップリンクサブフレームに適用されたものと同じＬＢＴメカニズム又はＬＢＴメカニズムパラメータセットに基づいて、次のアップリンクサブフレームにＬＢＴが適用され、又は
アップリンクサブフレームでＬＢＴが失敗した場合、基地局によって設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、予め設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、デフォルトのＬＢＴメカニズム又はＬＢＴメカニズムのパラメータセットに基づいて次のアップリンクサブフレームにＬＢＴが適用される。
【０１６０】
オプションとして、ユーザ装置（ＵＥ）が、設定されたＬＢＴメカニズム又はＬＢＴメカニズムパラメータセットに基づくチャネルアクセスに複数回連続して失敗した場合、この方法は、ＬＢＴ優先度、ＬＢＴメカニズム又はＬＢＴメカニズムパラメータセットを調整することを更に含み、この調整は、
基地局によってシグナリングされる指示、
フィードバック情報の測定、
干渉条件の測定、及び
送信されるチャネル、送信される信号、送信される論理チャネル、又は送信されるトラフィックの種類のうちの少なくとも１つの優先度の１つに基づいて行われる。
【０１６１】
オプションとして、物理層ＤＣＩシグナリング又は上位層ＲＲＣシグナリングに、ＬＢＴメカニズム又はＬＢＴメカニズムパラメータセットを示す情報要素（ＩＥ）フィールドが追加してもよい。ＩＥフィールドは、ｎビットを使用でき、ｎは、１以上の整数である。
【０１６２】
本開示の実施形態による方法により、ＬＢＴモードを決定できる。ＬＢＴモードを選択することにより、不適切なＬＢＴモードのためにチャネルリソース及び指示情報が浪費されることを回避でき、これにより、コンテンションベースのチャネルアクセスの効率が改善される。
【０１６３】
図２は、本開示の一実施形態に基づくＬＢＴモードを決定するための装置の構造を示すブロック図である。図２に示すように、この装置は、少なくとも、関連指示情報及び／又は優先度情報及び／又は測定情報に基づいてＬＢＴメカニズム及び／又はＬＢＴメカニズムパラメータセットを決定するように構成されている決定ユニットを備える。
【０１６４】
本開示の一実施形態では、この装置は、決定されたＬＢＴメカニズム及び／又はＬＢＴメカニズムパラメータセット送信デバイスに送信し、決定されたＬＢＴメカニズム及び／又はＬＢＴメカニズムパラメータセットに基づいて、コンテンションベースのチャネルアクセスを送信デバイスに実行させるフィードバックユニットを更に備えることができる。
【０１６５】
ＬＢＴメカニズムは、ランダムバックオフを有さないＬＢＴメカニズム及びランダムバックオフを有するＬＢＴメカニズムを含むことができる。
【０１６６】
ＬＢＴメカニズムがＬＢＴ  Ｃａｔ４メカニズムである場合、ＬＢＴメカニズムパラメータセットは、ＬＢＴ  Ｃａｔ４メカニズムの最小ＣＷ、最大ＣＷ、延長期間の要素ｎの少なくとも１つを含むことができる。ＬＢＴメカニズムがＬＢＴ  Ｃａｔ２メカニズムである場合、ＬＢＴメカニズムパラメータセットは、ＬＢＴ  Ｃａｔ２メカニズムのＣＣＡの時間長を含むことができる。
【０１６７】
ＬＢＴメカニズムがＬＢＴ  Ｃａｔ４メカニズムである場合、ＬＢＴメカニズムパラメータセットは、更に、第１のＣＣＡの時間長を含むことができる。
【０１６８】
本開示の一実施形態では、この装置は、カテゴリ決定ユニットを更に備えることができ、カテゴリ決定ユニットは、ＬＢＴメカニズムがＬＢＴ  Ｃａｔ４メカニズムである場合、ＬＢＴ  Ｃａｔ４のパラメータセットにおける最大ＣＷの値と最小ＣＷの値との差、及び／又は延長期間における要素ｎの大きさに基づいて、ＬＢＴメカニズムパラメータセットをそれぞれのカテゴリに分割する。分割されるＬＢＴメカニズムパラメータセットのそれぞれのカテゴリは、部分的に重なり合う又は重なり合わない、それぞれのカテゴリの最大ＣＷ及び最小ＣＷに対応するＣＷ区間を有することができる。カテゴリ決定ユニットは、ＬＢＴメカニズムがＬＢＴ  Ｃａｔ２メカニズムである場合、ＬＢＴ  Ｃａｔ２のＣＣＡの異なる時間長に基づいて、ＬＢＴメカニズムパラメータセットをそれぞれのカテゴリに分割し、又はＬＢＴメカニズムがＬＢＴ  Ｃａｔ２及びＬＢＴ  Ｃａｔ４を含む場合、ＣＣＡの異なる時間長、ＣＷのサイズ及び／又は延長期間における要素ｎの大きさに基づいてＬＢＴメカニズムパラメータセットをそれぞれのカテゴリに分割するように構成することができる。
【０１６９】
決定ユニットは、
関連指示情報が送信データパケットのサイズである場合、
各ＬＢＴメカニズム及び／又はＬＢＴメカニズムパラメータセットに対応する、送信データのサイズのセットを事前設定し、
送信データパケットのサイズに対応するＬＢＴメカニズム及び／又はＬＢＴメカニズムパラメータセットを選択し、
スイッチング関連情報が連続的にスケジューリングされたサブフレームの数である場合、
各ＬＢＴメカニズム及び／又はＬＢＴメカニズムパラメータセットに対応する、連続的にスケジューリングされたサブフレームの数のセットを事前設定し、
連続的にスケジューリングされたサブフレームの数に対応するＬＢＴメカニズム及び／又はＬＢＴメカニズムパラメータセットを選択し、
スイッチング関連情報がダウンリンク制御情報（ＤＣＩ）シグナリングにおいて設定された１つ以上のビットである場合、
各ＬＢＴメカニズム及び／又はＬＢＴメカニズムパラメータセットに対応する、ＤＣＩシグナリングにおいて設定されているビット情報のセット及び／又はビット数を予め設定し、
コンテンションベースのチャネルアクセスのためのＤＣＩシグナリングにおいて設定されているビット情報及び／又はビット数に対応するＬＢＴメカニズム及び／又はＬＢＴメカニズムパラメータセットを選択し、
スイッチング関連情報がブロードキャストスキームである場合、
送信デバイスにブロードキャストされるＬＢＴリストセット内の識別情報、ＬＢＴメカニズムパラメータセットのカテゴリ、ＬＢＴメカニズム及び／又はＬＢＴメカニズムパラメータセットに基づいて、ＬＢＴメカニズム及び／又はＬＢＴメカニズムパラメータセットを決定し、
スイッチング関連情報がアップリンクバーストとダウンリンクバーストとの間のギャップの時間領域長である場合、
各ＬＢＴメカニズム及び／又はＬＢＴメカニズムパラメータセットに対応するギャップの時間領域長のセットを事前設定し、
アップリンクバーストとダウンリンクバーストとの間のギャップの時間領域長に対応するＬＢＴメカニズム及び／又はＬＢＴメカニズムパラメータセットを決定し、
スイッチング関連情報が基地局からシグナリングされるＬＢＴリスト内の識別情報である場合、
当該送信デバイスと基地局との間で共有されるようにスイッチングのためのＬＢＴメカニズムの情報リストを事前設定し、
送信デバイスによって、基地局によって指示され又はブロードキャストされた情報リスト内の識別情報に基づいて、ＬＢＴメカニズム及び／又はＬＢＴメカニズムパラメータセットを決定し、
関連指示情報が送信バースト又は連続するアップリンクサブフレームにおけるスケジューリングされたサブフレームの位置である場合、
各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定し、
送信バースト内又は連続するアップリンクサブフレーム内のスケジューリングされたサブフレームの位置に基づいて、ＬＢＴメカニズム及び／又はＬＢＴメカニズムパラメータセットを決定し、
関連指示情報がスケジューリング命令の送信のためのキャリアシナリオである場合、
同一キャリア内スケジューリング又はキャリア間スケジューリングに基づいて、ＬＢＴメカニズム及び／又はＬＢＴメカニズムパラメータセットを決定するように構成することができる。
【０１７０】
本開示の一実施形態では、この装置は、コンテンション処理ユニットを更に備えることができ、コンテンション処理ユニットは、スイッチング関連情報がアップリンクバーストとダウンリンクバーストとの間のギャップの時間領域長である場合、各ＬＢＴメカニズム及び／又はＬＢＴメカニズムパラメータセットに対応するギャップの時間領域長のセットを事前設定し、アップリンクバーストとダウンリンクバーストとの間のギャップの時間領域長が所定の閾値よりも短い場合、ＬＢＴメカニズム及び／又はＬＢＴメカニズムパラメータセットを適用しないと決定するように構成することができる。
【０１７１】
決定ユニットは、関連指示情報に基づいてＬＢＴメカニズムを決定した後、優先度情報における異なる優先度レベルに基づいて、ＬＢＴメカニズムに対応するＬＢＴメカニズムパラメータセットを決定するように構成することができる。
【０１７２】
決定ユニットは、関連指示情報に基づいてＬＢＴメカニズムを決定した後、優先度情報に含まれる異なる優先度に基づいて、所定の対応関係に従って、対応するＬＢＴメカニズム、ＬＢＴメカニズムパラメータセット、又はＬＢＴメカニズムパラメータセットのカテゴリを決定するように構成することができる。優先度情報は、トラフィックタイプのＱｏＳ優先度、チャネルの優先度、信号の優先度、及び／又は論理チャネルの優先度を含むことができる。
【０１７３】
本開示の一実施形態では、この装置は、調整ユニットを備えることができ、調整ユニットは、決定ユニットが、所定の対応関係に従って、対応するＬＢＴメカニズム、ＬＢＴメカニズムパラメータセット又はＬＢＴメカニズムパラメータセットのカテゴリを決定した後、関連指示情報に基づいて、ＬＢＴメカニズムのより具体的なパラメータを決定するように構成することができる。
【０１７４】
本開示の一実施形態では、この装置は、調整処理ユニットを更に備え、調整処理ユニットは、決定されたＬＢＴメカニズム及び／又はＬＢＴメカニズムパラメータセットに基づいて、コンテンションベースのチャネルアクセスを実行するとき、コンテンションベースのアクセスが１回失敗した場合、後続するコンテンションベースのチャネルアクセスの優先度情報に基づいて、より高い優先度レベルに対応するＬＢＴメカニズム及び／又はＬＢＴメカニズムパラメータセットを選択し、コンテンションベースのアクセスが１回成功した場合、後続するコンテンションベースのチャネルアクセスのための優先度情報に基づいて、より低い優先度レベルに対応するＬＢＴメカニズム及び／又はＬＢＴメカニズムパラメータセットを選択し、ＬＢＴメカニズム及び／又はＬＢＴメカニズムパラメータセットに基づくコンテンションベースのアクセスが失敗した回数が第１の所定の閾値に達した場合、ＣＷサイズがより小さい及び／又はＣＣＡの時間長がより長いＬＢＴメカニズムパラメータセット、又はコンテンションベースのチャネルアクセスのためのより簡単な又はより高速のＬＢＴメカニズムを選択し、ＬＢＴメカニズム及び／又はＬＢＴメカニズムパラメータセットに基づくコンテンションベースのアクセスが成功した回数が第２の所定の閾値に達した場合、ＣＷサイズがより大きい及び／又はＣＣＡの時間長がより長いＬＢＴメカニズムパラメータセット、又はコンテンションベースのチャネルアクセスのためのより複雑なＬＢＴメカニズムを選択するように構成することができる。第１の所定の閾値及び第２の所定の閾値は、予め定義され、統計に基づいて取得され、又は基地局によって指示することができる。
【０１７５】
本開示の一実施形態では、この装置は、最初の送信及び再送信について異なるＬＢＴメカニズム及び／又はＬＢＴメカニズムパラメータセットが選択されるように、データの再送信のＬＢＴメカニズム及び／又はＬＢＴメカニズムパラメータセットを調整する再送信調整ユニットを更に備えることができる。
【０１７６】
再送信調整ユニットは、再送信のためのＬＢＴメカニズム及び／又はＬＢＴメカニズムパラメータセットとして、最初の送信のために選択されたＬＢＴメカニズム及び／又はＬＢＴメカニズムのパラメータセットと比較して、異なるＬＢＴメカニズム又はＣＷサイズがより小さい及び／又はＣＣＡの時間長がより短い同じＬＢＴメカニズムを決定するように構成することができる。
【０１７７】
決定ユニットは、更に、複数の連続するアップリンクサブフレームについて、それぞれのアップリンクサブフレームに同じＬＢＴメカニズム又はＬＢＴメカニズムパラメータセット又は異なるＬＢＴメカニズム又はＬＢＴメカニズムパラメータセットを使用することを決定するように構成することができる。
【０１７８】
決定ユニットは、更に、同一キャリア内スケジューリング及び複数の連続するアップリンクサブフレームについて、第１のアップリンクサブフレームが送信される前に、高速のコンテンションベースのチャネルアクセスのための高速のＬＢＴメカニズム及び／又はＬＢＴメカニズムパラメータセットを使用することを決定し、後続するアップリンクサブフレームのそれぞれについて、先行するアップリンクサブフレームのために、高速のコンテンションベースのチャネルアクセスのために使用されたＬＢＴメカニズム及びＬＢＴメカニズムパラメータセットよりも高速のＬＢＴメカニズム及び／又はＬＢＴメカニズムパラメータセットを決定するように構成することができる。第１のアップリンクサブフレームに対して決定された高速のＬＢＴメカニズム又はＬＢＴメカニズムパラメータセットは、複数の直交周波数分割多重（ＯＦＤＭ）シンボルによって設定される。
【０１７９】
決定ユニットは、更に、同一キャリア内スケジューリングについて、第１のアップリンクサブフレームが送信される前に、高速のコンテンションベースのチャネルアクセスに高速のＬＢＴメカニズムとＬＢＴメカニズムパラメータセットを使用することを決定し、後続するアップリンクサブフレームのそれぞれについて、高速のコンテンションベースのチャネルアクセスのためのＬＢＴメカニズム及び／又はＬＢＴメカニズムパラメータセットを使用しないことを決定するように構成することができる。
【０１８０】
決定ユニットは、更に、同一キャリア内スケジューリング及び複数の連続するアップリンクサブフレームについて、第１のアップリンクサブフレームが送信される前に、高速のコンテンションベースのチャネルアクセスのための高速のＬＢＴメカニズム及びＬＢＴメカニズムパラメータセットを使用することを決定し、後続するアップリンクサブフレームのそれぞれについて、高速のコンテンションベースのチャネルアクセスのために第１のアップリンクサブフレームに使用されるＬＢＴメカニズム及びＬＢＴメカニズムパラメータセットと同じＬＢＴメカニズム及びＬＢＴメカニズムパラメータセットを使用することを決定するように構成することができる。第１のアップリンクサブフレームに対して決定される高速のＬＢＴメカニズム及び／又はＬＢＴメカニズムパラメータセットは、複数の直交周波数分割多重（ＯＦＤＭ）シンボルによって設定され、後続するアップリンクサブフレームのそれぞれについて決定される高速のＬＢＴメカニズム及び／又はＬＢＴメカニズムパラメータセットは、１つのＯＦＤＭシンボルによって設定される。
【０１８１】
決定ユニットは、更に、キャリア間スケジューリング及び複数の連続するアップリンクサブフレームのために、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、先行するアップリンクサブフレームに使用されたＬＢＴ  Ｃａｔ４メカニズムよりＣＷが小さい又はよりＬＢＴメカニズムがより簡単なＬＢＴ  Ｃａｔ４メカニズムを使用することを決定するように構成することができる。
【０１８２】
決定ユニットは、更に、キャリア間スケジューリングのために、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、高速のコンテンションベースのチャネルアクセスにＬＢＴメカニズム及び／又はＬＢＴメカニズムパラメータセットを適用しないことを決定するように構成することができる。
【０１８３】
決定ユニットは、更に、キャリア間スケジューリング及び複数の連続するアップリンクサブフレームのために、ダウンリンクでデータを送信せず、免許が必要なキャリアを介してアップリンクグラント情報が送信される場合、第１のアップリンクサブフレームが送信される前に、ＬＢＴ  Ｃａｔ４メカニズムを使用することを決定し、後続するアップリンクサブフレームのそれぞれについて、先行するアップリンクサブフレームに使用されたＬＢＴ  Ｃａｔ４メカニズムよりコンテンションウィンドウ（ＣＷ）が小さい又はよりＬＢＴメカニズムがより簡単なＬＢＴ  Ｃａｔ４メカニズムを使用することを決定できる。第１のアップリンクサブフレームについて決定されたＬＢＴ  Ｃａｔ４メカニズムは、複数の直交周波数分割多重（ＯＦＤＭ）シンボルによって設定され、後続するアップリンクサブフレームのそれぞれについて決定されるＬＢＴ  Ｃａｔ４メカニズム又はより簡単なＬＢＴメカニズムは、１つのＯＦＤＭシンボルによって設定される。
【０１８４】
本開示の一実施形態では、この装置は、位置決定ユニットを更に備えることができ、位置決定ユニットは、複数の連続するアップリンクサブフレームについて、第１のアップリンクサブフレームを、第２のアップリンクサブフレームの前のＬＢＴメカニズム及び／又はＬＢＴメカニズムパラメータセットを適用するための位置として使用し、後続するアップリンクサブフレームのそれぞれについて、先行するアップリンクサブフレームの最後の直交周波数分割多重（ＯＦＤＭ）シンボルを、当該アップリンクサブフレームについてＬＢＴメカニズム及び／又はＬＢＴメカニズムパラメータセットを適用するための位置として使用するように構成することができる。
【０１８５】
本開示の一実施形態では、この装置は、送信バースト内のアップリンクサブフレームの位置を取得し、又はＬＢＴメカニズム及び／又はＬＢＴメカニズムパラメータセットを適用する取得ユニットを更に備えることができ、これは、
固定フレーム構造の場合、
送信デバイスによって、スケジューリングされたサブフレームの位置に基づいて、所定の規則に従ってＬＢＴメカニズム及び／又はＬＢＴメカニズムパラメータセット適用すること、又は
フレキシブルなアップリンク／ダウンリンクサブフレーム構造の場合、
基地局によって、指示メッセージを介して、明示的に、スケジューリングされたサブフレームが最初のサブフレームであるか、最初のサブフレームの後ろの幾つかのサブフレームであるかを送信デバイスに通知すること、又は
基地局によって、動的ダウンリンク制御情報（ＤＣＩ）を介して、スケジューリングされたサブフレームに適用されるＬＢＴメカニズム及び／又はＬＢＴメカニズムパラメータセットを送信デバイスに指示することによって行うことができる。
【０１８６】
本開示の一実施形態では、この装置は、優先度ポリシユニットを更に備えることができ、優先度ポリシユニットは、送信デバイスから送信されたバースト内に複数の異なる優先度レベルが存在する場合、所定の優先度ポリシに従って、ＬＢＴメカニズム及び／又はＬＢＴメカニズムパラメータセットを決定するように構成することができる。
【０１８７】
オプションとして、ＬＢＴメカニズム又はＬＢＴメカニズムのパラメータセットは、ユーザ装置（ＵＥ）がスケジューリングされるサブフレームに関する情報に基づいてＬＢＴメカニズム又はＬＢＴメカニズムパラメータセットを決定すること、基地局からＵＥに送信されるダウンリンク制御情報（ＤＣＩ）シグナリングに基づいてＬＢＴメカニズム又はＬＢＴメカニズムパラメータセットを決定すること、及び上位層無線リソース制御（ＲＲＣ）シグナリングに基づいてＬＢＴメカニズム又はＬＢＴメカニズムパラメータセットを決定することのうちの１つによって取得してもよい。
【０１８８】
オプションとして、ＵＥがスケジューリングされるサブフレームに関する情報は、物理層のＤＣＩシグナリングに基づいて決定してもよい。
【０１８９】
オプションとして、複数のアップリンクサブフレームの場合、又は複数の連続するサブフレームがスケジューリングされる場合、
第１のアップリンクサブフレームにＬＢＴ  Ｃａｔ４が適用され、複数の後続するアップリンクサブフレームにＬＢＴ  Ｃａｔ２が適用され、又は
第１のアップリンクサブフレームにＬＢＴ  Ｃａｔ２が適用され、複数の後続するアップリンクサブフレームにＬＢＴ  Ｃａｔ２が適用され、又は
第１のアップリンクサブフレームにＬＢＴ  Ｃａｔ４が適用され、複数の後続するアップリンクサブフレームにＬＢＴ  Ｃａｔ４が適用され、又は
第１のアップリンクサブフレームにＬＢＴ  Ｃａｔ４が適用され、複数の後続するアップリンクサブフレームのそれぞれに、先行するサブフレームより小さなコンテンションウィンドウ（ＣＷ）が適用され、又は
第１のアップリンクサブフレームにＬＢＴ  Ｃａｔ４が適用され、複数の後続するアップリンクサブフレームにＬＢＴが適用されず、又は
第１のアップリンクサブフレームにＬＢＴ  Ｃａｔ２が適用され、複数の後続するアップリンクサブフレームにＬＢＴが適用されないようにしてもよい。
【０１９０】
オプションとして、複数のアップリンクサブフレームの場合、又は複数の連続するサブフレームがスケジューリングされる場合、
アップリンクサブフレームでＬＢＴが成功した場合、後続するアップリンクサブフレームにＬＢＴが適用されず、又は
アップリンクサブフレームでＬＢＴが成功した場合、基地局によってシグナリングされるＬＢＴメカニズム又はＬＢＴメカニズムパラメータセットに基づいて、後続するアップリンクサブフレームにＬＢＴが適用され、又は
アップリンクサブフレームでＬＢＴが失敗した場合、該アップリンクサブフレームに適用されたものと同じＬＢＴメカニズム又はＬＢＴメカニズムパラメータセットに基づいて、次のアップリンクサブフレームにＬＢＴが適用され、又は
アップリンクサブフレームでＬＢＴが失敗した場合、基地局によって設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、予め設定されたＬＢＴメカニズム又はＬＢＴメカニズムパラメータセットに基づいて、次のアップリンクサブフレームにＬＢＴが適用され、又は
アップリンクサブフレームでＬＢＴが失敗した場合、デフォルトのＬＢＴメカニズム又はＬＢＴメカニズムのパラメータセットに基づいて次のアップリンクサブフレームにＬＢＴが適用されるようにしてもよい。
【０１９１】
オプションとして、ユーザ装置ＵＥが、設定されたＬＢＴメカニズム又はＬＢＴメカニズムパラメータセットに基づくチャネルアクセスに複数回連続して失敗した場合、ＬＢＴ優先度、ＬＢＴメカニズム又はＬＢＴメカニズムパラメータセットを調整してもよく、この調整は、
基地局によってシグナリングされる指示、
フィードバック情報の測定、
干渉条件の測定、及び
送信されるチャネル、送信される信号、送信される論理チャネル、又は送信されるトラフィックの種類のうちの少なくとも１つの優先度の１つに基づいて行うことができる。
【０１９２】
オプションとして、ＬＢＴメカニズム又はＬＢＴメカニズムパラメータセットを示す情報要素（Information Element：ＩＥ）フィールドを追加してもよい。ＩＥフィールドは、ｎビットを使用でき、ｎは、１以上の整数である
なお、本開示の実施形態に基づく装置によれば、各ユニットは、実際のネットワーク構造に応じて、基地局に設けてもよく、送信デバイスに設けてもよく、基地局及び送信デバイスに接続されたスタンドアロンデバイスであってもよい。これらを別々の場所に設ける場合、確立されたネットワーク通信を介して幾つかの情報を交換する必要がある。当業者は、進歩的な努力なしでこのような変形を想到できる。
【０１９３】
ＬＢＴモードスイッチングのための方法を提供する。この方法は、関連指示情報及び／又は優先度情報及び／又は測定情報に基づいて、ＬＢＴメカニズム及び／又はＬＢＴメカニズムパラメータセットを決定することと、送信デバイスによって、決定されたＬＢＴメカニズム及び／又はＬＢＴメカニズムパラメータセットに基づいて、チャネルアクセスを実行することを含む。
【０１９４】
以下では、特定の実施形態を参照して、本発明の実施形態に係る方法について詳細に説明する。これらの実施形態は、本開示の実施形態を例示するためにのみ提供され、本開示の実施形態の範囲を限定するものではない。
【０１９５】
＜実施形態１＞
この実施形態では、ＬＢＴモードスイッチングには、以下の２つのタイプがある。
【０１９６】
タイプ１：異なるＬＢＴメカニズム間のスイッチング、及び
タイプ２：１つのＬＢＴメカニズム内における異なるＬＢＴメカニズムパラメータセット間のスイッチング。
【０１９７】
ＬＢＴメカニズムは、ＬＢＴ  Ｃａｔ２メカニズム、ＬＢＴ  Ｃａｔ４メカニズム及びＬＢＴ  Ｃａｔ３メカニズムを含む。ＬＢＴ  Ｃａｔ２メカニズムは、ランダムバックオフを有さないＬＢＴメカニズムである。ランダムバックオフを有さないＬＢＴメカニズムは、コンテンションベースのチャネルアクセスのために１つのＣＣＡのみが実行されるＬＢＴ  Ｃａｔ２及びコンテンションベースのチャネルアクセスのために複数のＣＣＡが実行されるエンハンスドＬＢＴ  Ｃａｔ２に分類することができる。ＬＢＴ  Ｃａｔ２メカニズムでは、各ＣＣＡは、３４μｓ、２５μｓ、２０μｓ、１６μｓ、９μｓ又は４μｓの時間長を有することができる。ＣＣＡの時間長は、予め定義してもよく、基地局によって指示してもよく、ＲＲＣシグナリングを介して通知してもよく、異なるＱｏＳレベルに基づいて決定してもよく、異なるチャネル／信号／論理チャネルの優先度に基づいて決定してもよく、又は本開示の実施形態に基づいて提供される関連指示情報に基づいて決定してもよい。ここでは、「予め定義する」という用語は、当業者によって経験的に決定されることを意味する。一般的には、ＱｏＳレベルが高い（対応する優先度のインデクスが小さい）ほど、ＣＣＡの時間長が短くなり、並びにチャネル／信号／論理チャネルの優先度が高い（対応する優先度のインデクスが小さい）ほど、ＣＣＡの時間長が短くなる。
【０１９８】
ＬＢＴ  Ｃａｔ４メカニズムは、可変ＣＷサイズを有するランダムバックオフを有するＬＢＴメカニズムである。ＬＢＴ  Ｃａｔ４メカニズムのパラメータのセットは、第１のＣＣＡ、ランダムバックオフ値Ｎ、最小ＣＷ（ＣＷｍｉｎ）、最大ＣＷ（ＣＷｍａｘ）、及び延長期間（defer period）を含む。延長期間は、ｎ×９μｓ＋１６μｓ又は１６μｓ＋ｎ×９μｓであり、ここで、ｎは、自然数である。
【０１９９】
好ましくは、第１のＣＣＡ（例えば、第１のＣＣＡ）は、３４μｓ（１６μｓ＋２×９μｓ又は９μｓ＋（１６μｓ＋１６μｓ））、２５μｓ又は９μｓの時間長を有することができる。ランダムバックオフ値Ｎは、［０，ｑ−１］の区間の値であり、ｑは、ＣＷｍｉｎからＣＷｍａｘまでの範囲の値である。アップリンクＬＢＴ  Ｃａｔ４メカニズムについては、延長期間中におけるｎの値は、［０，２］の範囲とすることができる。オプションとして、ｎの値は、経験的な値として１にすることができる。更に、送信デバイスがチャネルに速くアクセスできるようにするために、ｎを０に設定してもよい。Ｗｉ−ＦｉシステムにおけるＤＩＦＳ（Distributed Inter-Frame Spacing）検出の時間長に合わせるために、ｎの値を２にしてもよい。ＬＢＴ  Ｃａｔ２メカニズムは、ＬＢＴ  Ｃａｔ４のランダムバックオフ値が０の場合のＬＢＴ  Ｃａｔ４の特別なケースであると考えることができる。
【０２００】
ＬＢＴ  Ｃａｔ３メカニズムは、一定のＣＷサイズを有するランダムバックオフを有するＬＢＴメカニズムである。好ましくは、ＬＢＴ  Ｃａｔ３メカニズムは、ＬＢＴ  Ｃａｔ４においてＣＷｍｉｎ＝ＣＷｍａｘの場合のＬＢＴ  Ｃａｔ４の特別なケースである。
【０２０１】
ＬＢＴメカニズムパラメータセット間のスイッチングは、ＣＣＡの異なる時間長又は異なるＣＷサイズを有するＬＢＴパラメータセット間、又は異なるＬＢＴメカニズム間のスイッチングを含む。
【０２０２】
ここで、上述の各ＬＢＴメカニズム又はＬＢＴメカニズムパラメータセットのスイッチングは、定義された条件又は状況においてトリガでき、これらには、異なるパラメータセット間の異なるＣＷサイズ、延長期間における異なるｎ値及び／又はＣＣＡの異なる時間長が含まれる。
【０２０３】
＜実施形態２＞
この実施形態では、関連指示情報は、送信データパケットのサイズである。ＬＢＴメカニズム及び／又はＬＢＴメカニズムパラメータセットは、この関連指示情報に基づいて以下のように決定できる。
【０２０４】
それぞれのＬＢＴメカニズム及び／又はＬＢＴメカニズムパラメータセットに対応する送信データのサイズのセットを事前設定できる。送信データパケットのサイズが含まれる送信データのサイズ範囲に応じて、送信データのサイズ範囲に対応する、コンテンションベースのチャネルアクセスのためのＬＢＴメカニズム及び／又はＬＢＴメカニズムパラメータセットを選択する。この例では、送信データのサイズの区間は、［ｘ１，ｘ２］、［ｘ３，ｘ４］、［ｘ５，ｘ６］及び［ｘ７，ｘ８］を含むことができる。送信データのサイズのそれぞれの区間は、部分的に重複していてもよく、互いに重複していなくてもよい。通常、区間は、先行する区間の最小値に等しい又はこれより小さい最小値を有し、先行する区間の最大値より大きい最大値を有する。この実施形態について、送信データパケットのサイズが送信データのサイズのための各区間に含まれる実施例を参照して詳細に説明する。
【０２０５】
この実施形態では、送信データパケットのサイズＡが、送信データのサイズとは異なる区間に含まれる場合、対応するＬＢＴメカニズム及び／又はＬＢＴメカニズムパラメータセットを選択できる。送信デバイス（この実施形態では、ＬＡＡ  ＵＥ）によって送信されるデータパケットのサイズが［ｘ１，ｘ２］に含まれる場合、ＬＡＡ  ＵＥは、送信前に１つのＣＣＡのみが実行されるＬＢＴ  Ｃａｔ２メカニズムを使用できる。ＬＢＴ  Ｃａｔ２メカニズムを選択する主な理由は、送信データパケットが大きくなく、ＬＢＴメカニズムが失敗しても、重大なリソースの浪費が生じないためである。ここでは、送信データパケットのサイズは、主に、送信デバイスに応じて、基地局によって設定される。更に、ＬＢＴ  Ｃａｔ２メカニズムにより、送信デバイスは、データパケットを送信するために高速のコンテンションベースのチャネルアクセスを実行できる。送信データパケットのサイズＡが［ｘ３，ｘ４］に含まれる場合、ＬＡＡ  ＵＥは、送信前に２回以上のＣＣＡが実行されるＬＢＴ  Ｃａｔ２メカニズムを使用でき、これにより、チャネルアクセスのために複数の機会を提供でき、この区間内の送信データパケットサイズで、送信デバイスがデータを正常に送信できることを保証できる。送信データパケットのサイズＡが［ｘ５，ｘ６］に含まれる場合、ＬＡＡ  ＵＥは、送信前にＬＢＴ  Ｃａｔ３メカニズムを使用できる。送信データパケットのサイズＡが［ｘ７，ｘ８］に含まれる場合、ＬＡＡ  ＵＥは、送信前にＬＢＴ  Ｃａｔ４メカニズムを使用できる。この実施形態では、送信データパケットのサイズに基づいて、コンテンションベースのチャネルアクセスのためのＬＢＴメカニズムが選択される。送信データパケットが大きい場合、ＣＣＡの時間長が長い又は大きなＣＷサイズを有するＬＢＴメカニズムが選択される。送信データパケットのサイズに基づいて、様々なＬＢＴメカニズムを柔軟に選択できる。これにより、データの効率的かつ高速な伝送を保証できると共に、リソースを合理的に利用できる。
【０２０６】
この実施形態では、送信データパケットのサイズＡが異なる区間に含まれる場合、コンテンションベースのチャネルアクセスのために、異なるＬＢＴメカニズムパラメータセットを選択できる。具体的には、コンテンションベースのチャネルアクセスのために、パラメータセット内の異なるＣＷ値を選択できる。送信データパケットのサイズＡが［ｘ１，ｘ２］に含まれる場合、ＬＡＡ  ＵＥは、送信前にＣＷが最小のＬＢＴ  Ｃａｔ４メカニズムを使用できる。例えば、最小ＣＷ（ＣＷｍｉｎ）を１とすることができ、最大ＣＷ（ＣＷｍａｘ）を３とすることができ、延長期間におけるｎの値を１又は２とすることができる。もちろん、より高速のコンテンションベースのチャネルアクセスを提供するために、ｎを０に設定してもよい。送信データパケットのサイズＡが［ｘ３，ｘ４］に含まれる場合、ＬＡＡ  ＵＥは、送信前に最小ＣＷより大きいＣＷを有するＬＢＴ  Ｃａｔ４メカニズムを使用でき、これ以降も同様に、データパケットのサイズが増加すると、対応するＬＢＴ  Ｃａｔ４のＣＷが増加する。送信データパケットのサイズの区間は、部分的に重複していてもよく、重複していなくてもよい。区間の終了点の値は、増加する。
【０２０７】
＜実施形態３＞
この実施形態では、関連指示情報は、連続的にスケジューリングされたサブフレームの数である。ＬＢＴメカニズム及び／又はＬＢＴメカニズムパラメータセットは、送信データパケットのサイズに基づいてＬＢＴメカニズム及び／又はＬＢＴメカニズムパラメータセットを決定する場合と同様の手法で、関連指示情報に基づいて決定できる。
【０２０８】
具体的には、それぞれのＬＢＴメカニズム及び／又はＬＢＴメカニズムパラメータセットに対応する一連の連続的にスケジューリングされたサブフレームを事前設定できる。連続的にスケジューリングされたサブフレームの数に応じて、コンテンションベースのチャネルアクセスのためのＬＢＴメカニズム及び／又はＬＢＴメカニズムパラメータセットを選択できる。連続的にスケジューリングされたサブフレームの数の区間の値及び重複に関連する原理は、送信データのサイズの区間についてのものと同じである。この実施形態では、一連の連続的にスケジューリングされたサブフレームの数の区間が［ｍ１，ｍ２］、［ｍ３，ｍ４］、［ｍ５，ｍ６］及び［ｍ７，ｍ８］を含むと仮定する。
【０２０９】
連続的にスケジューリングされたサブフレームの数Ａが［ｍ１，ｍ２］に含まれる場合、ＬＡＡ  ＵＥは、送信前に１つのＣＣＡのみが実行されるＬＢＴ  Ｃａｔ２メカニズムを使用できる。連続的にスケジューリングされたサブフレームの数Ａが［ｍ３，ｍ４］に含まれる場合、ＬＡＡ  ＵＥは、送信前に２つ以上のＣＣＡが実行されるＬＢＴ  Ｃａｔ２メカニズムを使用できる。同様に、ＵＥが連続的にスケジューリングされたサブフレームの数Ａが［ｍ５，ｍ６］に含まれる場合、ＬＡＡ  ＵＥは、送信前にＬＢＴ  Ｃａｔ３メカニズムを使用できる。ＵＥが連続的にスケジューリングされたサブフレームの数Ａが［ｍ７，ｍ８］に含まれる場合、ＬＡＡ  ＵＥは、送信前にＬＢＴ  Ｃａｔ４メカニズムを使用できる。ここで、各区間の端点の値は、異なっていてもよく（すなわち、区間毎に、左端点が、右端点よりも小さくてもよく）、同じであってもよい。アップリンク送信サブフレームの数又はアップリンク送信バーストの長さは、特定のフレーム構造に応じて、１ｍｓ、２ｍｓ、３ｍｓ、４ｍｓ、５ｍｓ、又は５ｍｓより大とすることができる。好ましくは、ｍ１及び／又はｍ２は、１ｍｓ又は２ｍｓとして設定することができる。利用可能なアップリンクＬＢＴメカニズムがＬＢＴ  Ｃａｔ２及びＬＢＴ  Ｃａｔ４メカニズムのみを含む場合、異なるサイズのデータパケットは、ＬＢＴ  Ｃａｔ２、及びＣＷ値が連続して増加するＬＢＴ  Ｃａｔ４メカニズムに対応することができる。すなわち、ＬＢＴ  Ｃａｔ２、及び異なるＣＷサイズを有するＬＢＴ  Ｃａｔ４は、連続的にスケジューリングされたサブフレームの数の異なる区間に対応する。これに代えて、アップリンク送信前にＬＢＴ  Ｃａｔ４メカニズムのみが利用可能である場合、ＬＢＴメカニズムのパラメータセットは、連続的にスケジューリングされたサブフレームの数Ａが含まれる、連続的にスケジューリングされたサブフレームの数の異なる区間に基づいて、ＬＢＴメカニズムパラメータセット内の異なるＣＷサイズを選択することによって選択できる。具体的には、ＬＢＴモードは、以下のようにスイッチングすることができる。
【０２１０】
連続的にスケジューリングされたサブフレームの数Ａが［ｍ１，ｍ２］に含まれる場合、ＬＡＡ  ＵＥは、送信前に、最小ＣＷ（ＣＷｍｉｎ）として１、及び最大ＣＷ（ＣＷｍａｘ）として３を使用でき、延長期間におけるｎの値は、実際の状況に応じて、０、１又は２とすることができる。連続的にスケジューリングされたサブフレームの数Ａが［ｍ３，ｍ４］に含まれる場合、ＬＡＡ  ＵＥは、送信前に、［ｍ１，ｍ２］に使用したものより大きい最小ＣＷを使用でき、これ以降も同様である。
【０２１１】
＜実施形態４＞
この実施形態では、関連指示情報は、ＤＣＩシグナリングで設定された１つ以上のビットである。ＬＢＴメカニズム及び／又はＬＢＴメカニズムパラメータセットは、各ＬＢＴメカニズム及び／又はＬＢＴメカニズムパラメータセットに対応する、ＤＣＩシグナリングで設定されるビット情報及び／又はビット数を事前設定し、コンテンションベースのチャネルアクセスのためのＤＣＩシグナリングにおいて設定されているビット情報及び／又はビット数に対応するＬＢＴメカニズム及び／又はＬＢＴメカニズムパラメータセットを選択することによって、関連指示情報に基づいて決定できる。
【０２１２】
好ましくは、ＤＣＩシグナリングにおいて設定される異なるビット情報は、指定されたＩＥフィールドの値、例えば、０からＮの整数値を参照することができ、これらは、異なるＬＢＴメカニズム及び／又はＬＢＴメカニズムパラメータセットに対応している。ＩＥフィールドが３ビットを含むと仮定すると、９個（０〜８）のＬＢＴメカニズム及び／又はＬＢＴメカニズムパラメータセットを決定できる。例えば、ＩＥフィールドの値が０００の場合、これは、１つのＣＣＡのみが実行されるＬＢＴ  Ｃａｔ２が選択可能であることをＵＥに指示し、ＩＥフィールドの値が００１の場合、これは、２つ以上のＣＣＡが実行されるＬＢＴ  Ｃａｔ２メカニズムが選択可能であることをＵＥに指示し、ＩＥフィールドの値が０１０の場合、これは、最小のＣＷを有するＬＢＴ  Ｃａｔ４メカニズム又はＬＢＴ  Ｃａｔ４メカニズムが選択可能であることをＵＥに指示する。以降も同様に、ＩＥフィールドの値が増加するにつれて、ＣＷサイズが連続的に増加する。ＬＢＴメカニズムパラメータセットは、延長期間におけるｎ、第１のＣＣＡのスロット長等、他のパラメータを含むことができる。
【０２１３】
ＤＣＩシグナリングが［０，ｑ−１］の区間でランダムバックオフ値Ｎを含み、送信デバイスがＤＣＩシグナリングを正しく復号できる場合、送信デバイスは、ランダムバックオフ値Ｎに基づいて、送信前にＬＢＴメカニズムを決定できる。ここで、ｑは、ＬＢＴ  Ｃａｔ４メカニズムに対応する［ＣＷｍｉｎ，ＣＷｍａｘ］の区間内の値をとる。ＤＣＩシグナリングがランダムバックオフ値Ｎを搬送していても、送信デバイスがこれを復号できない場合、送信デバイスは、ランダムバックオフ値Ｎを取得できず、この理由が、ＤＣＩシグナリングを正しく復号できなかったためであるか、ＤＣＩシグナリングが値Ｎを搬送していなかったためであるかを判定できない。この場合、送信デバイスは、コンテンションベースのチャネルアクセス用の所定のＬＢＴメカニズムを使用できる。
【０２１４】
＜実施形態５＞
この実施形態では、関連指示情報は、ブロードキャストスキームである。ＬＢＴメカニズム及び／又はＬＢＴメカニズムパラメータセットは、送信デバイスにブロードキャストされるＬＢＴメカニズムの識別情報又はＬＢＴメカニズムパラメータセットのカテゴリに基づいて、ＬＢＴメカニズム及び／又はＬＢＴメカニズムパラメータセットを選択することによって、関連指示情報に基づいて決定できる。
【０２１５】
具体的には、ブロードキャストスキームとは、コンテンションベースのチャネルアクセスのために選択されるＬＢＴメカニズム及び／又はＬＢＴメカニズムパラメータセットを送信デバイスに直接的にブロードキャストできることを意味する。例えば、基地局は、ＬＢＴメカニズムのパラメータセットにおいて、ランダムバックオフ値Ｎ＝０を送信デバイスにブロードキャストできる。送信デバイスは、このパラメータから、スケジューリングされたサブフレームの前に、ＬＢＴ  Ｃａｔ２をランダムバックオフなしで適用する必要があることを知ることができる。これに代えて、エンハンスドＬＢＴ  Ｃａｔ２メカニズムを使用できる。この実施形態では、ＣＣＡのスロット長は、基地局によって予め定義又は設定してもよく、デフォルト値であってもよい。同様に、ランダムバックオフ値Ｎ＝３がブロードキャストされる場合、ＥＣＣＡプロセスにおけるランダムバックオフ値Ｎ＝３のＬＢＴ  Ｃａｔ４メカニズムに基づいてコンテンションベースのチャネルアクセスを実行できる。
【０２１６】
＜実施形態６＞
この実施形態では、関連指示情報は、アップリンクバーストとダウンリンクバーストとの間のギャップの時間領域長である。アップリンクバーストとダウンリンクバーストとの間のギャップの時間領域長は、基地局からシグナリングしてもよく、アップリンクバースト及びダウンリンクバーストのそれぞれの長さに基づいて判定してもよく（これは、当分野では一般的な手法である）、（例えば、主に経験値に基づいて）事前設定してもよい。
【０２１７】
具体的には、アップリンクバーストとダウンリンクバーストとの間のギャップの時間領域長が１６μｓ又は２５μｓよりも小さい場合、アップリンク送信バーストの送信前にＬＢＴメカニズムを適用することはできない。アップリンクバーストとダウンリンクバーストとの間のギャップの時間領域長が１つのＯＦＤＭシンボルに相当し、選択されたＬＢＴメカニズムを使用するコンテンションベースのチャネルアクセスの開始位置が、１つのＯＦＤＭシンボルの後半である場合、データ送信前にＬＢＴ  Ｃａｔ２メカニズムを使用できる。これに代えて、アップリンクにおいてＬＢＴ  Ｃａｔ４メカニズムしか使用できない場合、送信デバイスは、送信前に最小ＣＷ値を有するＬＢＴ  Ｃａｔ４を使用できる。アップリンクバーストとダウンリンクバーストとの間のギャップの時間領域長が１つのＯＦＤＭシンボルに相当し、ＬＢＴが１つのシンボルの中間の区間で開始される場合、送信デバイスは、送信前に１つ以上のＣＣＡが実行されるＬＢＴ  Ｃａｔ２メカニズムを使用できる。ここで、アップリンクにおいてＬＢＴ  Ｃａｔ２メカニズム及びＬＢＴ  Ｃａｔ４メカニズムの２つのＬＢＴモードがある場合、アップリンク送信バーストの第１のアップリンクサブフレームでは、ＬＢＴ  Ｃａｔ２又はエンハンスドＬＢＴ  Ｃａｔ２を使用し、後続するサブフレームでは、ＬＢＴ  Ｃａｔ２を使用し、又はＬＢＴメカニズムを実行しないことによって、アップリンクチャネルアクセスの確率及びアップリンクリソース効率を向上させることができる。これに代えて、アップリンクが１つのＬＢＴ  Ｃａｔ４メカニズムのみを有する場合、アップリンク送信バースト内の第１のアップリンクサブフレームにおいて、可能な限り小さなＣＷを有するＬＢＴ  Ｃａｔ４を使用できる。オプションとして、後続するアップリンクサブフレームにおいて、第１のサブフレームと同じＬＢＴ  Ｃａｔ４パラメータの構成、又は連続的に減少するＣＷを有するＬＢＴ  Ｃａｔ４メカニズムを使用してもよい。アップリンクバーストとダウンリンクバーストとの間のギャップの時間領域長が１つのＯＦＤＭシンボルに相当し、１つのシンボルの前半でＬＢＴが開始される場合も、この手法が適用される。同様に、上記のスキームは、アップリンクバーストとダウンリンクバーストとの間のギャップの時間領域長が１つのＯＦＤＭシンボルよりも長い場合、例えば、第１のアップリンクサブフレームにおいて、ＣＷが可能な限り小さい（例えば、ＣＷｍｉｎ＝１、ＣＷｍａｘ＝３、及び延長期間におけるｎ＝１の）ＬＢＴ  Ｃａｔ２又はＬＢＴ  Ｃａｔ４を使用できる。
【０２１８】
他の例として、アップリンクバーストとダウンリンクバーストとの間のギャップの時間領域長によって、送信前に使用するＬＢＴメカニズム及び／又はＬＢＴメカニズムパラメータセットを直接的に指示してもよい。例えば、ギャップの時間領域長が、１６μｓ又は２５μｓとすることができる所定の閾値よりも小さい場合、アップリンク送信バーストの送信前にはＬＢＴメカニズムを適用せず、バースト内の他のアップリンクサブフレームにもＬＢＴメカニズムを適用しない。オプションとして、隠れステーション問題を回避するために、ＬＢＴ  Ｃａｔ２プロセスを実行してもよい。ギャップの時間領域長が１６μｓ又は２５より大きい場合、好ましくは、コンテンションベースのチャネルアクセスにＬＢＴ  Ｃａｔ２メカニズムを使用できる。アップリンクに１つのＬＢＴメカニズム、例えば、ＬＢＴ  Ｃａｔ４のみが存在する場合、ギャップの短い時間領域長のために、ＣＷが可能な限り小さいＬＢＴ  Ｃａｔ４プロセスを使用できる。後続する各サブフレームについては、先行するサブフレームよりＣＷが小さいＬＢＴプロセスを使用できる。例えば、バースト内の最後のアップリンクサブフレームでは、ＬＢＴ  Ｃａｔ２を使用でき、又はＬＢＴを適用しない。オプションとして、後続するサブフレームでは、コンテンションベースのチャネルアクセスのために、第１のサブフレームと同じＬＢＴメカニズム又はＬＢＴメカニズムパラメータセットを使用できる。これに代えて、ＬＢＴメカニズム又はＬＢＴメカニズムパラメータセットを適用しなくてもよい。
【０２１９】
図３は、本開示の第６の実施形態に基づくＬＢＴメカニズム及び／又はＬＢＴメカニズムパラメータセットが適用される領域の位置を示す図である。図３に示すように、アップリンクバーストとダウンリンクバーストとの間のギャップの時間領域位置又は時間長に対応して選択されるＬＢＴメカニズム及び／又はＬＢＴメカニズムパラメータセットを用いて、コンテンションベースのチャネルアクセスを行うことができる。
【０２２０】
＜実施形態７＞
スイッチング関連情報は、基地局からシグナリングされるＬＢＴリスト内の識別情報である。ＬＢＴメカニズム及び／又はＬＢＴメカニズムパラメータセットは、送信デバイスと基地局との間で共有されるスイッチングのためのＬＢＴメカニズムの情報リストを事前設定し、基地局から通知されたリスト情報に基づいて、送信デバイスがＬＢＴメカニズム及び／又はＬＢＴメカニズムパラメータセットを決定することによって、関連指示情報に基づいて決定できる。
【０２２１】
表１は、本開示の実施形態７に基づく、基地局と送信デバイスとの間で共有されるリスト情報である。このリストに含まれるコンテンションベースのチャネルアクセスのＬＢＴメカニズムを表１に示す。
【０２２２】
【表１】
2018528713.tif 000003
【０２２３】
ここでは、ＬＢＴ  Ｃａｔ２におけるＣＣＡの開始位置は、固定された位置であってもよく、ＬＢＴに利用可能な時間領域でランダムに選択された開始位置であってもよい。
【０２２４】
コンテンションベースのチャネルアクセスのためのＬＢＴメカニズムがＬＢＴ  Ｃａｔ４メカニズムである場合、基地局と送信デバイスとの間で共有されるリスト情報は、表２に示すように、ＣＷサイズに基づいて決定されるＬＢＴ  Ｃａｔ４メカニズムのための様々なＬＢＴメカニズムパラメータセットを含む。
【０２２５】
【表２】
2018528713.tif 000004
【０２２６】
表１及び表２において、ＣＷサイズの値は、連続的に増加してもよく、ＬＢＴ  Ｃａｔ４メカニズムのパラメータセットにおける延長期間（defer period）におけるｎの値は、好ましくは、１とすることができる。これに代えて、ｎの値は、０又は２にしてもよい。更に、リスト中のＬＢＴ  Ｃａｔ４候補中のｎの値は、同じであってもよく、異なっていてもよい。オプションとして、第１のアップリンクサブフレームについて、チャネルアクセスは、スケジュールに基づいて実行してもよく、基地局による指示に基づいて実行してもよい。好ましくは、キャリア間スケジューリングにおいて、ダウンリンクで送信すべきデータがない場合には、ＵＥは、コンテンションベースのチャネルアクセスのための選択可能な情報リスト内の大きなＣＷ値を有するパラメータを、メカニズムを用いて取得し、又は自律的に判定できる。後続するアップリンクサブフレームでは、連続して減少するＣＷ値を有するコンテンションベースのＬＢＴメカニズム、又はより簡単なＬＢＴメカニズムを使用できる。これに代えて、後続するアップリンクサブフレームでは、コンテンションベースのチャネルアクセスのために第１のアップリンクサブフレームと同じＬＢＴメカニズム又はＬＢＴメカニズムパラメータセットを使用してもよく、ＬＢＴメカニズム又はＬＢＴメカニズムパラメータセットを適用しなくてもよい。
【０２２７】
コンテンションベースのアクセスのためのＬＢＴメカニズムのみがＬＢＴ情報リストに存在する場合、ＵＥは、使用するＬＢＴメカニズムを取得した後、更に、送信データのトラフィックタイプ又は送信チャネル又は信号の優先度に対応するＬＢＴパラメータ構成に基づいて、コンテンションベースのチャネルアクセスを実行できる。これに代えて、送信バーストの長さ、バースト内のアップリンクサブフレームのインデクス、再送信、又は初期送信に基づいて、ＬＢＴメカニズム内の特定のＬＢＴパラメータセットを決定し、チャネルアクセスを行うこともできる。
【０２２８】
オプションとして、ＵＥがＬＢＴメカニズム又はＬＢＴメカニズムパラメータセットに基づくチャネルアクセスに複数回失敗した場合、自律的に、又は所定の時間内のチャネル状態情報（Channel State Information：ＣＳＩ）、所定の時間内の基準信号受信電力（Reference Signal Received Power：ＲＳＲＰ）、所定の時間内の基準信号受信品質（Reference Signal Received Quality：ＲＳＲＱ）、ハイブリッド自動再送要求−確認（Hybrid Automatic Repeat reQuest - Acknowledge：ＨＡＲＱ−ＡＣＫ）情報、又は測定された干渉に関する情報に基づいて、より簡略化されたＬＢＴメカニズム又はより小さいＣＷを有するＬＢＴ  Ｃａｔ４を使用でき、又は優先度を高める（これによって、より高い優先度に対応するＬＢＴメカニズム又はＬＢＴメカニズムパラメータ構成を使用する）ことができる。
【０２２９】
同様に、ＵＥがＬＢＴメカニズム又はＬＢＴメカニズムパラメータセットに基づくチャネルアクセスに複数回成功した場合、コンテンションベースのアクセスの公正な機会を提供するために、コンテンションベースのチャネルアクセス障害を処理する原則を適用して、決定されたＬＢＴメカニズム又はＬＢＴメカニズムパラメータセットを調整することもできる。
【０２３０】
上記の情報リストにより、送信デバイスは、基地局によって送信デバイスに指示された情報リスト内のインデクスを有するＬＢＴメカニズム、又は送信デバイスによって情報リストから自律的に選択されたＬＢＴメカニズムを使用して、コンテンションベースのチャネルアクセスを行うことができる。
【０２３１】
＜実施形態８＞
この実施形態では、関連指示情報は、送信バースト又はアップリンクサブフレームにおけるスケジューリングされたサブフレームの位置であり、各ＬＢＴメカニズム及び／又はＬＢＴメカニズムパラメータセットに対応する、送信バースト内のスケジューリングされたサブフレームの位置又は連続するアップリンクサブフレーム内のスケジューリングされたサブフレームの位置を事前設定することと、送信バースト内又は連続するアップリンクサブフレーム内のスケジューリングされたサブフレームの位置に基づいて、ＬＢＴメカニズム及び／又はＬＢＴメカニズムパラメータセットを決定することとによって、ＬＢＴメカニズム及び／又はＬＢＴメカニズムパラメータセットを関連指示情報に基づいて決定できる。
【０２３２】
好ましくは、それぞれのＬＢＴ  Ｃａｔ４メカニズムのパラメータ構成は、ＵＥが１つの送信バースト内のアップリンクサブフレーム又はアップリンクサブフレーム内でスケジューリングされるサブフレームの位置に基づいて、ＣＷサイズの降順で選択することができる。オプションとして、第１のアップリンクサブフレームに続くアップリンクサブフレームには、ランダムバックオフを有さないＬＢＴメカニズムを適用してもよく、ＬＢＴメカニズムを適用しなくてもよい。第１のアップリンクサブフレームの位置に基づいて選択されたＬＢＴメカニズム及び／又はＬＢＴメカニズムパラメータセットに基づくコンテンションベースのアクセスが失敗した場合、次のアップリンクサブフレームにおいて、失敗したサブフレームに対応するＬＢＴメカニズム及び／又はＬＢＴメカニズムパラメータセットを再度使用してもよく、より簡単なＬＢＴメカニズム又はより小さいＣＷを有するＬＢＴパラメータ構成を使用してもよい。
【０２３３】
例えば、第１のスケジューリングされたアップリンクサブフレームについては、ＣＷｍａｘ＝７、ＣＷｍｉｎ＝５、及びｎ＝１である。第１のサブフレームが失敗した場合、第２のスケジューリングされたアップリンクサブフレームに対して同じ構成を使用してもよい。これに代えて、第２のスケジューリングされたアップリンクサブフレームに対して、ＣＷｍａｘ＝４、ＣＷｍｉｎ＝２、及びｎ＝１；ＣＷｍａｘ＝３、ＣＷｍｉｎ＝１、及びｎ＝１；ＣＷｍａｘ＝１、ＣＷｍｉｎ＝１、及びｎ＝１等を使用してもよい。
【０２３４】
この実施形態について、送信デバイスが、アップリンクでのコンテンションベースのアクセスのためのＬＢＴメカニズムとしてＬＢＴ  Ｃａｔ４のみを使用できる実施例を参照して説明する。オプションとして、ランダムバックオフ値Ｎが０である場合、コンテンションベースのアクセスメカニズムは、ＬＢＴ  Ｃａｔ２に格下げしてもよい。
【０２３５】
特別なサブフレームがアップリンクサブフレームに先行する場合、コンテンションベースのアクセスのためのＬＢＴメカニズムは、通常のＬＢＴ  Ｃａｔ４メカニズムであることが好ましい。通常のＬＢＴ  Ｃａｔ４メカニズムとは、第１のＣＣＡ＋延長期間＋ランダムバックオフプロセスＮを有するＥＣＣＡプロセスである。通常のＬＢＴ  Ｃａｔ４メカニズムの最大ＣＷは、ダウンリンクＬＢＴメカニズムのＣＷよりも小さい。ＣＷの最大値は、最大で１０２４、最小で１である。例えば、最小ＣＷを１５、最大ＣＷを３１又は６３とすることができ、延長期間における要素ｎは、［０，２］の最大設定可能範囲を有することができる。近隣ノードとの干渉を可能な限り回避し、衝突確率を低減し、デバイスによるチャネルアクセスの成功率を高めるために、ｎの値を１とすることが好ましい。
【０２３６】
ダウンリンクサブフレーム又はギャップの時間領域長が送信バースト内の第１のアップリンクサブフレーム又は第１のスケジューリングされたアップリンクサブフレームに先行する場合、コンテンションベースのアクセスのためのＬＢＴメカニズムは、通常のＬＢＴ  Ｃａｔ４メカニズムであることが好ましい。なお、ＬＢＴメカニズムの最大ＣＷは、特別なサブフレームのＣＷよりも小さいＣＷ範囲内である。例えば、最小ＣＷ（ＣＷｍｉｎ）を７、最大ＣＷ（ＣＷｍａｘ）を１５とすることができ、延長期間における要素ｎは、［０，２］の最大設定可能範囲を有することができる。ｎの値は、１とすることが好ましい。
【０２３７】
送信バースト内の第２のアップリンクサブフレーム、又はＵＥが連続的にスケジューリングされる第２のアップリンクサブフレームについては、最大ＣＷ値より小さいＣＷを有するＬＢＴ  Ｃａｔ４メカニズムのみをＬＢＴモードとして選択することが好ましい。例えば、最小ＣＷ（ＣＷｍｉｎ）を３、最大ＣＷ（ＣＷｍａｘ）を７とすることができ、延長期間における要素ｎは、［０，２］の最大設定可能範囲を有することができる。ｎの値は、１とすることが好ましい。
【０２３８】
同様に、送信バースト内の第３のアップリンクサブフレーム、又はＵＥが連続してスケジューリングされる第３のアップリンクサブフレームについては、第１の及び第２のアップリンクサブフレームのＣＷ値よりも小さいＣＷを有するＬＢＴ  Ｃａｔ４メカニズムのみをＬＢＴメカニズムとして選択することが好ましい。例えば、最小ＣＷ（ＣＷｍｉｎ）を１、最大ＣＷ（ＣＷｍａｘ）を３とすることができ、延長期間における要素ｎは、［０，２］の最大設定可能範囲を有することができる。ｎの値は、１とすることが好ましい。
【０２３９】
送信バースト内の第４のアップリンクサブフレーム、又はＵＥが連続的にスケジューリングされる第４のアップリンクサブフレームについては、第１、第２及び第３のアップリンクサブフレームのＣＷ値よりも小さいＣＷ値を有するＬＢＴ  Ｃａｔ４メカニズム、固定ＣＷ（すなわち、ＣＷｍａｘ＝ＣＷｍｉｎ）を有するＬＢＴ  Ｃａｔ３、又はランダムバックオフ値Ｎ＝０を有するＬＢＴ  Ｃａｔ２のみをＬＢＴメカニズムとして選択することが好ましい。例えば、最小ＣＷ（ＣＷｍｉｎ）を１とし、最大ＣＷ（ＣＷｍａｘ）を１とすることができ、Ｎの値は、［０，ｑ−１］の範囲としてもよく、ｑは、１の最大値を有することができる（すなわち、ランダムバックオフ値Ｎは、０のみになる）。延長期間における要素ｎは、［０，２］の最大設定可能範囲を有することができる。ｎの値は、１とすることが好ましい。これに代えて、最小ＣＷ及び最大ＣＷは、それぞれ２であってもよい。同様に、異なる時間長を有するＬＢＴ  Ｃａｔ２検出スロットを更に使用してもよく。エンハンスド  Ｃａｔ２を使用してもよい。上記の場合、延長期間における要素ｎの値は、同じであってもよく、異なる状況において異なるように設定してもよい。
【０２４０】
複数のサブフレームにおいて同じ又は異なるＵＥが連続してスケジューリングされる場合、第１のアップリンクサブフレームについては通常のＬＢＴ  Ｃａｔ４を使用し、後続するサブフレームにＬＢＴを適用しなくてもよい。これに代えて、第１のアップリンクサブフレームについては通常のＬＢＴ  Ｃａｔ４を使用し、後続するサブフレームには、連続して減少するＣＷ値を有するＬＢＴ  Ｃａｔ４メカニズムを適用して、コンテンションベースのチャネルアクセスを行ってもよい。これに代えて、第１のアップリンクサブフレームについては通常のＬＢＴ  Ｃａｔ４を使用し、後続するサブフレームにはＬＢＴ  Ｃａｔ２又は高速のＬＢＴメカニズムを使用してもよい。これに代えて、第１のアップリンクサブフレームにはＬＢＴ  Ｃａｔ２メカニズムを使用し、後続するサブフレームにはＬＢＴメカニズムを適用しなくてもよい。これに代えて、第１のアップリンクサブフレームについてはＬＢＴ  Ｃａｔ２メカニズムを使用し、後続するサブフレームにはＬＢＴ  Ｃａｔ２メカニズム及び／又はＬＢＴメカニズムを適用してもよい。これに代えて、上述したスキームを用いてもよい。
【０２４１】
＜実施形態９＞
この実施形態では、１又は複数のランダムバックオフ値を設定できる。スケジューリングされたアップリンクサブフレームの位置、送信バーストの長さ、又はＰｃｅｌｌがグラント情報を受信したか否かに基づいて、同一キャリア内スケジューリング又はキャリア間スケジューリングを介して、設定されたランダムバックオフ値を使用することを決定できる。
【０２４２】
基地局は、送信デバイスのために同じ時間長のＣＣＡを設定でき、異なるＵＥについては、異なるＣＣＡ位置を設定できる。この場合、コンテンションベースのアクセスにおける不公平を緩和するために、異なるＵＥを異なるＣＣＡ位置で設定でき、全体のアップリンクシステム性能を更に向上させることができる。アイドル状態にあるチャネルを最初に検出する送信デバイスの場合、チャネルがアイドル状態にあることの検出に成功した時点でデータ送信の開始境界に到達していない場合、送信デバイスは、同じセルに多重化されるべきＵＥの識別のために、予約信号又は初期信号を送信し、多重化を達成できる。この場合、ＵＥがランダムバックオフ中にビジー状態であるチャネルを検出したとき、又はチャネル検出が特定の閾値を超えた場合、ＵＥは、次のチャネル検出においてランダムバックオフ値Ｎを再設定できる。この場合、再設定されるランダムバックオフ値Ｎは、現在のＮの値よりも小さい。この実施形態の方法では、基地局は、ランダムバックオフ値Ｎの減少を加速させ、ＬＡＡデバイスによる高速のチャネルアクセスを実現してもよく、これにより、チャネルアクセス速度を向上させることができる。所定の閾値時間長を超えて、デバイスがビジー状態のチャネルを連続的に検出した場合、Ｎ値を再調整することができる。デバイスが所定の閾値回数以上ビジー状態のチャネルを連続的に検出した場合も、Ｎ値を調整することができる。所定の閾値は、当業者によって経験的に決定できる。
【０２４３】
＜実施形態１０＞
この実施形態では、関連指示情報は、スケジューリング命令の送信のために使用されるキャリアシナリオである。この場合、ＬＢＴメカニズム及び／又はＬＢＴメカニズムパラメータセットを関連指示情報に基づいて決定することは、同一キャリア内スケジューリング又はキャリア間スケジューリングに基づいてＬＢＴメカニズム及び／又はＬＢＴメカニズムパラメータセットを決定することを含む。
【０２４４】
好ましくは、アップリンクの場合、既存のスケジューリングメカニズムは、同一キャリア内スケジューリング及びキャリア間スケジューリングを含む。ここで、同一キャリア内スケジューリング及びキャリア間スケジューリングについて、特定のＬＢＴメカニズムにおける異なるＬＢＴメカニズム又は異なるタイプのＣＷ値を選択できる。もちろん、同じメカニズム又は同じＣＷパラメータ構成を選択してもよい。同一キャリア内スケジューリングのために異なるメカニズムが選択される場合、基地局は、スケジューリンググラント情報を送信する前に、ダウンリンクＬＢＴ  Ｃａｔ４メカニズムを１回適用している。したがって、送信デバイスは、グラント情報を受信すると、第１のアップリンクサブフレームの送信前に高速のＬＢＴメカニズムを適用することを選択できる。Ｗｉ−Ｆｉシステムは、データ送信前に１つのＬＢＴプロセスしか実行せず、ＬＡＡシステムにおいては、同一キャリア内スケジューリングモードの基地局は、Ｗｉ−Ｆｉシステムと同様のＬＢＴメカニズムを１回適用しているので、ＵＥは、グラント情報を受信したとき、送信前に１つの高速のＬＢＴメカニズムを適用できる。これは、隠れノードの問題を回避する上で有利である。オプションとして、アップリンク又はダウンリンク送信前のギャップの時間領域長が、例えば、１６μｓ又は２５μｓとすることができる所定の閾値より小さい場合、ＵＥは、ＬＢＴメカニズム又はＬＢＴメカニズムパラメータセットを適用しないことを選択できる。ここで、高速のＬＢＴメカニズムは、最大ＣＷがダウンリンクＬＢＴ  Ｃａｔ４のＣＷよりも小さい通常のＬＢＴ  Ｃａｔ４メカニズム、延長期間＋ＥＣＣＡプロセス、直接ＥＣＣＡプロセス、エンハンスドＬＢＴ  Ｃａｔ２、及びＬＢＴ  Ｃａｔ２を含むことができる。後続するアップリンクサブフレームには、高速のＬＢＴメカニズム（第１のアップリンクサブフレームに使用される高速のＬＢＴメカニズムと同じであっても異なっていてもよい）を使用できる。例えば、第１のアップリンクサブフレームに対して、延長期間＋ＥＣＣＡプロセス（ＣＷｍａｘ＝７、ＣＷｍｉｎ＝５、及びｎ＝１）を使用できる。後続の連続するアップリンクサブフレームには、同じ延長期間＋ＥＣＣＡプロセス、又は異なる高速のＬＢＴメカニズム、又は異なるＣＷサイズ又は異なるＣＣＡの時間長を有する同じ高速のＬＢＴメカニズムを使用できる。例えば、第２のサブフレームには、直接ＥＣＣＡプロセス（ＣＷｍａｘ＝６、ＣＷｍｉｎ＝４、及びｎ＝１）を使用できる。第３のサブフレームには、エンハンスドＬＢＴ  Ｃａｔ２又はＬＢＴ  Ｃａｔ２を適用してもよく、ＬＢＴメカニズムを適用しなくてもよい。これに代えて、第１のアップリンクサブフレームのみに高速のＬＢＴメカニズムを適用し、後続する連続するアップリンクサブフレームにはＬＢＴメカニズムを適用しなくてもよい。
【０２４５】
キャリア間スケジューリングについては、送信すべきダウンリンクデータがある場合と、送信されるべきダウンリンクデータがない場合とがある。
【０２４６】
送信すべきダウンリンクデータがあり、免許が必要なキャリアを介してアップリンクグラント情報が送信される場合、第１のアップリンクサブフレームに適用されるＬＢＴメカニズムは、同一キャリア内スケジューリングの場合と同じとすることができる。
【０２４７】
送信すべきダウンリンクデータがなく、免許が必要なキャリアを介してアップリンクグラント情報が送信される場合、基地局は、免許が必要なキャリアを介してアップリンクグラント情報を送信するので、ＬＢＴメカニズム又はＬＢＴメカニズムパラメータセットを適用する必要はない。したがって、ＵＥは、グラント情報を受信した後、Ｗｉ−Ｆｉシステムとの公平なコンテンションベースのチャネルアクセスを実現するために、データ送信前に通常のＬＢＴ  Ｃａｔ４メカニズムを適用する必要がある。但し、通常のＬＢＴ  Ｃａｔ４の最大ＣＷは、ダウンリンクＬＢＴ  Ｃａｔ４のＣＷよりも小さくなければならない。後続するアップリンクサブフレームについては、送信にＬＢＴメカニズムを適用しなくてもよい。これに代えて、先行するサブフレームよりも小さいＣＷを有するＬＢＴ  Ｃａｔ４メカニズムを順次的に適用してもよい。後続するアップリンクサブフレームのそれぞれについて、ＬＢＴ  Ｃａｔ４及びＬＢＴ  Ｃａｔ２がアップリンクで使用される場合、先行するサブフレーム及び／又はＬＢＴ  Ｃａｔ２プロセスよりも小さいＣＷを有するＬＢＴ  Ｃａｔ４プロセスを実行できる。これに代えて、後続するアップリンクサブフレームのそれぞれにＬＢＴ  Ｃａｔ２を適用してもよい。これに代えて、連続的に減少するＣＷ、ＬＢＴ  Ｃａｔ２を適用してもよく、及び／又はＬＢＴを適用しなくてもよい。これに代えて、後続するアップリンクサブフレームのそれぞれに同じＬＢＴ  Ｃａｔ４を適用してもよく、利用可能なリソースに対してのみ、ランダムバックオフ値Ｎを使用することができる。
【０２４８】
オプションとして、この実施形態では、ＬＢＴメカニズムが選択された後、異なるＱｏＳ優先度レベル、異なるチャネル／信号優先度、又はトラフィック情報に基づいて、ＣＷｍａｘ、ＣＷｍｉｎ、延長期間における要素ｎ等を含む異なるＬＢＴパラメータセット構成をより詳細に選択できる。
【０２４９】
＜実施形態１１＞
この実施形態では、関連指示情報は、送信データパケットのサイズ、連続的にスケジューリングされたサブフレームの数、ＤＣＩシグナリングにおいて設定されている１つ以上のビット、ブロードキャストスキーム、アップリンク送信バーストとダウンリンク送信バーストとの間のギャップの時間領域長、基地局からシグナリングされるＬＢＴリスト内の識別情報、送信バースト又はアップリンクサブフレームにおけるスケジューリングされたサブフレームの位置、１つの送信バーストの長さ、及び／又はスケジューリング命令の送信のためのキャリアシナリオを含む。ＬＢＴメカニズム及び／又はＬＢＴメカニズムパラメータセットは、関連指示情報に基づいて決定される。コンテンションベースのチャネルアクセスは、選択されたＬＢＴメカニズム及び／又はＬＢＴメカニズムパラメータセットに基づいて実行される。アップリンクにおいて複数のＬＢＴメカニズムがある場合、コンテンションベースのチャネルアクセスのためのＬＢＴメカニズムは、上述のように決定できる。アップリンクにおいてＬＢＴメカニズムが１つしかない場合、この実施形態では、コンテンションベースのチャネルアクセスのためのＬＢＴメカニズムパラメータセットも、上述のように決定できる。
【０２５０】
この実施形態では、優先度情報は、異なるトラフィックタイプに対するＱｏＳ優先度、又は異なるチャネル及び／又は信号及び／又は論理チャネルの優先度を含むことができる。オプションとして、異なる優先度レベルを有する論理チャネルを対応する物理送信チャネルにマッピングすることができ、これにより、物理的送信チャネルもそれぞれの優先度レベルを有することができる。ここでは、アップリンクの論理チャネルにおいて、共通制御チャネル（Common Control Channel：ＣＣＣＨ）、専用制御チャネル（Dedicated Control Channel：ＤＣＣＨ）、及び専用トラフィックチャネル（Dedicated Traffic Channel：ＤＴＣＨ）は、アップリンク共有チャネル（Uplink Shared Channel：ＵＬ−ＳＣＨ）と呼ばれるアップリンク送信チャネルにマッピングされる。オプションとして、論理チャネルの優先度は、降順で、アップリンク中国強制認証（Uplink China Compulsory Certification：ＵＬ−ＣＣＣ）からのセル−無線ネットワーク一時的アイデンティティ（Cell-Radio Network Temporary Identity：Ｃ−ＲＮＴＩ）又は送信データ（最高優先度）；パディングなしのＢＳＲのバッファステータスレポート（Buffer Status Report：ＢＳＲ）及びメディアアクセス制御（Medium Access Control：ＭＡＣ）制御要素（Control Element：ＣＥ）；送信パワーヘッドルーム（transmission Power Headroom：ＰＨＲ）又はエンハンスドＰＨＲのＭＡＣ  ＣＥ；ＵＬ−ＣＣＣのデータを除く、任意の論理チャネルのデータ；及びパディング有のＢＳＲ（最低優先度）となる。
【０２５１】
優先度情報に基づいて、ＬＢＴメカニズム及び／又はＬＢＴメカニズムパラメータセットが決定され、アップリンクにおいて複数のＬＢＴメカニズムがある場合、異なる優先度情報に基づいて、ＬＢＴメカニズム及び／又はＬＢＴメカニズムパラメータセットを選択できる。アップリンクにおいてＬＢＴメカニズムが１つしかない場合、ＬＢＴメカニズムパラメータセットは、異なる優先度に基づいて選択できる。そして、優先度に対応するＬＢＴメカニズム及び／又はＬＢＴメカニズムパラメータセットに基づいて、コンテンションベースのチャネルアクセスを行うことができる。
【０２５２】
ここで、ＵＥが１つのトラフィックタイプのデータのみを送信し、選択されたＬＢＴメカニズム又はＬＢＴパラメータセットに基づくチャネルアクセスで複数回失敗した（例えば、対応する優先度が低く、したがって、ＬＢＴメカニズムにおいて、大きなＣＷ値又は長いＣＣＡ時間長が使用されるために失敗が生じる可能性がある。）場合、この実施形態では、以下のようなスキームを適用できる。
【０２５３】
スキーム１：送信デバイスが、測定された干渉に関する情報又はチャネル状態情報（Channel State Information：ＣＳＩ）を感知して基地局に報告し、基地局は、ＵＥがそのトラフィックタイプのデータを送信するために使用するＬＢＴメカニズム又はＬＢＴメカニズムパラメータセットの優先度を調整することを決定する。例えば、失敗したコンテンションベースのアクセスにおいて最大のＣＷを有するＬＢＴ  Ｃａｔ４メカニズムが使用されていた場合、ＣＷサイズを縮小し、又は（デフォルトでは１とすることができる）優先度レベルをある程度高めることによって、ＬＢＴメカニズム又はＬＢＴメカニズムのパラメータセットを調整することができる。アップリンクに１つのＬＢＴメカニズム、例えば、ＬＢＴ  Ｃａｔ４のみが存在し、ＵＥが常にＬＢＴ  Ｃａｔ４（ＣＷｍｉｎ＝７、ＣＷｍａｘ＝１５、延長期間におけるｎ＝１）を使用して、そのタイプのトラフィックを送信する（優先度を３と仮定する）場合、次のＬＢＴでは、測定情報に基づいて、より小さいＣＷサイズ又はより高い優先度を有する（例えば、ＣＷｍｉｎ＝５、ＣＷｍａｘ＝７、及び延長期間におけるｎ＝１を有する）ＬＢＴ  Ｃａｔ４又はより高い優先度に対応するＬＢＴメカニズムパラメータセットを使用できる。アップリンクにおいて複数のＬＢＴメカニズムがある場合、好ましくは、対応するＬＢＴメカニズムにおける小さなＣＷ値、又は１又は複数のより高いレベルの優先度に対応するＬＢＴパラメータセット用いてコンテンションベースのチャネルアクセスを行うことができる。準最適なスキームでは、エンハンスドＬＢＴ  Ｃａｔ２又はＬＢＴ  Ｃａｔ２等のより簡単な高速のアクセスＬＢＴメカニズムを使用できる。基本原則として、優先度レベル又は使用されるＬＢＴメカニズム又はＬＢＴパラメータセット構成は、測定され、報告された干渉又はフィードバック情報に基づいて更に調整することができる。
【０２５４】
スキーム２：ＬＢＴメカニズム及び／又はＬＢＴメカニズムパラメータセットに基づくコンテンションベースのアクセスが第１の所定の閾値回数失敗した場合、ＵＥは、予め定義された規則に従って優先度レベルを上げることができる。例えば、優先度オフセットは、１であってもよく、第１の所定の閾値回数は、５であってもよい。ＵＥが優先度３に対応するＬＢＴメカニズム又はＬＢＴパラメータセットに基づくＬＢＴの実行に５回連続して失敗した場合、事前定義された優先度オフセットに基づいて、優先度を１レベル高めることができる。すなわち、次のコンテンションベースのチャネルアクセスには、優先度２に対応するＬＢＴメカニズム又はＬＢＴパラメータセットが使用される。また、ＬＢＴが複数回連続して成功した場合、優先度を下げ、ＣＷ値を大きくする点を除き、連続的な失敗についての上記のプロセスと同様のプロセスを使用できる。これにより、チャネルアクセスの確率を低減でき、他のデバイスがチャネルにアクセスする機会を増加させ、公平性を保証することができる。
【０２５５】
この実施形態では、上記プロセスは、基地局にも適用できる。スキーム１において、基地局は、測定値を感知して、ＬＢＴメカニズム又はＬＢＴパラメータセットの調整をトリガすることができる。測定情報は、所定の時間長内のチャネル状態情報（Channel State Information：ＣＳＩ）、所定の時間長内の基準信号受信電力（Reference Signal Received Power：ＲＳＲＰ）、所定の時間長内の基準信号受信品質（Reference Signal Received Quality：ＲＳＲＱ）、ハイブリッド自動再送要求−確認（Hybrid Automatic Repeat reQuest - Acknowledge：ＨＡＲＱ−ＡＣＫ）情報、又は測定された干渉に関する情報を含むことができる。
【０２５６】
最初の送信及び再送信について、（アップリンクに複数のＬＢＴメカニズムがある場合）異なるＬＢＴメカニズムを適用してもよく、（アップリンクにＬＢＴメカニズムが１つしかない場合）ＬＢＴメカニズムパラメータセットをこれに応じて選択してもよい。ＬＢＴメカニズム及び／又はＬＢＴメカニズムパラメータセットに基づくコンテンションベースのアクセスに第１の所定の閾値回数失敗した場合、スキーム１又はスキーム２を用いて、再送信におけるコンテンションベースのアクセスのために使用されるＬＢＴメカニズム及び／又はＬＢＴメカニズムパラメータセットを調整することができる。
【０２５７】
＜実施形態１２＞
この実施形態では、主に、送信バーストにおいて数の異なる優先度レベルが設定されている場合、すなわち、優先度情報が複数の優先度レベルを含む場合に実行されるプロセスを説明する。
【０２５８】
ここでは、１つの送信バーストにおいて、それぞれ、優先度レベル１（最高優先度）、優先度レベル２、及び優先度レベル３（最低優先度）に対応する３つの送信デバイスがスケジューリングされると仮定する。優先度レベル１、２及び３は、それぞれ、ＣＷｍｉｎ＝１及びＣＷｍａｘ＝３を有するＬＢＴ  Ｃａｔ４、ＣＷｍｉｎ＝４及びＣＷｍａｘ＝５を有するＬＢＴ  Ｃａｔ４、ＣＷｍｉｎ＝５及びＣＷｍａｘ＝７を有するＬＢＴ  Ｃａｔ４のＬＢＴパラメータセットに対応する。１つの送信バーストに内に複数の優先度がある場合、予め定められた優先度ポリシに基づいて、ＬＢＴメカニズム及び／又はＬＢＴメカニズムパラメータセットを決定できる。ここでは、以下のスキームがある。
【０２５９】
スキーム１：各送信デバイスが、最も低い優先度に対応するＬＢＴメカニズムパラメータセットに基づいて、コンテンションベースのチャネルアクセスを実行する。ここでは、ＵＥ１が優先度１に対応し、ＵＥ２が優先度２に対応するものとする。この場合、ＵＥ１とＵＥ２の両方が、ＵＥ３に対応する優先度３のためのＬＢＴメカニズムパラメータセットに基づいてコンテンションベースのチャネルアクセスを実行する必要がある。この場合、本来ＬＢＴで成功し、免許が不要なキャリアにアクセスする可能性がある、最も優先度が高いＵＥ１が、最も低い優先度に対応するＬＢＴパラメータを使用してＬＢＴを実行し、したがって、コンテンションにおいて失敗する可能性が非常に高い。この場合、３つのＵＥのどれも、免許が不要なキャリアにアクセスすることはできない。
【０２６０】
スキーム２：各送信デバイスが、２番目に高い優先度に対応するＬＢＴメカニズムパラメータセットに基づいて、コンテンションベースのチャネルアクセスを実行する。これにより、少なくとも１つのＵＥが、免許が不要なキャリアへのアクセスに成功することを保証できる。
【０２６１】
スキーム３，各送信デバイスが、最も高い優先度に対応するＬＢＴメカニズムパラメータセットに基づいて、コンテンションベースのチャネルアクセスを実行する。これにより、バースト内で複数のＵＥ又は複数のトラフィックタイプ及び／又はチャネル／信号が、免許が不要なキャリアにアクセスすることができることを保証し、通常の送信を可能にすることができる。
【０２６２】
スキーム４：最も高い優先度に対応するＬＢＴメカニズムパラメータセットを使用し、ｑをＣＷｍｉｎの値とする。
【０２６３】
スキーム５：各送信デバイスが、所定のＬＢＴメカニズム又はその優先度に対応するＬＢＴパラメータセットに基づいて、コンテンションベースのチャネルアクセスを実行する。オプションとして、これは、時間領域において並列に実行してもよく、周波数領域における周波数分割多重化によって行ってもよい。これに代えて、これは、時間領域において並列に、周波数領域の全帯域幅に亘って行ってもよい。
【０２６４】
スキーム６：送信デバイスが時分割方式でコンテンションベースのチャネルアクセスを実行する。ここでは、これらは、ＬＢＴを実行するための共通の開始時間を有することができる。チャネルがビジー状態であると検出されると、これらのランダムバックオフ値Ｎは、固定される。
【０２６５】
＜実施形態１３＞
この実施形態では、送信デバイス（又はＵＥ）が異なるサブフレームでスケジューリングされ、サブフレームでスケジューリングされるリソース要素（ＲＥ）又はリソースブロック（ＲＢ）の位置が異なる場合のＬＢＴプロセス（ＬＢＴメカニズム又はＬＢＴメカニズムパラメータセット）の処理について説明する。
【０２６６】
具体的には、この実施形態では、ＵＥは、それぞれ、サブフレーム１及びサブフレーム２の異なるＲＢ又はＲＥにスケジューリングされていると仮定する。この場合、ＬＢＴメカニズム又はＬＢＴパラメータセットは、以下のスキームの１つに基づいて適用できる。
【０２６７】
スキーム１：ＵＥが、サブフレーム１の前の１つ以上のＯＦＤＭシンボルに対して、且つ周波数領域内の全帯域幅に亘ってＬＢＴプロセスを実行する。サブフレーム２の前では、全帯域幅ＬＢＴプロセスを実行できる。これに代えて、第２のスケジューリングされたサブフレーム内のスケジューリングされたリソースに対応する周波数領域のリソースに亘ってＬＢＴプロセスを実行してもよく、ＬＢＴプロセスを実行しなくてもよい。
【０２６８】
スキーム２：ＵＥが、サブフレーム１の前に１つ以上のＯＦＤＭシンボルに対して、周波数領域における各スケジューリングされたリソースに亘ってＬＢＴプロセスを実行する。サブフレーム２の前では、サブフレーム２に対応するスケジューリングされたリソースの周波数領域位置においてＬＢＴプロセスを実行してもよく、ＬＢＴプロセスを実行しなくてもよい。
【０２６９】
スキーム３：ＵＥが、サブフレーム１の前に１つ以上のＯＦＤＭシンボルに対して、サブフレーム１に対応するスケジューリングされたリソースの周波数領域の位置において、ＬＢＴプロセスを実行する。サブフレーム１の最後の１又は複数のシンボルに対して、及びサブフレーム２に対応するスケジューリングされたリソースの周波数領域の位置において、ＬＢＴプロセスを実行できる。
【０２７０】
ＵＥが、それぞれサブフレーム１及びサブフレーム２内の同じＲＢ又はＲＥ位置にスケジューリングされている場合、ＬＢＴプロセスは、以下のスキームの１つに基づいて実行できる。
【０２７１】
スキーム１：ＵＥが、サブフレーム１の前の１つ以上のＯＦＤＭシンボルに対して、且つ周波数領域内の全帯域幅に亘ってＬＢＴプロセスを実行する。サブフレーム２の前では、全帯域幅ＬＢＴプロセスを実行してもよく、ＬＢＴプロセスを実行しなくてもよい。
【０２７２】
スキーム２：ＵＥが、サブフレーム１の前に１つ以上のＯＦＤＭシンボルに対して、スケジューリングされたリソースの周波数領域の位置においてＬＢＴプロセスを実行する。同様に、第２のサブフレームでは、スケジューリングされたリソースの周波数領域位置においてＬＢＴプロセスを実行してもよく、ＬＢＴプロセスを実行しなくてもよい。
【０２７３】
ＵＥが、それぞれサブフレーム１及びサブフレーム２内のインタレースされたＲＢ又はＲＥ位置にスケジューリングされている場合、ＬＢＴプロセスは、以下のスキームの１つに基づいて実行できる。
【０２７４】
スキーム１：ＵＥが、サブフレーム１の前の１つ以上のＯＦＤＭシンボルに対して、且つ周波数領域内の全帯域幅に亘ってＬＢＴプロセスを実行する。サブフレーム２の前では、全帯域幅ＬＢＴプロセスを実行できる。これに代えて、第２のスケジューリングされたサブフレーム内のスケジューリングされたリソースに対応する周波数領域のリソースに亘ってＬＢＴプロセスを実行してもよく、ＬＢＴプロセスを実行しなくてもよい。
【０２７５】
スキーム２：ＵＥが、サブフレーム１の前に１つ以上のＯＦＤＭシンボルに対して、２つのスケジューリングされたリソースに対応する周波数領域リソースの和集合に亘ってＬＢＴプロセスを実行する（例えば、サブフレーム１のスケジューリングされた周波数領域サブフレームがＰＲＢ＃２−ＰＲＢ＃５であり、サブフレーム２のスケジューリングされた周波数領域サブフレームがＰＲＢ＃４−ＰＲＢ＃７である場合、第１のサブフレームの前にＬＢＴプロセスが実行される周波数領域位置は、ＰＲＢ＃２−ＰＲＢ＃７である）。サブフレーム２の前に第２のスケジューリングされたサブフレームのスケジューリングされたリソースに対応する周波数領域リソースに亘って又は対応するスケジューリングされたリソースの和集合に亘ってＬＢＴプロセスを実行してもよく、ＬＢＴプロセスを実行しなくてもよい。
【０２７６】
スキーム３：ＵＥが、サブフレーム１の前に１つ以上のＯＦＤＭシンボルに対して、周波数領域における各スケジューリングされたリソースに亘ってＬＢＴプロセスを実行する。サブフレーム２の前では、サブフレーム２に対応するスケジューリングされたリソースの周波数領域位置においてＬＢＴプロセスを実行してもよく、ＬＢＴプロセスを実行しなくてもよい。
【０２７７】
スキーム４：ＵＥが、サブフレーム１の前に１つ以上のＯＦＤＭシンボルに対して、サブフレーム１に対応するスケジューリングされたリソースの周波数領域の位置において、ＬＢＴプロセスを実行する。サブフレーム１の最後の１又は複数のシンボルに対して、及びサブフレーム２に対応するスケジューリングされたリソースの周波数領域の位置において、ＬＢＴプロセスを実行できる。
【０２７８】
上記の方式は、異なるＵＥが、異なるサブフレーム内の同じ、異なる、又はインタレースされたリソース位置にスケジューリングされる場合にも適用される。
【０２７９】
更に、使用されるＬＢＴメカニズム又はＬＢＴパラメータセットについては、同じＵＥ又は異なるＵＥが複数の連続するアップリンクサブフレーム上でスケジューリングされている場合、上述の実施形態１０で説明したように、ＬＢＴプロセスは、複数の連続するサブフレームの異なるスケジューリングスキーム及び状況に基づいて、異なるサブフレームに対して実行される。これに代えて、第１のアップリンクサブフレームに通常のＬＢＴ  Ｃａｔ４を適用し、後続するサブフレームにＬＢＴを適用しなくてもよい。これに代えて、第１のアップリンクサブフレームに通常のＬＢＴ  Ｃａｔ４を適用し、後続するサブフレームに対しては、継続的にＣＷを減少させて、コンテンションベースのアクセスを実行してもよい。これに代えて、第１のアップリンクサブフレームに通常のＬＢＴ  Ｃａｔ４を適用し、後続するサブフレームにＬＢＴ  Ｃａｔ２又は高速のＬＢＴメカニズムを適用してもよい。これに代えて、第１のアップリンクサブフレームにＬＢＴ  Ｃａｔ２メカニズムを適用し、後続するアップリンクサブフレームにＬＢＴメカニズムを適用しなくてもよい。これに代えて、第１のアップリンクサブフレームにＬＢＴ  Ｃａｔ２メカニズムを適用し、後続するアップリンクサブフレームには、ＬＢＴ  Ｃａｔ２メカニズムを適用してもよく、ＬＢＴメカニズムを適用しなくてもよい。
【０２８０】
＜実施形態１４＞
この実施形態では、１つのアップリンク送信バーストにおける複数の連続するアップリンクサブフレームの送信前に、コンテンションベースのチャネルアクセスのために、それぞれ異なるＬＢＴメカニズム又はＬＢＴパラメータセットが使用されるプロセスを説明する。
【０２８１】
この実施形態では、全てのサブフレームがアップリンクサブフレームである場合、第１のアップリンクサブフレームは、第２のアップリンクサブフレームの前にＬＢＴメカニズム又はＬＢＴメカニズムパラメータセットを適用するための位置として使用される。後続する連続するアップリンクサブフレームのそれぞれについて、先行するアップリンクサブフレームの最後のＯＦＤＭシンボルは、そのアップリンクサブフレームのためのＬＢＴメカニズム又はＬＢＴメカニズムパラメータセットを適用するための位置として使用される。
【０２８２】
ＴＤＤフレーム構造の場合、複数の連続するアップリンクサブフレームの先行するサブフレームは、特別なサブフレームＳである。この場合、第１のアップリンクサブフレームの送信前にＬＢＴメカニズム又はＬＢＴメカニズムパラメータセットを適用する位置は、特別なサブフレームにおけるＧＰ又はＵｐＰＴＳとすることができる。後続する連続するアップリンクサブフレームのそれぞれについて、先行するアップリンクサブフレームの最後のＯＦＤＭシンボルは、そのアップリンクサブフレームのＬＢＴを実行するための位置として使用できる。
【０２８３】
ここでは、第１のアップリンクサブフレームのＬＢＴプロセスは、複数のＯＦＤＭシンボルを占有し、後続するアップリンクサブフレームのそれぞれについてのＬＢＴプロセスは、その先行するサブフレームの１つ又は２つのＯＦＤＭシンボルを占有することができる。フレキシブルなアップリンク−ダウンリンクフレーム比率を有する構造も同様である。
【０２８４】
以下では、スケジューリングメカニズム及びアップリンクサブフレームの異なる位置に関連して、異なるスケジューリングメカニズムに基づいて複数の連続するアップリンクサブフレーム上の送信に適用されるＬＢＴメカニズム又はＬＢＴメカニズムパラメータセットについて説明する。
【０２８５】
同一キャリア内スケジューリングの場合、基地局は、免許が不要なキャリアを介してスケジューリンググラント情報を送信する前に、ダウンリンクＬＢＴ  Ｃａｔ４メカニズムを適用している。したがって、ＵＥは、グラント指示情報を受信すると、第１のアップリンクサブフレームの送信前に以下のように動作できる。
【０２８６】
スキーム１：アップリンク送信バーストとダウンリンク送信バーストとの間のギャップのスロット長が、例えば、１６μｓ又は２５μｓとすることができる所定の閾値である場合、スケジューリングされたＵＥは、第１のアップリンクサブフレームの送信前にＬＢＴメカニズムを適用しなくてもよい。しかしながら、これにより、隠れノード問題が生じる可能性がある。
【０２８７】
スキーム２：スケジューリングされたＵＥは、第１のアップリンクサブフレームの送信前に高速のＬＢＴメカニズムを適用できる。ここで、高速のＬＢＴメカニズムは、延長期間＋ＥＣＣＡプロセス、直接ＥＣＣＡプロセス、エンハンスドＬＢＴ  Ｃａｔ２、ＬＢＴ  Ｃａｔ２及び簡単なＬＢＴ  Ｃａｔ４（ダウンリンクＬＢＴＣａｔ４のためのＣＷより小さいＣＷを有し、延長期間におけるｎは、［０，２］で設定可能である。）を含むことができる。この場合、第１のアップリンク送信に適用される高速のＬＢＴメカニズムは、上記高速のＬＢＴメカニズムの１つとすることができる。
【０２８８】
オプションとして、後続する複数の連続するアップリンクサブフレームの各送信前に、その先行するサブフレームの最後のＯＦＤＭシンボルに高速のＬＢＴメカニズムを適用してもよい。ここでは、第１のアップリンクサブフレームに対する高速のＬＢＴメカニズムと、後続する複数の連続するアップリンクサブフレームに対する高速のＬＢＴメカニズムは、同じでもよく、異なっていてもよい。オプションとして、より簡単な高速のＬＢＴメカニズムを順番に適用してもよい（例えば、ＣＷｍａｘ＝４を有する延長期間＋ＥＣＣＡプロセスを第１のアップリンクサブフレームに適用し、例えば、ＣＷｍａｘ≦４を有する直接ＥＣＣＡプロセスを第２のアップリンクサブフレームに適用し、エンハンスドＬＢＴ  Ｃａｔ２を第３のアップリンクサブフレームに適用できる）。オプションとして、高速のＬＢＴメカニズムを第１のアップリンクサブフレームに適用し、後続する複数の連続するアップリンクサブフレームのそれぞれに対して同じＬＢＴメカニズムを適用してもよい。特殊なケースでは、第１のアップリンクサブフレームに対して高速のＬＢＴメカニズムを適用し、後続する複数の連続するアップリンクサブフレームには、ＬＢＴメカニズムを適用しなくてもよい。同一キャリア内スケジューリングのための上記のプロセスにより、Ｗｉ−Ｆｉシステムに対し、コンテンションベースのチャネルアクセスが公平な機会を共有できる。Ｗｉ−Ｆｉシステム内のノードは、ＣＷｍａｘ＝１０２４として、データ送信前に一回、ダウンリンクＬＢＴ  Ｃａｔ４メカニズムに類似したメカニズムを適用するのみでよい。したがって、同一キャリア内スケジューリングの場合、アップリンクグラント情報を送信する前に、基地局がダウンリンクＬＢＴ  Ｃａｔ４メカニズムを一回適用しているので、コンテンションベースのアクセスについてＬＡＡシステムが不利にならないように、ＵＥは、アップリンク送信前に１つの高速のＬＢＴメカニズムのみを適用すればよく、これにより、ＵＥは、より高い確率でチャネルにアクセスでき、又は送信のために速やかにチャネルにアクセスできる。
【０２８９】
キャリア間スケジューリングについては、複数のアップリンクサブフレームが送信される場合に異なるアップリンクサブフレームに適用される異なるＬＢＴメカニズム又はＬＢＴパラメータセットに関して２つの側面を説明する。
【０２９０】
アップリンクグラント情報が、免許が必要なキャリアを介して送信され、ダウンリンクデータが送信されない場合、ＵＥは、アップリンクグラント情報を受信した後、第１のアップリンクサブフレームの前に複数のＯＦＤＭシンボルに通常のＬＢＴ  Ｃａｔ４メカニズムを適用し、これにより、Ｗｉ−Ｆｉシステムがチャネルにアクセスするための比較的公平な機会を保証できる。ここで、通常のＬＢＴ  Ｃａｔ４メカニズムは、ダウンリンクＬＢＴ  Ｃａｔ４メカニズムのＣＷより大きいＣＷ、オプションとして、同一キャリアのメカニズムのＣＷより大きいＣＷを有する。後続する複数の連続するアップリンクサブフレームのそれぞれについてＬＢＴを適用する位置は、先行するサブフレームの最後のＯＦＤＭシンボルであり、ＬＢＴ  Ｃａｔ４メカニズムのＣＷサイズは、連続的に減少させる（ＣＷサイズは、ＬＢＴプロセスが１つのＯＦＤＭシンボル内で終了するように選択される）。オプションとして、後続するアップリンクサブフレーム上での送信に高速のＬＢＴメカニズムを適用してもよい。更に、後続するアップリンクサブフレームでは、同じ又は異なるＬＢＴメカニズム又はＬＢＴパラメータセットを使用してもよい。オプションとして、１つの送信バースト内の第１のアップリンクサブフレームに続く複数の連続するアップリンクサブフレームについては、送信にＬＢＴを適用しなくてもよい。
【０２９１】
アップリンクグラント情報が、免許が必要なキャリアを介して送信され、送信すべきダウンリンクデータが存在する場合、基地局は、ダウンリンクデータを送信するために、チャネルアクセスのための免許が不要なキャリアにダウンリンクＬＢＴ  Ｃａｔ４メカニズムを適用する必要がある。アップリンクグラント情報を受信した後、ＵＥは、上述した同一キャリア内スケジューリングの場合と同様に、第１のアップリンクサブフレームの前に複数のＯＦＤＭシンボルに対してＬＢＴプロセスを実行できる。特別なケースでは、アップリンク送信バーストとダウンリンク送信バーストとの間のギャップの時間領域長が、例えば、１６μｓ又は２５μｓとすることができる所定の閾値よりも小さい場合、スケジューリングされたＵＥは、第１のアップリンクサブフレームの送信前にＬＢＴメカニズムを適用しなくてもよい。後続するアップリンクサブフレームでは、ＬＢＴメカニズムを適用しなくてもよく、ＬＢＴ  Ｃａｔ２等の高速のＬＢＴメカニズムを適用してもよい。
【０２９２】
更に、ＵＥが自ら属するバースト中のアップリンクサブフレームのインデクスを取得し及び／又は先行するサブフレームのＬＢＴが成功したか否かを知るために、以下のスキームに従ってＵＥに通知を行うことができる。
【０２９３】
固定フレーム構造の場合、ＵＥは、どのアップリンクサブフレームでスケジューリングされているかを知ることができる。したがって、ＵＥは、デフォルトスキームに基づいて、異なるサブフレームに対してどのＬＢＴメカニズム又はパラメータセットを使用するかを決定でき、このデフォルトスキームは、この実施形態において上述した同一キャリア内スケジューリング又はキャリア間スケジューリングのためのスキームであってもよい。例えば、上述の実施形態では、第１のアップリンクサブフレームの送信前に、キャリア間スケジューリングには通常のＬＢＴ  Ｃａｔ４メカニズムを使用し、同一キャリア内スケジューリングには高速のＬＢＴメカニズムを使用することが決定される。後続するアップリンクサブフレームの送信前に、キャリア間スケジューリングには連続的に減少するＣＷサイズを有するＬＢＴ  Ｃａｔ４メカニズム（ＣＷサイズの選択は、ＬＢＴプロセスを実行するために利用可能なＯＦＤＭシンボルの数に制限される。）を適用でき、同一キャリア内スケジューリングには高速のＬＢＴメカニズムを適用できる。
【０２９４】
フレキシブルなアップリンク／ダウンリンクサブフレーム構造の場合、以下の２つのスキームによって、自らスケジューリングされる１つの送信バースト内のアップリンクサブフレームのインデクスをＵＥに通知し、又は適用されるＬＢＴメカニズム及び／又はＬＢＴメカニズムパラメータセットを決定できる。
【０２９５】
スキーム１：基地局が、指示メッセージを介して、明示的に、スケジューリングされたサブフレームが最初のサブフレームであるか、最初のサブフレームの後ろの特定の数のサブフレームであるかをＵＥに通知できる。
【０２９６】
スキーム２：基地局が、動的ダウンリンク制御情報（Downlink Control Information：ＤＣＩ）を介して、スケジューリングされたサブフレームに適用されるＬＢＴメカニズム又はＬＢＴメカニズムパラメータセットをＵＥに指示できる。
【０２９７】
これに代えて、ＲＲＣメッセージを介して通知を行ってもよい。
【０２９８】
第１のアップリンクサブフレームにスケジューリングされたＵＥがＬＢＴメカニズム又はパラメータセットに基づくＬＢＴプロセスに失敗した場合、次のサブフレームにおいて、ＵＥは、第１のアップリンクサブフレームについてＬＢＴプロセスを実行したものと同じメカニズム又はパラメータセットを使用できる。これに代えて、ＵＥは、自らのサブフレーム上の位置に基づいて、ＬＢＴメカニズム又はＬＢＴメカニズムパラメータセットを適用してもよく、設定され、シグナリングされ又はデフォルトのＬＢＴメカニズム又はＬＢＴメカニズムのパラメータセットを用いてチャネルアクセスを行ってもよい。この場合、ＵＥは、これらのＬＢＴプロセスが成功したか否かを互いに通知してもよく、チャネルアクセスのために元のＬＢＴメカニズム又はＬＢＴメカニズムパラメータセットを使用するかを指示してもよい。オプションとして、ＵＥは、設定されたＬＢＴメカニズム又はＬＢＴメカニズムのパラメータセットに基づくチャネルアクセスにおいて何度も失敗した場合、基地局によってシグナリングされた指示、フィードバック情報の測定、干渉条件の測定、又は送信チャネル、送信信号、送信論理チャネル又は送信トラフィックのタイプの優先度に基づいて、優先度又はＬＢＴメカニズム又はパラメータセットを動的に調整できる。（例えば、より高い優先度に対応するＬＢＴメカニズム又はＬＢＴパラメータに基づいてチャネルアクセスを行うように優先度を高め、又は現在のＬＢＴメカニズム又はパラメータセットよりもチャネルアクセスの確率が高いＬＢＴメカニズム又はパラメータセットに基づいてチャネルアクセスを実行することによって、チャネルアクセスにおけるより優れた機会をＵＥに提供する）。
【０２９９】
本開示の上記の実施形態において、関連指示情報は、送信データパケットのサイズ、連続的にスケジューリングされたサブフレームの数、ＤＣＩシグナリングにおいて設定されている１つ以上のビット、ブロードキャストスキーム、アップリンク送信バーストとダウンリンク送信バーストとの間のギャップの時間領域長、基地局からシグナリングされるＬＢＴリスト内の識別情報、送信バースト又は連続するアップリンクサブフレームにおけるスケジューリングされたサブフレームの位置、１つの送信バーストの長さ、及び／又はスケジューリング命令の送信のためのキャリアシナリオを含む。優先度情報は、トラフィックタイプのＱｏＳ優先度、チャネルの優先度、信号の優先度、及び／又は論理チャネルの優先度を含むことができる。オプションとして、異なる優先度レベルを有する論理チャネルを対応する物理送信チャネルにマッピングすることができ、これにより、物理的送信チャネルもそれぞれの優先度レベルを有することができる。矛盾が生じない限り、ＬＢＴメカニズム又はＬＢＴメカニズムのパラメータセットを決定するための複数の方法を組み合わせることができる。また、これらの方法を個別に適用してＬＢＴパラメータ又はＬＢＴメカニズムを決定してもよい。
【０３００】
以上、本開示の実施形態について説明したが、これらは、例示のための単に実施形態（例えば、実施形態における特定の具体例）であり、本開示を限定するものではない。当業者は、本開示の精神及び範囲から逸脱することなく、形態及び詳細の様々な改変及び代替を想到できる。本開示の範囲は、特許請求の範囲によってのみによって画定される。
【図１】
2018528713.tif 000005
【図２】
2018528713.tif 000006
【図３】
2018528713.tif 000007
【国際調査報告】
2018528713.tif 000008
2018528713.tif 000009
2018528713.tif 000010
2018528713.tif 000011